(57)【特許請求の範囲】
【請求項１】
出隅キャンバス（Ｇ１，Ｇ２）を巻き取ったり、巻き戻す巻取りローラ（Ｊ１〜Ｊ７）を、インナーローラ（１１）と、当該インナーローラ（１１）の軸線方向へスライド自在に嵌挿したアウターローラ（１２，１２ａ）とから形成し、
当該アウターローラ（１２，１２ａ）に出隅キャンバス（Ｇ１，Ｇ２）の頂部（１）を取り付け、
そのキャンバス裾部（２，２ａ）を出隅キャンバス（Ｇ１，Ｇ２）のフロントバー（Ｆ１）に取り付け、
当該フロントバー（Ｆ１）を横行案内レール（Ｒ１）に嵌挿支持し、
当該案内レール（Ｒ１）を折畳みアーム（Ｖ１，Ｖ２、Ｙ１，Ｙ２、Ｉ１，Ｉ２）により平行移動するように構成したことを特徴とする可動オーニング装置。
【請求項２】
出隅キャンバス（Ｇ１，Ｇ２）と、
それをインナーローラ（１１）と、当該インナーローラ（１１）の軸線方向へスライド自在に嵌挿したアウターローラ（１２，１２ａ）に巻き取ったり、巻き戻す巻取りローラ（Ｊ１〜Ｊ７）と、
前記キャンバス（Ｇ１，Ｇ２）の裾部（２，２ａ）を支持するフロントバー（Ｆ１）と、
当該フロントバー（Ｆ１）を嵌挿する横行案内レール（Ｒ１）と、
当該案内レール（Ｒ１）を平行移動するように支持した折畳みアーム（Ｖ１，Ｖ２、Ｙ１，Ｙ２、Ｉ１，Ｉ２）とを備え、
前記アウターローラ（１２，１２ａ）に出隅キャンバス（Ｇ１，Ｇ２）の頂部（１）を取り付けてなる可動オーニング装置。
【請求項３】
巻取りローラ（Ｊ１〜Ｊ７）に巻き取った出隅キャンバス（Ｇ１，Ｇ２）を、巻き戻して展開した上で、インナーローラ（１１）と横行案内レール（Ｒ１）に沿って横行スライドすることによりコーナー空間部へ張り出してなる請求項１又は２に記載の可動オーニング装置。
【請求項４】
コーナー空間部へ張り出した出隅キャンバス（Ｇ１，Ｇ２）を、その展開状態を維持したままインナーローラ（１１）と横行案内レール（Ｒ１）に沿って後方へ横行スライドした上で、巻取りローラ（Ｊ１〜Ｊ７）に巻き取るように構成してなる請求項１又は２に記載の可動オーニング装置。
【請求項５】
折畳みアームが、二つ折れ自在に連結したＶ字アーム（Ｖ１，Ｖ２）であって、
当該アーム（Ｖ１，Ｖ２）の基端部を巻取りローラ（Ｊ１〜Ｊ７）の先端付近と中間付近の下部位置に取り付け、
そのアーム前端部を横行案内レール（Ｒ１）の先後両端付近に取り付けてなる請求項１又は２に記載の可動オーニング装置（Ｓ１ａ）。
【請求項６】
インナーローラ（１１）の先端部にベルト車（３９２）を嵌め込み、
当該ベルト車（３９２）と横行案内レール（Ｒ１）の先端部に同調ベルト（３９１）を掛け渡し、
当該同調ベルト（３９１）を前記ベルト車（３９２）に巻き取ったり、巻き戻すようにしてなる請求項１又は２に記載の可動オーニング装置（Ｓ１ｂ）。
【請求項７】
折畳みアームが、主リンク（２９１）と副リンク（２９２）を逆ｙ字状にリンク構成したＹ字アーム（Ｙ１，Ｙ２）であって、
前記副リンク（２９２）の前端部を横行案内レール（Ｒ１）の先後両端付近に取り付け、
主リンク（２９１）の前端部を当該案内レール（Ｒ１）に沿ってスライド自在に支持してなる請求項１又は２に記載の可動オーニング装置（Ｓ１ｃ）。
【請求項８】
Ｖ字アーム（Ｖ１，Ｖ２）の内、装置先端部のＶ字アーム（Ｖ１）を、主リンク（２９１）と副リンク（２９２）を逆ｙ字状にリンク構成したＹ字アーム（Ｙ１）に置換し、
前記副リンク（２９２）の前端部を横行案内レール（Ｒ１）の先端付近に取り付け、
主リンク（２９１）の前端部を当該案内レール（Ｒ１）に沿ってスライド自在に支持してなる請求項５に記載の可動オーニング装置（Ｓ１ｃ）。
【請求項９】
折畳みアームが、間隔を隔てて平行に形成した直線状のＩ字アーム（Ｉ１，Ｉ２）であって、
一方のＩ字アーム（Ｉ１）の基端部を出隅部（Ｎ１）のコーナー付近に取り付け、
その先端部を横行案内レール（Ｒ１）の中間付近に取り付け、
他方のＩ字アーム（Ｉ２）の基端部を前記コーナー付近から適宜間隔を隔てた中間付近に取り付け、
その前端部を横行案内レール（Ｒ１）の後部付近に取り付け、
当該Ｉ字アーム（Ｉ１，Ｉ２）により横行案内レール（Ｒ１）を斜め方向へ平行移動自在に構成してなる請求項１又は２に記載の可動オーニング装置（Ｓ１ｄ）。
【請求項１０】
横行案内レール（Ｒ１）に、出隅キャンバス（Ｇ１，Ｇ２）のフロントバー（Ｆ１）を転動自在に嵌挿支持してなる請求項１又は２に記載の可動オーニング装置。
【請求項１１】
横行案内レール（Ｒ１）が、背面板部（２３１）とその前面に突出したレール部（２３２）とからなり、
当該レール部（２３２）の上下位置に間隔を隔てて小車輪（２３４，２３５）を取り付けてなる請求項１０に記載の可動オーニング装置。
【請求項１２】
フロントバー（Ｆ１）が、背面中央部を開口形成した上板部（２０１）と前板部（２０２）と底板部（２０３）とからなるボックス状の断面形態を呈し、
当該フロントバー（Ｆ１）の上部室と下部室に、横行案内レール（Ｒ１）の小車輪（２３４，２３５）を臨ませて嵌め込んでなる請求項１１に記載の可動オーニング装置。
【請求項１３】
請求項１又は２に記載の可動オーニング装置（Ｓ１ａ〜Ｓ１ｄ）の２体を、出隅部（Ｎ１）の一方と他方のコーナー位置に向かい合わせて取り付け、
それぞれの巻取りローラ（Ｊ１〜Ｊ７）のアウターローラ（１２）とフロントバー（Ｆ１）に、出隅キャンバス（Ｇ１）の頂部（１）と裾部（２）を取り付けたことを特徴とする可動オーニング装置。
【請求項１４】
巻取りローラ（Ｊ１〜Ｊ７）の先端部を向かい合わせたコーナー部分に、一方と他方のインナーローラ（１１）を連動させる手動装置や歯車装置を組み込んでなる請求項１３に記載の可動オーニング装置。
【請求項１５】
請求項１又は２に記載の可動オーニング装置（Ｓ１ａ〜Ｓ１ｄ）に、
矩形キャンバス（Ｐ１）を巻き取ったり、巻き戻す巻取りローラ（３０）と、
当該矩形キャンバス（Ｐ１）の裾部（６）を取り付けるフロントバー（３１）と、
当該フロントバー（３１）を平行移動するように支持した折畳みアーム（Ｖ３、Ｖ４）とからなる可動オーニング装置（Ｑ）を組み合わせるに、
出隅キャンバス（Ｇ１，Ｇ２）の巻取りローラ（Ｊ１〜Ｊ７）の後半部位に、矩形キャンバス（Ｐ１）の巻取りローラ（３０）の前半部位を上下に間隔を隔てて重ね合わせたことを特徴とする可動オーニング装置。
【請求項１６】
一方の巻取りローラ（Ｊ１〜Ｊ７）に巻き取る出隅キャンバス（Ｇ１，Ｇ２）を下巻きし、他方の巻取りローラ（３０）に矩形キャンバス（Ｐ１）を上巻きしてなる請求項１５に記載の可動オーニング装置。
【請求項１７】
一方の巻取りローラ（Ｊ１〜Ｊ７）に巻き取る出隅キャンバス（Ｇ１，Ｇ２）を上巻きし、他方の巻取りローラ（３０）に巻き取る矩形キャンバス（Ｐ１）を下巻きしてなる請求項１５に記載の可動オーニング装置。
【請求項１８】
出隅キャンバス（Ｇ１，Ｇ２）を巻き取ったり、巻き戻す巻取り装置を備えた出隅用オーニング装置（Ｓ１，Ｓ２）と、
矩形キャンバス（Ｐ１，Ｐ２）を巻き取ったり、巻き戻す巻取り装置を備えた矩形オーニング装置（Ｑ１，Ｑ２）とを組み合わせた可動オーニング装置であって、
前記出隅用オーニング装置（Ｓ１，Ｓ２）には、出隅キャンバス（Ｇ１，Ｇ２）の巻取りローラ（Ｊ１〜Ｊ７）とフロントバー（Ｆ２，Ｆ３）を備え、
当該巻取りローラ（Ｊ１〜Ｊ７）をインナーローラ（１１）と、当該インナーローラ（１１）の軸線方向へスライド自在に嵌挿したアウターローラ（１２，１２ａ）とから形成し、
前記矩形オーニング装置（Ｑ１，Ｑ２）には、矩形キャンバス（Ｐ１，Ｐ２）の巻取りローラ（３０，３０ａ）とフロントバー（Ｒ２，Ｒ３）を備え、
当該フロントバー（Ｒ２，Ｒ３）を折畳みアーム（Ｖ１，Ｖ２、Ｙ１，Ｙ２、Ｚ１，Ｚ２、Ｚ３，Ｚ４）により支持すると共に、前記出隅キャンバス（Ｇ１，Ｇ２）のフロントバー（Ｆ２，Ｆ３）を嵌挿支持したことを特徴とする可動オーニング装置。
【請求項１９】
出隅キャンバス（Ｇ１，Ｇ２）を巻き取ったり、巻き戻す巻取り装置を備えた出隅用オーニング装置（Ｓ１，Ｓ２）と、
矩形キャンバス（Ｐ１，Ｐ２）を巻き取ったり、巻き戻す巻取り装置を備えた矩形オーニング装置（Ｑ１，Ｑ２）とを組み合わせた可動オーニング装置であって、
前記出隅用オーニング装置（Ｓ１，Ｓ２）を、出隅キャンバス（Ｇ１，Ｇ２）と、
それをインナーローラ（１１）と、当該インナーローラ（１１）の軸線方向へスライド自在に嵌挿したアウターローラ（１２，１２ａ）に巻き取ったり、巻き戻す巻取りローラ（Ｊ１〜Ｊ７）と、
出隅キャンバス（Ｇ１，Ｇ２）の裾部（２）を支持するフロントバー（Ｆ２，Ｆ３）と、
前記アウターローラ（１２，１２ａ）に出隅キャンバス（Ｇ１，Ｇ２）の頂部（１）を取り付けて形成し、
前記矩形オーニング装置（Ｑ１，Ｑ２）を、長短いずれかの矩形キャンバス（Ｐ１，Ｐ２）と、
それを巻き取ったり、巻き戻す長短いずれかの巻取りローラ（３０，３０ａ）と、
矩形キャンバス（Ｐ１，Ｐ２）の裾部（６）を支持すると共に、出隅キャンバス（Ｇ１，Ｇ２）のフロントバー（Ｆ２，Ｆ３）を嵌挿するフロントバー（Ｒ２，Ｒ３）と、
当該フロントバー（Ｒ２，Ｒ３）を支持する折畳みアーム（Ｖ１，Ｖ２、Ｙ１，Ｙ２、Ｚ１，Ｚ２、Ｚ３，Ｚ４）とから構成したことを特徴とする可動オーニング装置。
【請求項２０】
出隅キャンバス（Ｇ１，Ｇ２）の巻取りローラ（Ｊ１〜Ｊ７）と矩形キャンバス（Ｐ１，Ｐ２）の巻取りローラ（３０，３０ａ）に、それぞれ巻き取った出隅キャンバス（Ｇ１，Ｇ２）と矩形キャンバス（Ｐ１，Ｐ２）を同期させて巻き戻すことにより展開し、
展開した出隅キャンバス（Ｇ１，Ｇ２）をインナーローラ（１１）とフロントバー（Ｒ２，Ｒ３）に沿って横行スライドすることによりコーナー空間部へ張り出してなる請求項１８又は１９に記載の可動オーニング装置。
【請求項２１】
コーナー空間部へ張り出した出隅キャンバス（Ｇ１，Ｇ２）を、その展開状態を維持したままインナーローラ（１１）とフロントバー（Ｒ２，Ｒ３）に沿って後方へ横行スライドした上で、
当該出隅キャンバス（Ｇ１，Ｇ２）と矩形キャンバス（Ｐ１，Ｐ２）を、それぞれの巻取りローラ（Ｊ１〜Ｊ７、３０，３０ａ）に同期させて巻き取り収納してなる請求項１８又は１９に記載の可動オーニング装置。
【請求項２２】
出隅キャンバス（Ｇ１，Ｇ２）の巻取りローラ（Ｊ１〜Ｊ７）の後半部位と、矩形キャンバス（Ｐ１）の巻取りローラ（３０）の前半部位を上下に間隔を隔てて重ね合わせて支持し、
当該矩形キャンバス（Ｐ１）のフロントバー（Ｒ２，Ｒ３）を、一方の巻取りローラ（Ｊ１〜Ｊ７）の先端付近から他方の巻取りローラ（３０）の後端付近までの距離と同じ程度の長さに形成し、
前記巻取りローラ（Ｊ１〜Ｊ７）の先端付近と巻取りローラ（３０）の後端付近に、二つ折れ自在に連結したＶ字アーム（Ｖ１，Ｖ２）の基端部を取り付け、
当該Ｖ字アーム（Ｖ１，Ｖ２）の前端部を前記フロントバー（Ｒ２，Ｒ３）の先後両端付近に取り付けてなる請求項１８又は１９に記載の可動オーニング装置（ＳＱII１・２・５）。
【請求項２３】
巻取りローラ（Ｊ１〜Ｊ７）のインナーローラ（１１）の先端部にベルト車（３９２）を嵌め込み、
当該ベルト車（３９２）とフロントバー（Ｒ２，Ｒ３）の先端部に同調ベルト（３９１）を張り渡し、
当該同調ベルト（３９１）を前記ベルト車（３９２）に巻き取ったり、巻き戻すようにしてなる請求項２２に記載の可動オーニング装置（ＳＱII２）。
【請求項２４】
矩形キャンバス（Ｐ１）の巻取りローラが、装置後方部から巻取りローラ（Ｊ１〜Ｊ７）の先端付近まで延長した長尺の巻取りローラ（３０ａ）であって、
当該巻取りローラ（３０ａ）の先端部と矩形キャンバス（Ｐ１）のフロントバー（Ｒ２，Ｒ３）の先端部に同調ベルト（３９３）を張り渡し、
当該同調ベルト（３９３）を巻取りローラ（３０ａ）の先端部に巻き取ったり、巻き戻すようにしてなる請求項２２に記載の可動オーニング装置（ＳＱII３）。
【請求項２５】
出隅キャンバス（Ｇ１，Ｇ２）の巻取りローラ（Ｊ１〜Ｊ７）と、当該巻取りローラ（Ｊ１〜Ｊ７）の先端付近まで延長した矩形キャンバス（Ｐ２）の巻取りローラ（３０ａ）を、上下に間隔を隔てて重ね合わせて支持し、
当該矩形キャンバス（Ｐ２）のフロントバー（Ｒ２，Ｒ３）を、一方の巻取りローラ（Ｊ１〜Ｊ７）の先端付近から他方の巻取りローラ（３０ａ）の後端付近までの距離と同じ程度の長さに形成し、
前記長尺の巻取りローラ（３０ａ）とフロントバー（Ｒ２，Ｒ３）に、長尺の矩形キャンバス（Ｐ２）を張り渡し、
前記巻取りローラ（Ｊ１〜Ｊ７）の先端付近と巻取りローラ（３０ａ）の後端付近に、二つ折れ自在に連結したＶ字アーム（Ｖ１，Ｖ２）の基端部を取り付け、
当該アーム（Ｖ１，Ｖ２）の前端部を前記フロントバー（Ｒ２，Ｒ３）の先後両端付近に取り付けてなる請求項１８又は１９に記載の可動オーニング装置（ＳＱII４・ＳＱII６〜８）。
【請求項２６】
折畳みアームが、主リンク（２９１）と副リンク（２９２）を逆ｙ字状にリンク構成したＹ字アーム（Ｙ１，Ｙ２）であって、
前記副リンク（２９２）の前端部をフロントバー（Ｒ２，Ｒ３）の先後両端付近に取り付け、
前記主リンク（２９１）の前端部を当該フロントバー（Ｒ２，Ｒ３）に沿ってスライド自在に支持してなる請求項１８又は１９に記載の可動オーニング装置（ＳＱII９）。
【請求項２７】
Ｖ字アーム（Ｖ１，Ｖ２）の内、装置先端部のＶ字アーム（Ｖ１）を、主リンク（２９１）と副リンク（２９２）を逆ｙ字状にリンク構成したＹ字アーム（Ｙ１）に置換し、
前記副リンク（２９２）の前端部をフロントバー（Ｒ２，Ｒ３）の先後両端付近に取り付け、
前記主リンク（２９１）の前端部を当該フロントバー（Ｒ２，Ｒ３）に沿ってスライド自在に支持してなる請求項２２〜２５のいずれかに記載の可動オーニング装置（ＳＱII１〜８）。
【請求項２８】
矩形キャンバス（Ｐ１，Ｐ２）のフロントバー（Ｒ２，Ｒ３）を支持する折畳みアームを、垂直方向へ起倒動する伸縮アーム（Ｚ１，Ｚ２）や突っ張りアームとしてなる請求項１８又は１９に記載の可動オーニング装置（ＳＱＬ１）。
【請求項２９】
矩形キャンバス（Ｐ１，Ｐ２）のフロントバー（Ｒ２，Ｒ３）を支持する折畳みアームを、前方へ引き出したり、後方へ押し下げるパンタグラフ構造の伸縮リンク（Ｚ３，Ｚ４）としてなる請求項１８又は１９に記載の可動オーニング装置（ＳＱＬ２）。
【請求項３０】
請求項１８又は１９に記載の矩形オーニング装置（Ｑ１，Ｑ２）を、入隅キャンバス（Ｐ３，Ｐ４）を巻き取ったり、巻き戻す巻取り装置を備えた入隅用オーニング装置（Ｕ１，Ｕ２）に置換してなる可動オーニング装置であって、
当該入隅用オーニング装置（Ｕ１、Ｕ２）には、入隅キャンバス（Ｐ３，Ｐ４）の巻取りローラ（３０，３０ａ）とフロントバー（Ｒ２，Ｒ３）を備え、
当該フロントバー（Ｒ２，Ｒ３）を折畳みアーム（Ｖ１，Ｖ２、Ｙ１，Ｙ２）により平行移動自在に支持する共に、出隅キャンバス（Ｇ１，Ｇ２）のフロントバー（Ｆ２，Ｆ３）を嵌挿支持したことを特徴とする可動オーニング装置。
【請求項３１】
出隅キャンバス（Ｇ１，Ｇ２）の巻取りローラ（Ｊ１〜Ｊ７）と入隅キャンバス（Ｐ３，Ｐ４）の巻取りローラ（３０，３０ａ）に、それぞれ巻き取った出隅キャンバス（Ｇ１，Ｇ２）と入隅キャンバス（Ｐ３，Ｐ４）を同期させて巻き戻すことにより展開し、
展開した出隅キャンバス（Ｇ１，Ｇ２）をインナーローラ（１１）とフロントバー（Ｒ２，Ｒ３，Ｒ５）に沿って横行スライドすることにより、出隅部（Ｎ１）のコーナー空間部へ張り出してなる請求項３０に記載の可動オーニング装置。
【請求項３２】
出隅部（Ｎ１）のコーナー空間部へ張り出した出隅キャンバス（Ｇ１，Ｇ２）を、その展開状態を維持したままインナーローラ（１１）とフロントバー（Ｒ２，Ｒ３）に沿って後方へ横行スライドした上で、
当該出隅キャンバス（Ｇ１，Ｇ２）と入隅キャンバス（Ｐ３，Ｐ４）を、それぞれの巻取りローラ（Ｊ１〜Ｊ７、３０，３０ａ）に同期させて巻き取り収納してなる請求項３０に記載の可動オーニング装置。
【請求項３３】
出隅キャンバス（Ｇ１，Ｇ２）の巻取りローラ（Ｊ１〜Ｊ７）の後半部位と、入隅キャンバス（Ｐ３）の巻取りローラ（３０）の前半部位を上下に間隔を隔てて重ね合わせて支持し、
当該入隅キャンバス（Ｐ３）のフロントバー（Ｒ２，Ｒ３）を、一方の巻取りローラ（Ｊ１〜Ｊ７）の先端付近から他方の巻取りローラ（３０）の中間付近までの距離と同じ程度の長さに形成し、
前記巻取りローラ（Ｊ１〜Ｊ７）の先端付近と巻取りローラ（３０）の中間付近に、二つ折れ自在に連結したＶ字アーム（Ｖ１，Ｖ２）の基端部を取り付け、
当該アーム（Ｖ１，Ｖ２）の前端部を前記フロントバー（Ｒ２，Ｒ３）の先後両端付近に取り付けてなる請求項３０〜３２のいずれかに記載の可動オーニング装置（ＳＵII１）。
【請求項３４】
出隅キャンバス（Ｇ１，Ｇ２）の巻取りローラ（Ｊ１〜Ｊ７）と、当該巻取りローラ（Ｊ１〜Ｊ７）の先端付近まで延長した入隅キャンバス（Ｐ４）の巻取りローラ（３０ａ）を、上下に間隔を隔てて重ね合わせて支持し、
当該入隅キャンバス（Ｐ４）のフロントバー（Ｒ２，Ｒ３）を、一方の巻取りローラ（Ｊ１〜Ｊ７）の先端付近から他方の巻取りローラ（３０ａ）の中間付近までの距離と同じ程度の長さに形成し、
前記巻取りローラ（３０ａ）とフロントバー（Ｒ２，Ｒ３）に、長尺の入隅キャンバス（Ｐ４）を張り渡し、
前記巻取りローラ（Ｊ１〜Ｊ７）の先端付近と巻取りローラ（３０）の中間付近に、二つ折れ自在に連結したＶ字アーム（Ｖ１，Ｖ２）の基端部を取り付け、
当該アーム（Ｖ１，Ｖ２）の前端部を前記フロントバー（Ｒ２，Ｒ３）の先後両端付近に取り付けてなる請求項３０〜３２のいずれかに記載の可動オーニング装置（ＳＵII２）。
【請求項３５】
矩形キャンバス（Ｐ１，Ｐ２）を巻き取ったり、巻き戻す巻取り装置を備えた矩形オーニング装置（Ｑ１，Ｑ２）と、
その先後両側位置に出隅キャンバス（Ｇ１，Ｇ２）を巻き取ったり、巻き戻す巻取り装置を備えた出隅用オーニング装置（Ｓ１，Ｓ２、Ｓ１１）の２体を、先後対称に組み合わせた可動オーニング装置であって、
前記出隅用オーニング装置（Ｓ１，Ｓ２、Ｓ１１）には、それぞれ出隅キャンバス（Ｇ１，Ｇ２）の巻取りローラ（Ｊ１〜Ｊ７）とフロントバー（Ｆ２，Ｆ３）を備え、
当該巻取りローラ（Ｊ１〜Ｊ７）をインナーローラ（１１）と、当該インナーローラ（１１）の軸線方向へスライド自在に嵌挿したアウターローラ（１２，１２ａ）とから形成し、
前記出隅キャンバス（Ｇ１）の頂部（1）をアウターローラ（１２）に取り付け、
そのキャンバス裾部（２）をフロントバー（Ｆ１〜Ｆ３）に取り付けてなり、
前記矩形オーニング装置（Ｑ１，Ｑ２）には、矩形キャンバス（Ｐ１，Ｐ２）の巻取りローラ（３０，３０ａ）とフロントバー（Ｒ２，Ｒ３）を備え、
当該フロントバー（Ｒ２，Ｒ３）を折畳みアーム（Ｖ１〜Ｖ４、Ｙ１，Ｙ４）により前後方向へ平行移動自在に支持すると共に、当該フロントバー（Ｒ２，Ｒ３）の先後両側位置に出隅キャンバス（Ｇ１，Ｇ２）のフロントバー（Ｆ２，Ｆ３）を嵌挿支持したことを特徴とする可動オーニング装置。
【請求項３６】
出隅キャンバス（Ｇ１，Ｇ２）の巻取りローラ（Ｊ１〜Ｊ７）と矩形キャンバス（Ｐ１，Ｐ２）の巻取りローラ（３０，３０ａ）に、それぞれ巻き取った出隅キャンバス（Ｇ１，Ｇ２）と矩形キャンバス（Ｐ１，Ｐ２）を同期させて巻き戻すことにより前方へ展開し、
展開した出隅キャンバス（Ｇ１，Ｇ２）をインナーローラ（１１）とフロントバー（Ｒ２，Ｒ３）に沿って横行スライドすることにより、一方と他方の出隅部（Ｎ１，Ｎ２）のコーナー空間部へ張り出してなる請求項３５に記載の可動オーニング装置。
【請求項３７】
一方と他方の出隅部（Ｎ１，Ｎ２）のコーナー空間部へ張り出した出隅キャンバス（Ｇ１，Ｇ２）を、その展開状態を維持したままインナーローラ（１１）とフロントバー（Ｒ２，Ｒ３）に沿って装置中央付近へ横行スライドした上で、
先後２体の出隅キャンバス（Ｇ１，Ｇ２）と矩形キャンバス（Ｐ１，Ｐ２）を、それぞれの巻取りローラ（Ｊ１〜Ｊ７、３０，３０ａ）に同期させて巻き取り収納してなる請求項３５に記載の可動オーニング装置。
【請求項３８】
一方の出隅部（Ｎ１）のコーナー寄り位置と他方の出隅部（Ｎ２）のコーナー寄り位置に、出隅キャンバス（Ｇ１，Ｇ２）の巻取りローラ（Ｊ１〜Ｊ７）を背中合わせに取り付け、
当該先後２体の巻取りローラ（Ｊ１〜Ｊ７）と矩形キャンバス（Ｐ１，Ｐ２）の巻取りローラ（３０，３０ａ）を上下に間隔を隔てて重ね合わせて支持し、
当該矩形キャンバス（Ｐ１，Ｐ２）のフロントバー（Ｒ２，Ｒ３）を、一方の出隅部（Ｎ１）と他方の出隅部（Ｎ２）を結ぶ距離と同じ程度の長さに形成し、
一方の巻取りローラ（Ｊ１〜Ｊ７）の先端付近と中間付近と、他方の巻取りローラ（Ｊ１〜Ｊ７）の中間付近と後端付近に、二つ折れ自在に連結したＶ字アーム（Ｖ１〜Ｖ４）の基端部をそれぞれ取り付け、
当該アーム（Ｖ１〜Ｖ４）の前端部を前記フロントバー（Ｒ２，Ｒ３）の先後両端付近と、前記巻取りローラ（Ｊ１〜Ｊ７）の中間付近に相当する部位に取り付けてなる請求項３５に記載の可動オーニング装置（ＳＱＳIV１・２）。
【請求項３９】
Ｖ字アーム（Ｖ１〜Ｖ４）の内、少なくとも、先後両端付近のＶ字アーム（Ｖ１，Ｖ４）を、主リンク（２９１）と副リンク（２９２）を逆ｙ字状にリンク構成したＹ字アーム（Ｙ１，Ｙ４）に置換し、
それぞれの副リンク（２９２）の前端部を、矩形キャンバス（Ｐ１，Ｐ２）のフロントバー（Ｒ２，Ｒ３）の先後両端付近に取り付け、
それぞれの主リンク（２９１）の前端部を、一方と他方の出隅キャンバス（Ｇ１，Ｇ２）のフロントバー（Ｆ２，Ｆ３）にスライド自在にそれぞれ取り付けてなる請求項３８に記載の可動オーニング装置。
【請求項４０】
出隅キャンバス（Ｇ１）を巻き取ったり、巻き戻す巻取り装置を備えた出隅用オーニング装置（Ｓ１，Ｓ１１）の２体を、先後対称に組み合わせてなる可動オーニング装置であって、
それぞれの出隅用オーニング装置（Ｓ１，Ｓ１１）には、出隅キャンバス（Ｇ１）の巻取りローラ（Ｊ１〜Ｊ７）とフロントバー（Ｆ２，Ｆ４）を備え、
当該巻取りローラ（Ｊ１〜Ｊ７）をインナーローラ（１１）と、当該インナーローラ（１１）の軸線方向へスライド自在に嵌挿したアウターローラ（１２）とから形成し、
前記出隅キャンバス（Ｇ１）のそれぞれのフロントバー（Ｆ２，Ｆ４）の２体を、横行案内レール（Ｒ４）に相対的にスライド自在に嵌挿支持し、
前記出隅キャンバス（Ｇ１）の頂部（1）をアウターローラ（１２）に取り付け、
そのキャンバス裾部（２）をフロントバー（Ｆ１〜Ｆ３）に取り付けてなり、
前記案内レール（Ｒ４）を折畳みアーム（Ｖ１，Ｖ２、Ｙ１，Ｙ２）により前後方向へ平行移動するように構成したことを特徴とする可動オーニング装置。
【請求項４１】
それぞれの巻取りローラ（Ｊ１〜Ｊ７）に巻き取った出隅キャンバス（Ｇ１）を同期させて巻き戻すことにより前方へ展開し、
展開した出隅キャンバス（Ｇ１）をインナーローラ（１１）と横行案内レール（Ｒ４）に沿って先後両方向へそれぞれ横行スライドすることにより、一方と他方の出隅部（Ｎ１，Ｎ２）のコーナー空間部へ張り出してなる請求項４０に記載の可動オーニング装置。
【請求項４２】
一方と他方の出隅部（Ｎ１，Ｎ２）のコーナー空間部へ張り出した出隅キャンバス（Ｇ１）を、その展開状態を維持したままインナーローラ（１１）と横行案内レール（Ｒ４）に沿って他方向へ横行スライドした上で、
それぞれの巻取りローラ（Ｊ１〜Ｊ７）に同期させて巻き取り収納してなる請求項４０に記載の可動オーニング装置。
【請求項４３】
一方の出隅部（Ｎ１）と他方の出隅部（Ｎ２）に、出隅キャンバス（Ｇ１）の巻取りローラ（Ｊ１〜Ｊ７）の２体を先後対称で、上下に間隔を隔てて重ね合わせて支持し、
一方の巻取りローラ（Ｊ１〜Ｊ７）の先端付近と他方の巻取りローラ（Ｊ１〜Ｊ７）の後端付近に、二つ折れ自在に連結したＶ字アーム（Ｖ１，Ｖ２）の基端部をそれぞれ取り付け、
当該アーム（Ｖ１〜Ｖ４）の前端部を横行案内レール（Ｒ４）の先後両側付近に取り付けてなる請求項４０に記載の可動オーニング装置（ＳＳII）。
【請求項４４】
出隅キャンバス（Ｇ１）を、キャンバス本体部（Ｘ１）と、その一方に張り出したキャンバス張出部（Ｘ２）とからなる展開形態に形成し、
当該出隅キャンバス（Ｇ１）の頂部（1）をアウターローラ（１２）に取り付け、
そのキャンバス裾部（２）をフロントバー（Ｆ１〜Ｆ３）に取り付けてなる請求項１、２、１５、１８、１９、３５又は４０に記載の可動オーニング装置。
【請求項４５】
アウターローラ（１２）とフロントバー（Ｆ１〜Ｆ３）との間に、ワイヤ（１９３，１９４）やベルト等の連結部材を張り渡してなる請求項４４に記載の可動オーニング装置。
【請求項４６】
出隅キャンバス（Ｇ２）を、ほぼ三角形状の展開形態に形成し、
当該出隅キャンバス（Ｇ２）の頂部（1）を比較的長さの短いアウターローラ（１２ａ）に取り付け、
そのキャンバス裾部（２ａ）をフロントバー（Ｆ２，Ｆ３）に取り付けてなる請求項１８、１９、３１、３２、３５又は４０に記載の可動オーニング装置。
【請求項４７】
出隅キャンバス（Ｇ２）の斜部（３ａ，３ｂ）に連結ワイヤ（５４１，５４２）を挿通し、
その基端部をアウターローラ（１２ａ）の先後両端部に取り付け、
その前端部をキャンバス裾部（２ａ）の先後両端付近のフロントバー（Ｆ２，Ｆ３）に取り付けてなる請求項４６に記載の可動オーニング装置。
【請求項４８】
インナーローラ（１１）の軸線方向に、案内溝（１１１）と案内突条（１１２）を形成してなる請求項１、２、１８、１９、３５又は４０に記載の可動オーニング装置。
【請求項４９】
アウターローラ（１２，１２ａ）にエンドキャップ（１７１，１７２）を嵌め込み、
当該エンドキャップ（１７１，１７２）の内周面には、請求項４８に記載の案内溝（１１１）や案内突条（１１２）に嵌挿する案内突起（１７３）や案内溝（１７４）を形成してなる請求項１、２、１８、１９、３５又は４０に記載の可動オーニング装置。
【請求項５０】
出隅キャンバス（Ｇ１，Ｇ２）を巻き取り収納するケーシング（Ｋ１）に、エンドキャップ（１４１，１４２，１４６）を嵌め込み、
当該エンドキャップ（１４１，１４２，１４６）には、先後両端部にエンドキャップ（１５１，１５２，１５６）を嵌め込んだインナーローラ（１１）を軸受支持し、
当該インナーローラ（１１）には、先後両端部にエンドキャップ（１７１，１７２）を嵌め込んだアウターローラ（１２，１２ａ）を嵌挿支持してなる請求項４８又は４９に記載の可動オーニング装置。
【請求項５１】
インナーローラ（１１）の軸端部に、当該インナーローラ（１１）とアウターローラ（１２，１２ａ）を正逆回転する手動装置又は電動装置を組み込んでなる請求項１、２、１８、１９、３５又は４０に記載の可動オーニング装置。
【請求項５２】
インナーローラ（１１）の内部に、当該インナーローラ（１１）とアウターローラ（１２，１２ａ）を正逆回転する電動モータ（Ｍ１）を組み込んでなる請求項１、２、１８、１９、３５又は４０に記載の可動オーニング装置。
【請求項５３】
電動モータ（Ｍ１）の先後両端部に、モータ出力軸（２７１）と固定用軸部（２７２）を設け、
一方のモータ出力軸（２７１）に嵌め込んだ伝動ソケット（２８１）を、インナーローラ（１１）の内部に嵌め込み、
前記電動モータ（Ｍ１）の後方部をインナーローラ（１１）のエンドキャップ（１５２）に嵌挿し、
他方の固定用軸部（２７２）をケーシング（Ｋ１）のエンドキャップ（１４２）に嵌め込んでなる請求項５２に記載の可動オーニング装置。
【請求項５４】
インナーローラ（１１）の内部に、アウターローラ（１２，１２ａ）の正逆回転力を弾性エネルギーとして蓄積したり、放出するコイルスプリング（４７１）を組み込んでなる請求項１、２、１８、１９、３５、４０又は５２に記載の可動オーニング装置。
【請求項５５】
コイルスプリング（４７１）に固定軸（４９１）を貫挿し、
当該固定軸（４９１）の先端部に嵌め込んだバネ止めソケット（４８１）に、前記コイルスプリング（４７１）の一方を係止してインナーローラ（１１）の内部に挿通し、
前記固定軸（４９１）の他方をインナーローラ（１１）のエンドキャップ（１５２）に貫通し、
当該エンドキャップ（１５２）に前記コイルスプリング（４７１）の他方を係止した上で、ケーシング（Ｋ１）のエンドキャップ（１４２）に嵌め込んでなる請求項５４に記載の可動オーニング装置。
【請求項５６】
矩形キャンバス（Ｐ１，Ｐ２）の本体部に平面Ｘ字状又はＶ字状の通孔を形成し、
その内部に挿通した連結ワイヤの一方を巻取りローラ（３０，３０ａ）に、その他方をフロントバー（Ｒ２，Ｒ３）にそれぞれ連結してなる請求項１８、１９又は３５に記載の可動オーニング装置。
【請求項５７】
入隅キャンバス（Ｐ３，Ｐ４）を、ほぼ直角逆台形状の展開形態に形成し、
当該入隅キャンバス（Ｐ３，Ｐ４）の頂部（５ａ）を巻取りローラ（３０，３０ａ）に取り付け、
そのキャンバス裾部（６）をフロントバー（Ｒ２，Ｒ３）に取り付け、
入隅キャンバス（Ｐ３，Ｐ４）の本体矩形部に平面Ｘ字状の通孔を形成し、
その内部に挿通した連結ワイヤの一方を巻取りローラ（３０，３０ａ）に、その他方をフロントバー（Ｒ２，Ｒ３）にそれぞれ取り付けてなる請求項３０に記載の可動オーニング装置。
【請求項５８】
巻取りローラ（３０，３０ａ）に電動モータ（Ｍ２）を内蔵し、その先後両端部にモータ出力軸（４５１）と固定用軸部（４５２）を設け、
その内、一方のモータ出力軸（４５１）に嵌め込んだ伝動ソケット（４６１）を、巻取りローラ（３０，３０ａ）の内部に嵌め込み、
前記電動モータ（Ｍ２）の後方部を巻取りローラ（３０，３０ａ）のエンドキャップ（４４２）に嵌挿し、
他方の固定用軸部（４５２）をケーシング（Ｋ２）のエンドキャップ（４０２）に嵌め込んでなる請求項１８、１９、３０又は３５に記載の可動オーニング装置。
【請求項５９】
巻取りローラ（３０，３０ａ）の内部に、その正逆回転力を弾性エネルギーとして蓄積したり、放出するコイルスプリング（４１１）を組み込んでなる請求項１８、１９、３０、３５又は５８に記載の可動オーニング装置。
【請求項６０】
コイルスプリング（４１１）に固定軸（４３１）を貫挿し、
当該固定軸（４３１）の先端部に嵌め込んだバネ止めソケット（４２１）に、前記コイルスプリング（４１１）の一方を係止して巻取りローラ（３０，３０ａ）の内部に挿通し、
前記固定軸（４３１）の他方を巻取りローラ（３０，３０ａ）のエンドキャップ（４４２）に貫通し、
当該エンドキャップ（４４２）に前記コイルスプリング（４１１）の他方を係止した上で、ケーシング（Ｋ２）のエンドキャップ（４０２）に固定してなる請求項５９に記載の可動オーニング装置。
【請求項６１】
フロントバー（Ｆ１〜Ｆ３）に、出隅キャンバス（Ｇ１，Ｇ２）の横行操作用掛止部（２４１）を設けてなる請求項１、２、１８、１９、３０、３５又は４０に記載の可動オーニング装置。
【請求項６２】
出隅キャンバス（Ｇ１）の頂部（１）付近に、出隅キャンバス（Ｇ１）の横行操作用掛止フラップ（２４２）を設けてなる請求項１、２、１８、１９、３０、３５又は４０に記載の可動オーニング装置。
【請求項６３】
アウターローラ（１２）に、出隅キャンバス（Ｇ１）の横行操作用係合孔（２４４）を設けてなる請求項１、２、１８、１９、３５又は４０に記載の可動オーニング装置。
【請求項６４】
折畳みアーム（Ｖ１、Ｙ１、Ｉ１、Ｚ１）の一方と、出隅キャンバス（Ｇ１，Ｇ２）のフロントバー（Ｆ１〜Ｆ３）に、当該フロントバー（Ｆ１〜Ｆ３）を横行スライドするロープやワイヤ等の伝動部材（５６１，５６２、６６）を掛け渡してなる請求項１、２、１８、１９、３０、３５又は４０に記載の可動オーニング装置。
【請求項６５】
伝動部材（５６１，５６２）の一方を後退用とし、他方を前進用とし、折畳みアーム（Ｖ１，Ｙ１，Ｉ１）の基端部付近から垂れ下げてなる請求項６４に記載の可動オーニング装置。
【請求項６６】
インナーローラ（１１）の先端部に、伝動ワイヤ（５６１，５６２）の巻取りリール（６０，６０ａ，６０ｂ）を組み付け、
当該巻取りリール（６０，６０ａ，６０ｂ）を正逆回転することにより、展開した出隅キャンバス（Ｇ１，Ｇ２）を横行スライドしてなる請求項１、２、１８、１９、３０、３５又は４０に記載の可動オーニング装置。
【請求項６７】
一方の折畳みアーム（Ｖ１、Ｙ１、Ｉ１）と、出隅キャンバス（Ｇ１，Ｇ２）のフロントバー（Ｆ１〜Ｆ３）に、当該フロントバー（Ｆ１〜Ｆ３）を横行スライドする後退用と前進用の伝動ワイヤ（５６１，５６２）を掛け渡し、
当該伝動ワイヤ（５６１，５６２）の一方を巻き取り、その他方を巻き戻す巻取りリール（６０，６０ａ，６０ｂ）を、インナーローラ（１１）の先端部に組み付けてなる請求項１、２、１８、１９、３０、３５、４０又は６６に記載の可動オーニング装置。
【請求項６８】
伝動ワイヤ（５６１，５６２）の一方を巻き取り、その他方を巻き戻す巻取りリール（６０）を正逆回転する電動モータ（Ｍ４）と、出隅キャンバス（Ｇ１，Ｇ２）を巻き取ったり、巻き戻す巻取りローラ（Ｊ４）を正逆回転する電動モータ（Ｍ１）を、インナーローラ（１１）の内部に組み込んでなる請求項５２、６４、６６又は６７に記載の可動オーニング装置。
【請求項６９】
インナーローラ（１１）の先端部に電動モータ（Ｍ４）の本体後半部を挿通し、
当該電動モータ（Ｍ４）の本体前半部に巻取りリール（６０）を嵌め込んで固定し、
当該電動モータ（Ｍ４）の先端軸部（５９１）をケーシング（Ｋ１）のエンドキャップ（１４６）に固定してなる請求項６８に記載の可動オーニング装置。
【請求項７０】
インナーローラ（１１）の内部に、巻取りローラ（Ｊ５，Ｊ６）と巻取りリール（６０，６０ａ，６０ｂ）を正逆回転する１体の電動モータ（Ｍ５、Ｍ６）又は駆動軸（７３）を組み込み、
前記巻取りローラ（Ｊ５，Ｊ６）と巻取りリール（６０，６０ａ，６０ｂ）のいずれか一方の動作を外部から拘束することで、その回転を制止すると、他方の巻取りローラ（Ｊ５）と巻取りリール（６０，６０ａ，６０ｂ）のいずれかが反動回転するか、或いは、逆回転するようにしてなる請求項６４、６６又は６７に記載の可動オーニング装置。
【請求項７１】
巻取りローラ（Ｊ５〜Ｊ７）の回転を外部から制止する手段が、
アウターローラ（１２，１２ａ）の後端部に取り付けた回転ストッパー（６１１）と、
当該回転ストッパー（６１１）が係止する案内突起（１３５）とからなり、
当該案内突起（１３５）を、出隅キャンバス（Ｇ１，Ｇ２）を巻き取り収納するケーシング（Ｋ１）の背面内壁部に設けてなる請求項５０又は７０に記載の可動オーニング装置。
【請求項７２】
インナーローラ（１１）の先端部に電動モータ（Ｍ５）の本体後半部を挿通し、
当該電動モータ（Ｍ５）の後端出力軸（５９４）を、前記インナーローラ（１１）の内部に嵌挿した伝動ソケット（２８１）に嵌め込んで固定し、
当該電動モータ（Ｍ５）の本体前半部に巻取りリール（６０）を嵌め込んで固定し、
当該電動モータ（Ｍ５）の先端支軸（５９３）を、出隅キャンバス（Ｇ１，Ｇ２）を巻き取り収納するケーシング（Ｋ１）のエンドキャップ（１４６）に軸受支持してなる請求項５０又は７０に記載の可動オーニング装置。
【請求項７３】
電動モータ（Ｍ６）の本体部又は手動回転する駆動軸（７３）に太陽歯車（７０）を嵌め込み、
巻取りリール（６０ａ，６０ｂ）に内歯歯車（７１）を形成し、
前記太陽歯車（７０）と内歯歯車（７１）に噛み合う遊星歯車（７２）を、インナーローラ（１１）の先端部に取り付けてなる請求項７０に記載の可動オーニング装置。
【請求項７４】
インナーローラ（１１）の先端部に電動モータ（Ｍ６）の本体後半部を挿通し、
当該電動モータ（Ｍ６）の本体後方部を、前記インナーローラ（１１）の内部に嵌挿した伝動ソケット（２８３）に嵌挿し、
当該電動モータ（Ｍ６）の先端部に巻取りリール（６０ａ）を嵌挿し、
当該電動モータ（Ｍ６）の先端軸部（５９１）を、出隅キャンバス（Ｇ１，Ｇ２）を巻き取り収納するケーシング（Ｋ１）のエンドキャップ（１４６）に固定してなる請求項７０に記載の可動オーニング装置。
【請求項７５】
インナーローラ（１１）の先端部に駆動軸（７３）の後半部を挿通し、
当該駆動軸（７３）の後端付近を、前記インナーローラ（１１）の内部に嵌挿した伝動ソケット（２８３）に嵌挿し、
当該駆動軸（７３）の先端寄りの位置に巻取りリール（６０ｂ）を嵌挿すると共に、手動の歯車装置（１６１，１６２）を形成し、
前記駆動軸（７３）の先端部を、出隅キャンバス（Ｇ１，Ｇ２）を巻き取り収納するケーシング（Ｋ１）のエンドキャップ（１４６）に軸受支持してなる請求項７０に記載の可動オーニング装置。
【請求項７６】
壁際部分の上部側に出隅キャンバス（Ｇ１，Ｇ２）の巻取りローラ（Ｊ１〜Ｊ７）を備えたケーシング（Ｋ１）を取り付け、下部側に矩形キャンバス（Ｐ１，Ｐ２）の巻取りローラ（３０，３０ａ）を備えたケーシング（Ｋ２）を取り付けた場合であって、
前記出隅キャンバス（Ｇ１，Ｇ２）のフロントバー（Ｆ２，Ｆ３）の上部後端縁に、当該キャンバス（Ｇ１，Ｇ２）の裾部（２，２ａ）を押し上げ付勢する揺動フラップ（６２）を取り付けてなる請求項１８、１９又は３５に記載の可動オーニング装置。
【請求項７７】
壁際部分の上部側に矩形キャンバス（Ｐ１，Ｐ２）の巻取りローラ（３０，３０ａ）を備えたケーシング（Ｋ２）を取り付け、下部側に出隅キャンバス（Ｇ１，Ｇ２）の巻取りローラ（Ｊ１〜Ｊ７）を備えたケーシング（Ｋ１）を取り付けた場合であって、
前記矩形キャンバス（Ｐ１，Ｐ２）のフロントバー（Ｒ２，Ｒ３）の上部後端縁に、当該キャンバス（Ｐ１，Ｐ２）の裾部（６）を押し上げ付勢する揺動フラップ（６２）を取り付けてなる請求項１８、１９又は３５に記載の可動オーニング装置。
【請求項７８】
壁際部分の上部側に出隅キャンバス（Ｇ１，Ｇ２）の巻取りローラ（Ｊ１〜Ｊ７）を備えたケーシング（Ｋ１）を取り付け、下部側に入隅キャンバス（Ｐ３，Ｐ４）の巻取りローラ（３０，３０ａ）を備えたケーシング（Ｋ２）を取り付けた場合であって、
前記出隅キャンバス（Ｇ１，Ｇ２）のフロントバー（Ｆ２，Ｆ３）の上部後端縁に、当該キャンバス（Ｇ１，Ｇ２）の裾部（２，２ａ）を押し上げ付勢する揺動フラップ（６２）を取り付けてなる請求項３０に記載の可動オーニング装置。
【請求項７９】
壁際部分の上部側と下部側に、出隅キャンバス（Ｇ１）の巻取りローラ（Ｊ１〜Ｊ７）を備えたケーシング（Ｋ１）の２体を、先後対称に取り付けた場合であって、
上部側の出隅キャンバス（Ｇ１）のフロントバー（Ｆ４）の上部後端縁に、当該キャンバス（Ｇ１）の裾部（２）を押し上げ付勢する揺動フラップ（６２）を取り付けてなる請求項４０に記載の可動オーニング装置。
【請求項８０】
壁際部分の上部側に出隅キャンバス（Ｇ１，Ｇ２）の巻取りローラ（Ｊ１〜Ｊ７）を備えたケーシング（Ｋ１）を取り付け、下部側に矩形キャンバス（Ｐ１，Ｐ２）の巻取りローラ（３０，３０ａ）を備えたケーシング（Ｋ２）を取り付けた場合であって、
前記出隅キャンバス（Ｇ１，Ｇ２）のフロントバー（Ｆ２，Ｆ３）の上部後端縁と、出隅キャンバス（Ｇ１，Ｇ２）の裾部（２，２ａ）寄りの裏面に伸縮ネット（６３１）を編成してなる請求項１８、１９又は３５に記載の可動オーニング装置。
【請求項８１】
壁際部分の上部側に矩形キャンバス（Ｐ１，Ｐ２）の巻取りローラ（３０，３０ａ）を備えたケーシング（Ｋ２）を取り付け、下部側に出隅キャンバス（Ｇ１，Ｇ２）の巻取りローラ（Ｊ１〜Ｊ７）を備えたケーシング（Ｋ１）を取り付けた場合であって、
前記矩形キャンバス（Ｐ１，Ｐ２）のフロントバー（Ｒ２，Ｒ３）の上部後端縁と、矩形キャンバス（Ｐ１，Ｐ２）の裾部（６）寄りの裏面に伸縮ネット（６３１）を編成してなる請求項１８、１９又は３５に記載の可動オーニング装置。
【請求項８２】
壁際部分の上部側に出隅キャンバス（Ｇ１，Ｇ２）の巻取りローラ（Ｊ１〜Ｊ７）を備えたケーシング（Ｋ１）を取り付け、下部側に入隅キャンバス（Ｐ３，Ｐ４）の巻取りローラ（３０，３０ａ）を備えたケーシングＫ２を取り付けた場合であって、
前記出隅キャンバス（Ｇ１，Ｇ２）のフロントバー（Ｆ２，Ｆ３）の上部後端縁と、出隅キャンバス（Ｇ１，Ｇ２）の裾部（２，２ａ）寄りの裏面に伸縮ネット（６３１）を編成してなる請求項３０に記載の可動オーニング装置。
【請求項８３】
壁際部分の上部側と下部側に、出隅キャンバス（Ｇ１）の巻取りローラ（Ｊ１〜Ｊ７）を備えたケーシング（Ｋ１）の２体を、先後対称に取り付けた場合であって、
上部側の出隅キャンバス（Ｇ１）のフロントバー（Ｆ４）の上部後端縁と、出隅キャンバス（Ｇ１）の裾部（２）寄りの裏面に伸縮ネット（６３１）を編成してなる請求項４０に記載の可動オーニング装置。
【請求項８４】
キャンバス展開時の最終段階で、出隅キャンバス（Ｇ１，Ｇ２）や矩形キャンバス（Ｐ１，Ｐ２）又は入隅キャンバス（Ｐ３，Ｐ４）のいずれか一方又は両方のキャンバス頂部（１，５）寄りの位置を、ケーシング（Ｋ１〜Ｋ３）に取り付けた揺動フラップ（９７）によって押し下げたり、突き上げてなる請求項１８、１９、３０又は３５に記載の可動オーニング装置。
【請求項８５】
キャンバス展開時の最終段階で、キャンバス頂部（１，５）寄りの位置に形成した突起部（９９）や係合孔に揺動フラップ（９７）が係止され、当該キャンバスが更に引き出されることで前記揺動フラップ（９７）が揺動し、前記キャンバス頂部寄りの位置を押し下げたり、突き上げてなる請求項８４に記載の可動オーニング装置。
【請求項８６】
出隅キャンバス（Ｇ１，Ｇ２）の巻取りローラ（Ｊ１〜Ｊ７）と、矩形キャンバス（Ｐ１，Ｐ２）の巻取りローラ（３０，３０ａ）を、１体のケーシング（Ｋ３）の上部側と下部側に組み込んでなる請求項１８、１９又は請求項３５に記載の可動オーニング装置。
【請求項８７】
後方へ延伸した巻取りローラ（Ｊ１〜Ｊ７）のインナーローラ（１１ａ）と、巻取りローラ（３０，３０ａ）を、平歯車（５１１，５１２）により噛み合い係合してなる請求項８６に記載の可動オーニング装置。
【発明の詳細な説明】
【技術分野】
【０００１】
本発明は、出隅キャンバスの横行スライド構造を備えたシングルタイプと複合タイプの可動オーニング装置に関し、各種建築物の出隅部のコーナー空間部を、また、同コーナー空間部を含む出隅部や入隅部等の建物外回りを体裁良く覆うために使用される。
【背景技術】
【０００２】
従来、可動オーニング装置は、建物の壁際部分に軸受支持した巻取りローラに、通常、前方へ向かって前傾状態に展開する矩形状のキャンバスを、手動ハンドルや電動モータ等により巻き取ったり、巻き戻し、前記キャンバスの裾部を取り付けたフロントバーを、ほぼ水平方向へ折り畳み自在とする二つ折れアームやｙ字アーム等により緊張状態に展開支持したり（折り畳みアーム方式；Folding arm）、或いは、展開した矩形キャンバスのフロントバーの両端部を、ほぼ垂直方向に起倒動操作する折畳みアームやパンタグラフ構造の伸縮リンク等により支持し（ラテラルアーム方式；Lateral arm）、その多くは、テラスや店舗外廻りの日除けや雨除けとして、或いは、建築物や店舗装飾の一環として施設している（例えば、下記の非特許文献１〜２参照。以下、前者という）。
【０００３】
他方、建築物の出隅部のコーナー空間部を覆うため、従来、次の（ａ）〜（ｄ）に示す構成を備えた可動オーニング装置が提案されている（例えば、下記の特許文献１参照。以下、後者という）。
（ａ）、コーナー端部の固定ブラケットに、装置全体を組み込むオーニング支持枠を斜め前方へ張り出して支持し、ほぼ直角三角形状キャンバスの長辺を電動モータにより巻き取ったり、巻き戻す巻取りローラの２体を、オーニング支持枠の先後両端部に軸受支持する。
（ｂ）、そして、拡開方向へ付勢した折畳みアームの基端部をベースパイプの中間付近に取り付け、その先端部のアームホルダーに三角形キャンバスの頂部を取り付ける。
（ｃ）、また、オーニング支持枠の先端部に化粧パネルを拡開自在に枢設し、当該化粧パネルの後方部の溝部に沿ってアームホルダーを摺動自在に支持する。
（ｄ）、更には、オーニング支持枠の先端寄りをワイヤロープで吊り上げて支持し、また、巻上げ機によりコーナー端部の後部上方へ引き上げて、装置全体を倒立状態に格納する。
【先行技術の文献情報リスト】
【０００４】
【特許文献１】
実公平４−４０３３６号公報
【特許文献２】
特開２００２−３５６９６９号公報
【非特許文献１】
「オーニング販売マニュアル」、日本オーニング協会、平成１６年（２００４）１月、p.９−１５
【非特許文献２】
「オーニング−日除け−日本オーニング協会−ＪＡＡ」[online]、日本オーニング協会、「２００４年８月１７日検索」、インターネット
＜URL:http://www.awning.org/index.html＞
【発明の開示】
【発明が解決しようとする課題】
【０００５】
前者のオーニング装置は、主に、建物外回りの直線区間を対象としており、出隅部のコーナー空間部を覆うことができない。そこを敢えて覆うとすれば、巻取りローラを出隅部からコーナー空間部へ食み出して取り付けることになる。
多くの場合、建築物における出隅部は、２方向の歩車道に面していたり、交差点に面しており、不特定多数人の目に触れる位置にあり、店舗として、また、広告宣伝効果に優れる等、営業上の好条件を兼ね備えている場所にある。
そのような目立つ場所に組み込まれるオーニング装置が、出隅部から食み出した状態のまま矩形キャンバスを巻取り収納せざるを得ないことでは、オーニング装置としての技術的な興趣や体裁性に欠ける。
【０００６】
他方、後者のオーニング装置は、コーナー空間部に展開した三角キャンバスを、出隅部のコーナー端部で片持ち支持している為、コーナー端部に張り出した固定ブラケットに装置全体の負荷が集中する。また、オーニング支持枠をワイヤロープで吊り上げている為、キャンバス展開時における装置全体の左右揺動を惹き起こし易く、特に、風による影響を受け易い不安定なものである。その上、装置全体をワイヤロープで吊り上げ、コーナー端部に引き上げて鉛直に倒立格納する為、ワイヤロープの劣化切断の事態を考慮したとき頭上落下が懸念される。また、倒立格納により、装置全体の裏側がコーナー端部の前面に露呈することになり、格納時の体裁性を損なう。
【０００７】
そこで、本発明者は、出隅部のコーナーキャンバス（以下、出隅キャンバスという）を巻き戻しながら斜め前方のコーナー空間部へ平行に押し出して展開したり、それとは逆に、展開した出隅キャンバスを巻き取りながら斜め後方へ平行に引き込んで巻き上げ収納することで、前記の技術課題に対処することのできる折畳みアーム方式で、シングルタイプの可動オーニング装置を提供した（下記の国際特許出願１参照）。
【０００８】
また、前記の先願発明を一段と技術的に進歩発展させ、更には、建築物の出隅部とその隣接する直線区間や、出隅部と入隅部や、一方の出隅部と他方の出隅部等を含む建物外回りを、出隅キャンバスと矩形キャンバス、入隅キャンバス等により一段と体裁良く効率的に覆うことを可能とする折畳みアーム方式で、複合タイプの可動オーニング装置を提供した（下記の国際特許出願２参照）。
【先行出願のリスト】
【０００９】
【国際特許出願１】
ＰＣＴ／ＪＰ２００４／９７５１（０１．０７．２００４）
【国際特許出願２】
ＰＣＴ／ＪＰ２００５／４８４３（１０．０３．２００５）
【００１０】
本発明では、前記した先行出願に係る発明と主要部を同じくする出隅キャンバスの巻取りローラを備えながら、壁際部分から手前側へ展開した出隅キャンバスを、前進移動させることでコーナー空間部へ張り出したり、出隅キャンバスの収納時には後退移動した上で巻き上げ収納する、横行スライド構造を備えた折畳みアーム方式で、シングルタイプと複合タイプの可動オーニング装置を提供する。
また、同じく横行スライド構造を備えたラテラルアーム方式で、複合タイプの可動オーニング装置をも提供する。
そして、本発明の実施化を企図する上で想定される種々の関連する技術課題に対処する付帯装置をも提供する。
以下、シングルタイプの場合を、シングル装置又はシングルオーニング装置といい、複合タイプの場合を、複合装置又は複合オーニング装置という。
【００１１】
尚、スライド構造のオーニング装置として、従来、鉛直に立ち上げた支柱上端に棟木を差し渡し、当該棟木の両側部に矩形キャンバスを両流れ屋根風に展開する折畳みアームを備えた独立型の可動テント装置を構成し、その可動テントの全体を前記棟木に沿って横行移動することで、日除け範囲を変更自在とする発想の実施例を開示している（例えば、前記の特許文献２参照。）。
ところが、そこには前記した本発明の課題解決に資するような格別な構成上の関連性を見出し得ないばかりか、建物のコーナー空間部を体裁良く覆うことに対する認識を有していない。
【課題を解決するための手段】
【００１２】
シングルタイプの可動オーニング装置Ｓ１ａ〜Ｓ１ｄに関する発明（以下、第1発明という）と、その効果について
第1発明は、（１）・・・出隅キャンバスＧ１，Ｇ２を巻き取ったり、巻き戻す巻取りローラＪ１〜Ｊ７を、インナーローラ１１と、当該インナーローラ１１の軸線方向へスライド自在に嵌挿したアウターローラ１２，１２ａとから形成し、前記キャンバスＧ１，Ｇ２のフロントバーＦ１を横行案内レールＲ１に嵌挿支持し、当該案内レールＲ１を折畳みアームＶ１，Ｖ２、Ｙ１，Ｙ２、Ｉ１，Ｉ２により平行移動するように構成したことを特徴とする。
言い換えれば、（２）・・・出隅キャンバスＧ１，Ｇ２と、それをインナーローラ１１と、当該インナーローラ１１の軸線方向へスライド自在に嵌挿したアウターローラ１２，１２ａに巻き取ったり、巻き戻す巻取りローラＪ１〜Ｊ７と、前記キャンバスＧ１，Ｇ２の裾部２，２ａを支持するフロントバーＦ１と、当該フロントバーＦ１を嵌挿する横行案内レールＲ１と、当該案内レールＲ１を平行移動するように支持した折畳みアームＶ１，Ｖ２、Ｙ１，Ｙ２、Ｉ１，Ｉ２とを備えている。
前記（１）、（２）により、出隅部Ｎ１のコーナー空間部を体裁良く覆うことができ、逆に、出隅部Ｎ１から食み出すことなくコーナー付近へ体裁良く、コンパクトに収納することができる。
【００１３】
また、第１発明の作動過程として、（３）・・・巻取りローラＪ１〜Ｊ７に巻き取った出隅キャンバスＧ１，Ｇ２を、巻き戻して展開した上で、インナーローラ１１と横行案内レールＲ１に沿って横行スライドすることによりコーナー空間部へ張り出す。
それとは逆に、（４）・・・コーナー空間部へ張り出した出隅キャンバスＧ１，Ｇ２を、その展開状態を維持したままインナーローラ１１と横行案内レールＲ１に沿って後方へ横行スライドした上で、巻取りローラＪ１〜Ｊ７に巻き取る。
前記（３）、（４）により、展開した出隅キャンバスＧ１，Ｇ２のコーナー空間部への前進移動や、当該空間部へ張り出した出隅キャンバスＧ１，Ｇ２の後退移動が、安定して円滑、確実に行うことができる。
【００１４】
そこで、第1発明の具体的な構成に関する種々の従属発明を、以下に列記する。
尚、各項末尾の括弧内に付記する符号は、開示した実施例や図面中のシングル装置や複合装置を示している。
（５）・・・折畳みアームが、二つ折れ自在に連結したＶ字アームＶ１，Ｖ２であって、当該アームＶ１，Ｖ２の基端部を巻取りローラＪ１〜Ｊ７の先端付近と中間付近の下部位置に取り付け、そのアーム前端部を横行案内レールＲ１の先後両端付近に取り付ける（Ｓ１ａ）。
（６）・・・インナーローラ１１の先端部にベルト車３９２を嵌め込み、当該ベルト車３９２と横行案内レールＲ１の先端部に同調ベルト３９１を掛け渡し、当該同調ベルト３９１を前記ベルト車３９２に巻き取ったり、巻き戻す（Ｓ１ｂ）。
これにより、出隅キャンバスの巻き取り、巻き戻しが均衡を保持しつつ行われる。
【００１５】
（７）・・・折畳みアームが、主リンク２９１と副リンク２９２を逆ｙ字状にリンク構成したＹ字アームＹ１，Ｙ２であって、前記副リンク２９２の前端部を横行案内レールＲ１の先後両端付近に取り付け、主リンク２９１の前端部を当該案内レールＲ１に沿ってスライド自在に支持する（Ｓ１ｃ）。
（８）・・・前記（５）に記載のＶ字アームＶ１，Ｖ２の内、装置先端部のＶ字アームＶ１を、主リンク２９１と副リンク２９２を逆ｙ字状にリンク構成したＹ字アームＹ１に置換し、前記副リンク２９２の前端部を横行案内レールＲ１の先後両端付近に取り付け、主リンク２９１の前端部を当該案内レールＲ１に沿ってスライド自在に支持する（Ｓ１ｃ）。
前記（７）、（８）により、平行移動するフロントバーに対する振れ止め効果が向上し、出隅キャンバスの横行スライドが円滑に行われる。
【００１６】
（９）・・・折畳みアームが、間隔を隔てて平行に形成した直線状のＩ字アームＩ１，Ｉ２であって、一方のＩ字アームＩ１の基端部を出隅部Ｎ１のコーナー付近に取り付け、その先端部を横行案内レールＲ１の中間付近に取り付け、他方のＩ字アームＩ２の基端部を前記コーナー付近から適宜間隔を隔てた中間付近に取り付け、その前端部を横行案内レールＲ１の後部付近に取り付け、当該Ｉ字アームＩ１，Ｉ２により横行案内レールＲ１を斜め方向へ平行移動自在に構成する（Ｓ１ｄ）。
【００１７】
また、出隅キャンバスＧ１，Ｇ２のフロントバーＦ１を、円滑に横行スライドさせる上での従属発明を、以下に列記する。
（１０）・・・横行案内レールＲ１に、出隅キャンバスＧ１，Ｇ２のフロントバーＦ１を転動自在に嵌挿支持する。
（１１）・・・横行案内レールＲ１が、背面板部２３１とその前面に突出したレール部２３２とからなり、当該レール部２３２の上下位置に間隔を隔てて小車輪２３４，２３５を取り付ける。
（１２）・・・フロントバーＦ１が、背面中央部を開口形成した上板部２０１と前板部２０２と底板部２０３とからなるボックス状の断面形態を呈し、当該フロントバーＦ１の上部室と下部室に、横行案内レールＲ１の小車輪２３４，２３５を臨ませて嵌め込む。
【００１８】
（１３）・・・前記（１）、（２）に記載の可動オーニング装置Ｓ１ａ〜Ｓ１ｄの２体を、出隅部Ｎ１の一方と他方のコーナー位置に向かい合わせて取り付け、それぞれの巻取りローラＪ１〜Ｊ７のアウターローラ１２とフロントバーＦ１に、出隅キャンバスＧ１の頂部１と裾部２を取り付ける。
これにより、出隅部Ｎ１のコーナー空間部を含む建物外回りが体裁良く覆われ、また、出隅部から食み出すことなくコーナー部分へのコンパクトな壁面収納がなされる。
（１４）・・・前記（１３）に記載の巻取りローラＪ１〜Ｊ７の先端部を向かい合わせたコーナー部分に、一方と他方のインナーローラ１１を連動させる手動装置や歯車装置を組み込む。
これにより、一方と他方の出隅キャンバスＧ１の動作が連動し、一方の電動装置を不要としたり、手動装置を簡素化する。
【００１９】
次に、第1発明のシングル装置Ｓ１ａ〜Ｓ１ｄに、矩形キャンバスＰ１の可動オーニング装置Ｑを組み合わせる場合の従属発明を列記する。
（１５）・・・前記（１）、（２）の可動オーニング装置Ｓ１ａ〜Ｓ１ｄに、矩形キャンバスＰ１を巻き取ったり、巻き戻す巻取りローラ３０と、当該矩形キャンバスＰ１の裾部６を取り付けるフロントバー３１と、当該フロントバー３１を平行移動するように支持した折畳みアームＶ３、Ｖ４とからなる可動オーニング装置Ｑを組み合わせるに、出隅キャンバスＧ１の巻取りローラＪ１〜Ｊ７の後半部位に、矩形キャンバスＰ１の巻取りローラ３０の前半部位を上下に間隔を隔てて重ね合わせたことを特徴とする。
これにより、出隅部Ｎ１のコーナー空間部とそれに続く直線区間の外回りが、恰も一体物のように体裁良く覆うことができる。
【００２０】
（１６）・・・前記（１５）に記載した一方の巻取りローラＪ１〜Ｊ７に巻き取る出隅キャンバスＧ１，Ｇ２を下巻きし、他方の巻取りローラ３０に矩形キャンバスＰ１を上巻きする。
（１７）・・・前記（１５）に記載した一方の巻取りローラＪ１〜Ｊ７に巻き取る出隅キャンバスＧ１，Ｇ２を上巻きし、他方の巻取りローラ３０に巻き取る矩形キャンバスＰ１を下巻きする。
前記（１６）、（１７）により、展開した両キャンバスＧ１，Ｇ２，Ｐ１の境界付近での段差が極力目立たないように配慮している。
【００２１】
第1グループの複合装置に関する発明（以下、第２発明という）と、その効果について
第２発明は、（１８）・・・出隅キャンバスＧ１，Ｇ２を巻き取ったり、巻き戻す巻取り装置を備えた出隅用オーニング装置Ｓ１，Ｓ２と、矩形キャンバスＰ１，Ｐ２を巻き取ったり、巻き戻す巻取り装置を備えた矩形オーニング装置Ｑ１，Ｑ２とを組み合わせた可動オーニング装置であって、
前記出隅用オーニング装置Ｓ１，Ｓ２には、出隅キャンバスＧ１，Ｇ２の巻取りローラＪ１〜Ｊ７とフロントバーＦ２，Ｆ３を備え、当該巻取りローラＪ１〜Ｊ７をインナーローラ１１と、当該インナーローラ１１に嵌挿したアウターローラ１２，１２ａとから形成し、
前記矩形オーニング装置Ｑ１，Ｑ２には、矩形キャンバスＰ１，Ｐ２の巻取りローラ３０，３０ａとフロントバーＲ２，Ｒ３を備え、当該フロントバーＲ２，Ｒ３を折畳みアームＶ１，Ｖ２、Ｙ１，Ｙ２、Ｚ１，Ｚ２、Ｚ３，Ｚ４により支持すると共に、前記出隅キャンバスＧ１，Ｇ２のフロントバーＦ２，Ｆ３を嵌挿支持したことを特徴とする。
言い換えれば、（１９）・・・出隅キャンバスＧ１，Ｇ２を巻き取ったり、巻き戻す巻取り装置を備えた出隅用オーニング装置Ｓ１，Ｓ２と、矩形キャンバスＰ１，Ｐ２を巻き取ったり、巻き戻す巻取り装置を備えた矩形オーニング装置Ｑ１，Ｑ２とを組み合わせた可動オーニング装置であって、
前記出隅用オーニング装置Ｓ１，Ｓ２を、出隅キャンバスＧ１，Ｇ２と、それをインナーローラ１１と、当該インナーローラ１１に嵌挿したアウターローラ１２，１２ａに巻き取ったり、巻き戻す巻取りローラＪ１〜Ｊ７と、出隅キャンバスＧ１，Ｇ２の裾部２を支持するフロントバーＦ２，Ｆ３とから形成し、
前記矩形オーニング装置Ｑ１，Ｑ２を、長短いずれかの矩形キャンバスＰ１，Ｐ２と、それを巻き取ったり、巻き戻す長短いずれかの巻取りローラ３０，３０ａと、矩形キャンバスＰ１，Ｐ２の裾部６を支持すると共に、出隅キャンバスＧ１，Ｇ２のフロントバーＦ２，Ｆ３を嵌挿するフロントバーＲ２，Ｒ３と、当該フロントバーＲ２，Ｒ３を支持する折畳みアームＶ１，Ｖ２、Ｙ１，Ｙ２、Ｚ１，Ｚ２、Ｚ３，Ｚ４とから構成したことを特徴とする。
前記（１８）、（１９）により、出隅部Ｎ１のコーナー空間部と、それに続く直線区間を含む建物外回りが、一体的に体裁良く覆われる。
【００２２】
また、第２発明の作動過程として、（２０）・・・出隅キャンバスＧ１，Ｇ２の巻取りローラＪ１〜Ｊ７と矩形キャンバスＰ１，Ｐ２の巻取りローラ３０，３０ａに、それぞれ巻き取った出隅キャンバスＧ１，Ｇ２と矩形キャンバスＰ１，Ｐ２を同期させて巻き戻すことにより展開し、展開した出隅キャンバスＧ１，Ｇ２をインナーローラ１１とフロントバーＲ２，Ｒ３に沿って横行スライドすることによりコーナー空間部へ張り出す。
それとは逆に、（２１）・・・コーナー空間部へ張り出した出隅キャンバスＧ１，Ｇ２を、その展開状態を維持したままインナーローラ１１とフロントバーＲ２，Ｒ３に沿って後方へ横行スライドした上で、当該出隅キャンバスＧ１，Ｇ２と矩形キャンバスＰ１，Ｐ２を、それぞれの巻取りローラＪ１〜Ｊ７、３０，３０ａに同期させて巻き取り収納する。
前記（２０）、（２１）により、出隅キャンバスＧ１，Ｇ２と矩形キャンバスＰ１，Ｐ２の展開作動と、展開した出隅キャンバスＧ１，Ｇ２のコーナー空間部への前進移動が、逆に、当該空間部へ張り出した出隅キャンバスＧ１，Ｇ２の後退移動と、両キャンバスＧ１，Ｇ２、Ｐ１，Ｐ２の巻き取り作動が円滑に行なわれる。
【００２３】
そこで、第２発明の具体的な構成に関する種々の従属発明を、以下に列記する。
（２２）・・・出隅キャンバスＧ１，Ｇ２の巻取りローラＪ１〜Ｊ７の後半部位と、矩形キャンバスＰ１の巻取りローラ３０の前半部位を上下に間隔を隔てて重ね合わせて支持し、当該矩形キャンバスＰ１のフロントバーＲ２，Ｒ３を、一方の巻取りローラＪ１〜Ｊ７の先端付近から他方の巻取りローラ３０の後端付近までの距離と同じ程度の長さに形成し、前記巻取りローラＪ１〜Ｊ７の先端付近と巻取りローラ３０の後端付近に、二つ折れ自在に連結したＶ字アームＶ１，Ｖ２の基端部を取り付け、当該アームＶ１，Ｖ２の前端部を前記フロントバーＲ２，Ｒ３の先後両端付近に取り付ける（ＳＱII１・２・５）。
（２３）・・・巻取りローラＪ１〜Ｊ７のインナーローラ１１の先端部にベルト車３９２を嵌め込み、当該ベルト車３９２とフロントバーＲ２，Ｒ３の先端部に同調ベルト３９１を張り渡し、当該同調ベルト３９１を前記ベルト車３９２に巻き取ったり、巻き戻す（ＳＱII２）。
（２４）・・・矩形キャンバスＰ１の巻取りローラ３０ａを巻取りローラＪ１〜Ｊ７の先端付近まで延長し、前記巻取りローラ３０ａの先端部と矩形キャンバスＰ１のフロントバーＲ２，Ｒ３の先端部に同調ベルト３９３を張り渡し、当該同調ベルト３９３を巻取りローラ３０ａの先端部に巻き取ったり、巻き戻す（ＳＱII３）。
前記（２３）、（２４）により、出隅キャンバスＧ１，Ｇ２と矩形キャンバスＰ１の巻き取り、巻き戻し時に不均衡な負荷が加わることを防止し、フロントバーＦ２，Ｒ２の平行移動が均衡して円滑に行われる。
【００２４】
（２５）・・・出隅キャンバスＧ１，Ｇ２の巻取りローラＪ１〜Ｊ７と、当該巻取りローラＪ１〜Ｊ７の先端付近まで延長した矩形キャンバスＰ２の巻取りローラ３０ａを、上下に間隔を隔てて重ね合わせて支持し、当該矩形キャンバスＰ２のフロントバーＲ２，Ｒ３を、前記巻取りローラＪ１〜Ｊ７の先端付近から巻取りローラ３０ａの後端付近までの距離と同じ程度の長さに形成し、前記長尺の巻取りローラ３０ａとフロントバーＲ２，Ｒ３に、長尺の矩形キャンバスＰ２を張り渡し、前記巻取りローラＪ１〜Ｊ７の先端付近と巻取りローラ３０ａの後端付近に、二つ折れ自在に連結したＶ字アームＶ１，Ｖ２の基端部を取り付け、当該アームＶ１，Ｖ２の前端部を前記フロントバーＲ２，Ｒ３の先後両端付近に取り付ける（ＳＱII４・ＳＱII６〜８）。
（２６）・・・折畳みアームが、主リンク２９１と副リンク２９２を逆ｙ字状にリンク構成したＹ字アームＹ１，Ｙ２であって、前記副リンク２９２の前端部をフロントバーＲ２，Ｒ３の先後両端付近に取り付け、前記主リンク２９１の前端部を当該フロントバーＲ２，Ｒ３に沿ってスライド自在に支持する（ＳＱII９）。
（２７）・・・Ｖ字アームＶ１，Ｖ２の内、装置先端部のＶ字アームＶ１を、主リンク２９１と副リンク２９２を逆ｙ字状にリンク構成したＹ字アームＹ１に置換し、前記副リンク２９２の前端部をフロントバーＲ２，Ｒ３の先後両端付近に取り付け、前記主リンク２９１の前端部を当該フロントバーＲ２，Ｒ３に沿ってスライド自在に支持する（ＳＱII１〜８）。
前記（２６）、（２７）により、平行移動するフロントバーＲ２，Ｒ３の振れ止め効果が向上し、展開した出隅キャンバスＧ１，Ｇ２の進退移動が円滑に行われる。
【００２５】
ここで、折り畳みアーム方式に代えてラテラルアーム方式とする場合における従属発明を列記する。
（２８）・・・矩形キャンバスＰ１，Ｐ２のフロントバーＲ２，Ｒ３を支持する折畳みアームを、垂直方向へ起倒動する伸縮アームＺ１，Ｚ２や突っ張りアームとする（ＳＱＬ１）。
（２９）・・・矩形キャンバスＰ１，Ｐ２のフロントバーＲ２，Ｒ３を支持する折畳みアームを、前方へ引き出したり、後方へ押し下げるパンタグラフ構造の伸縮リンクＺ３，Ｚ４とする（ＳＱＬ２）。
これにより、ラテラルアーム方式の複合オーニング装置への転用にも対処している。
【００２６】
第２グループの複合装置に関する発明（以下、第３発明という）と、その効果について
第３発明は、（３０）・・・前記（１８）、（１９）に記載の矩形オーニング装置Ｑ１，Ｑ２を、入隅キャンバスＰ３，Ｐ４を巻き取ったり、巻き戻す巻取り装置を備えた入隅用オーニング装置Ｕ１，Ｕ２に置換してなる可動オーニング装置であって、
当該入隅用オーニング装置Ｕ１、Ｕ２には、入隅キャンバスＰ３，Ｐ４の巻取りローラ３０，３０ａとフロントバーＲ２，Ｒ３を備え、当該フロントバーＲ２，Ｒ３を折畳みアームＶ１，Ｖ２、Ｙ１，Ｙ２により平行移動自在に支持する共に、出隅キャンバスＧ１，Ｇ２のフロントバーＦ２，Ｆ３を嵌挿支持したことを特徴とする。
これにより、出隅部Ｎ１のコーナー空間部と入隅部Ｌのコーナー空間部との間の建物外回りが一体的に体裁良く覆われ、収納時には、出隅部Ｎ１から食み出すことなくコンパクトに壁面収納される。
【００２７】
また、第３発明の作動過程として、（３１）・・・出隅キャンバスＧ１，Ｇ２の巻取りローラＪ１〜Ｊ７と入隅キャンバスＰ３，Ｐ４の巻取りローラ３０，３０ａに、それぞれ巻き取った出隅キャンバスＧ１，Ｇ２と入隅キャンバスＰ３，Ｐ４を同期させて巻き戻すことにより展開し、展開した出隅キャンバスＧ１，Ｇ２をインナーローラ１１とフロントバーＲ２，Ｒ３，Ｒ５に沿って横行スライドすることにより、出隅部Ｎ１のコーナー空間部へ張り出す。
それとは逆に、（３２）・・・出隅部Ｎ１のコーナー空間部へ張り出した出隅キャンバスＧ１，Ｇ２を、その展開状態を維持したままインナーローラ１１とフロントバーＲ２，Ｒ３に沿って後方へ横行スライドした上で、当該出隅キャンバスＧ１，Ｇ２と入隅キャンバスＰ３，Ｐ４を、それぞれの巻取りローラＪ１〜Ｊ７、３０，３０ａに同期させて巻き取り収納する。
前記（３１）、（３２）により、出隅キャンバスＧ１，Ｇ２と入隅キャンバスＰ３，Ｐ４の展開作動と、展開した出隅キャンバスＧ１，Ｇ２のコーナー空間部への前進移動が、逆に、当該空間部へ張り出した出隅キャンバスＧ１，Ｇ２の後退移動と、両キャンバスＧ１，Ｇ２、Ｐ３，Ｐ４の巻き取り作動が円滑に行なわれる。
【００２８】
そこで、第３発明に対する具体的な構成の従属発明を列記する。
（３３）・・・出隅キャンバスＧ１，Ｇ２の巻取りローラＪ１〜Ｊ７の後半部位と、入隅キャンバスＰ３の巻取りローラ３０の前半部位を上下に間隔を隔てて重ね合わせて支持し、当該入隅キャンバスＰ３のフロントバーＲ２，Ｒ３を、一方の巻取りローラＪ１〜Ｊ７の先端付近から他方の巻取りローラ３０の中間付近までの距離と同じ程度の長さに形成し、前記巻取りローラＪ１〜Ｊ７の先端付近と巻取りローラ３０の中間付近に、二つ折れ自在に連結したＶ字アームＶ１，Ｖ２の基端部を取り付け、当該アームＶ１，Ｖ２の前端部を前記フロントバーＲ２，Ｒ３の先後両端付近に取り付ける（ＳＵII１）。
（３４）・・・出隅キャンバスＧ１，Ｇ２の巻取りローラＪ１〜Ｊ７と、当該巻取りローラＪ１〜Ｊ７の先端付近まで延長した入隅キャンバスＰ４の巻取りローラ３０ａを、上下に間隔を隔てて重ね合わせて支持し、当該入隅キャンバスＰ３のフロントバーＲ２，Ｒ３を、一方の巻取りローラＪ１〜Ｊ７の先端付近から他方の巻取りローラ３０ａの中間付近までの距離と同じ程度の長さに形成し、前記巻取りローラ３０ａとフロントバーＲ２，Ｒ３に、長尺の入隅キャンバスＰ２を張り渡し、前記巻取りローラＪ１〜Ｊ７の先端付近と巻取りローラ３０の中間付近に、二つ折れ自在に連結したＶ字アームＶ１，Ｖ２の基端部を取り付け、当該アームＶ１，Ｖ２の前端部を前記フロントバーＲ２，Ｒ３の先後両端付近に取り付ける（ＳＵII２）。
【００２９】
第３グループの複合装置に関する発明（以下、第４発明という）と、その効果について
第４発明は、（３５）・・・矩形キャンバスＰ１，Ｐ２を巻き取ったり、巻き戻す巻取り装置を備えた矩形オーニング装置Ｑ１，Ｑ２と、その先後両側位置に出隅キャンバスＧ１，Ｇ２を巻き取ったり、巻き戻す巻取り装置を備えた出隅用オーニング装置Ｓ１，Ｓ２、Ｓ１１の２体を、先後対称に組み合わせた可動オーニング装置であって、
前記出隅用オーニング装置Ｓ１，Ｓ２、Ｓ１１には、それぞれ出隅キャンバスＧ１，Ｇ２の巻取りローラＪ１〜Ｊ７とフロントバーＦ２，Ｆ３を備え、当該巻取りローラＪ１〜Ｊ７をインナーローラ１１と、当該インナーローラ１１に嵌挿したアウターローラ１２，１２ａとから形成し、
前記矩形オーニング装置Ｑ１，Ｑ２には、矩形キャンバスＰ１，Ｐ２の巻取りローラ３０，３０ａとフロントバーＲ２，Ｒ３を備え、当該フロントバーＲ２，Ｒ３を折畳みアームＶ１〜Ｖ４、Ｙ１，Ｙ４により前後方向へ平行移動自在に支持すると共に、当該フロントバーＲ２，Ｒ３の先後両側位置に出隅キャンバスＧ１，Ｇ２のフロントバーＦ２，Ｆ３を嵌挿支持したことを特徴とする。
これにより、先後両端部が出隅部Ｎ１，Ｎ２で、その間が適宜長の直線区間となる建物外回りが一体的に体裁良く覆われる。
【００３０】
また、第４発明の作動過程として、（３６）・・・出隅キャンバスＧ１，Ｇ２の巻取りローラＪ１〜Ｊ７と矩形キャンバスＰ１，Ｐ２の巻取りローラ３０，３０ａに、それぞれ巻き取った出隅キャンバスＧ１，Ｇ２と矩形キャンバスＰ１，Ｐ２を同期させて巻き戻すことにより前方へ展開し、展開した出隅キャンバスＧ１，Ｇ２をインナーローラ１１とフロントバーＲ２，Ｒ３に沿って横行スライドすることにより、一方と他方の出隅部Ｎ１，Ｎ２のコーナー空間部へ張り出す。
それとは逆に、（３７）・・・一方と他方の出隅部Ｎ１，Ｎ２のコーナー空間部へ張り出した出隅キャンバスＧ１，Ｇ２を、その展開状態を維持したままインナーローラ１１とフロントバーＲ２，Ｒ３に沿って装置中央付近へ横行スライドした上で、先後２体の出隅キャンバスＧ１，Ｇ２と矩形キャンバスＰ１，Ｐ２を、それぞれの巻取りローラＪ１〜Ｊ７、３０，３０ａに同期させて巻き取り収納する。
前記（３６）、（３７）により、先後位置の出隅キャンバスＧ１，Ｇ２と中間部の矩形キャンバスＰ１，Ｐ２の３体の展開作動と、展開した出隅キャンバスＧ１，Ｇ２の一方と他方のコーナー空間部への移動が、逆に、コーナー空間部へ張り出した２体の出隅キャンバスＧ１，Ｇ２の装置中央への移動と、合計３体のキャンバスＧ１，Ｇ２、Ｐ１，Ｐ２の巻き取り作動が円滑に行なわれる。
【００３１】
そこで、第４発明に対する具体的な構成の従属発明を列記する。
（３８）一方の出隅部Ｎ１のコーナー寄り位置と他方の出隅部Ｎ２のコーナー寄り位置に、出隅キャンバスＧ１，Ｇ２の巻取りローラＪ１〜Ｊ７を背中合わせに取り付け、当該先後２体の巻取りローラＪ１〜Ｊ７と矩形キャンバスＰ１，Ｐ２の巻取りローラ３０，３０ａを上下に間隔を隔てて重ね合わせて支持し、当該矩形キャンバスＰ１，Ｐ２のフロントバーＲ２，Ｒ３を、一方の出隅部Ｎ１と他方の出隅部Ｎ２を結ぶ距離と同じ程度の長さに形成し、一方の巻取りローラＪ１〜Ｊ７の先端付近と中間付近と、他方の巻取りローラＪ１〜Ｊ７の中間付近と後端付近に、二つ折れ自在に連結したＶ字アームＶ１〜Ｖ４の基端部をそれぞれ取り付け、当該アームＶ１〜Ｖ４の前端部を前記フロントバーＲ２，Ｒ３の先後両端付近と、前記巻取りローラＪ１〜Ｊ７の中間付近に相当する部位に取り付ける（ＳＱＳIV１・２）。
（３９）・・・Ｖ字アームＶ１〜Ｖ４の内、少なくとも、先後両端付近のＶ字アームＶ１，Ｖ４を、主リンク２９１と副リンク２９２を逆ｙ字状にリンク構成したＹ字アームＹ１，Ｙ４に置換し、それぞれの副リンク２９２の前端部を、矩形キャンバスＰ１，Ｐ２のフロントバーＲ２，Ｒ３の先後両端付近に取り付け、それぞれの主リンク２９１の前端部を、一方と他方の出隅キャンバスＧ１，Ｇ２のフロントバーＦ２，Ｆ３にスライド自在にそれぞれ取り付ける。
【００３２】
第４グループの複合装置に関する発明（以下、第５発明という）と、その効果について
第５発明は、（４０）・・・出隅キャンバスＧ１を巻き取ったり、巻き戻す巻取り装置を備えた出隅用オーニング装置Ｓ１，Ｓ１１の２体を、先後対称に組み合わせてなる可動オーニング装置であって、
それぞれの出隅用オーニング装置Ｓ１，Ｓ１１には、出隅キャンバスＧ１の巻取りローラＪ１〜Ｊ７とフロントバーＦ２，Ｆ４を備え、当該巻取りローラＪ１〜Ｊ７をインナーローラ１１と、当該インナーローラ１１に嵌挿したアウターローラ１２とから形成し、前記出隅キャンバスＧ１のそれぞれのフロントバーＦ２，Ｆ４の２体を、横行案内レールＲ４に相対的にスライド自在に嵌挿支持し、当該案内レールＲ４を折畳みアームＶ１，Ｖ２、Ｙ１，Ｙ２により前後方向へ平行移動するように構成したことを特徴とする。
これにより、先後両端部が出隅部Ｎ１，Ｎ２で、その間の距離が比較的短い直線区間となる建物外回りが一体的に体裁良く覆われる。
【００３３】
また、第５発明の作動過程として、（４１）・・・それぞれの巻取りローラＪ１〜Ｊ７に巻き取った出隅キャンバスＧ１を同期させて巻き戻すことにより前方へ展開し、展開した出隅キャンバスＧ１をインナーローラ１１と横行案内レールＲ４に沿ってそれぞれ横行スライドすることにより、一方と他方の出隅部Ｎ１，Ｎ２のコーナー空間部へ張り出す。
それとは逆に、（４２）・・・一方と他方の出隅部Ｎ１，Ｎ２のコーナー空間部へ張り出した出隅キャンバスＧ１を、その展開状態を維持したままインナーローラ１１と横行案内レールＲ４に沿って他方向へ横行スライドした上で、それぞれの巻取りローラＪ１〜Ｊ７に同期させて巻き取り収納する。
前記（４１）、（４２）により、先後２体の出隅キャンバスＧ１，Ｇ２の展開作動と、展開した出隅キャンバスＧ１，Ｇ２の一方と他方のコーナー空間部への移動が、逆に、コーナー空間部へ張り出した２体の出隅キャンバスＧ１，Ｇ２の他方への相対移動と、両キャンバスＧ１，Ｇ２の巻き取り作動が円滑に行なわれる。
【００３４】
そこで、第５発明に対する具体的な構成の従属発明を列記する。
（４３）・・・一方の出隅部Ｎ１と他方の出隅部Ｎ２に、出隅キャンバスＧ１の巻取りローラＪ１〜Ｊ７の２体を先後対称で、上下に間隔を隔てて重ね合わせて支持し、一方の巻取りローラＪ１〜Ｊ７の先端付近と他方の巻取りローラＪ１〜Ｊ７の後端付近に、二つ折れ自在に連結したＶ字アームＶ１，Ｖ２の基端部をそれぞれ取り付け、当該アームＶ１〜Ｖ４の前端部を横行案内レールＲ４の先後両側付近に取り付ける（ＳＳII）。
【００３５】
次に、シングル装置Ｓ１ａ〜Ｓ１ｄと、複合装置における出隅用オーニング装置Ｓ１，Ｓ２を構成する出隅キャンバスＧ１，Ｇ２、及び、キャンバス巻取りローラＪ１，Ｊ２、その他の具体的な構成に関する従属発明を、以下に列記する。
（４４）・・・出隅キャンバスＧ１を、キャンバス本体部Ｘ１と、その一方に張り出したキャンバス張出部Ｘ２とからなる展開形態に形成し、当該出隅キャンバスＧ１の頂部1をアウターローラ１２に取り付け、そのキャンバス裾部２をフロントバーＦ１〜Ｆ３に取り付ける。
（４５）・・・アウターローラ１２とフロントバーＦ１〜Ｆ３との間に、ワイヤ１９３，１９４やベルト等の連結部材を張り渡す。
（４６）・・・出隅キャンバスＧ２を、ほぼ三角形状の展開形態に形成し、当該出隅キャンバスＧ２の頂部1を比較的長さの短いアウターローラ１２ａに取り付け、そのキャンバス裾部２ａをフロントバーＦ２，Ｆ３に取り付ける。
（４７）・・・出隅キャンバスＧ２の斜部３ａ，３ｂに連結ワイヤ５４１，５４２を挿通し、その基端部をアウターローラ１２ａの先後両端部に取り付け、その前端部をキャンバス裾部２ａの先後両端付近のフロントバーＦ２，Ｆ３に取り付ける。
前記（４４）〜（４７）により、出隅部Ｎ１のコーナー空間部が体裁良く覆われ、また、キャンバス巻き取り時と横行スライド時における出隅キャンバスＧ１，Ｇ２の面内変形を防止する。
【００３６】
（４８）・・・インナーローラ１１の軸線方向に、案内溝１１１と案内突条１１２を形成する。
（４９）・・・アウターローラ１２，１２ａにエンドキャップ１７１，１７２を嵌め込み、
当該エンドキャップ１７１，１７２の内周面には、前記（４８）に記載の案内溝１１１や案内突条１１２に嵌挿する案内突起１７３や案内溝１７４を形成する。
（５０）・・・出隅キャンバスＧ１，Ｇ２を巻き取り収納するケーシングＫ１に、エンドキャップ１４１，１４２，１４６を嵌め込み、当該エンドキャップ１４１，１４２，１４６には、先後両端部にエンドキャップ１５１，１５２，１５６を嵌め込んだインナーローラ１１を軸受支持し、当該インナーローラ１１には、先後両端部にエンドキャップ１７１，１７２を嵌め込んだアウターローラ１２，１２ａを嵌挿支持する。
前記（４８）〜（５０）により、アウターローラ１２，１２ａの円滑な軸線移動を確保し、また、キャンバス巻取り装置の主要部をケーシングＫ１に体裁良く収納する。
【００３７】
（５１）・・・インナーローラ１１の軸端部に、当該インナーローラ１１とアウターローラ１２，１２ａを正逆回転する手動装置又は電動装置を組み込む。
（５２）・・・インナーローラ１１の内部に、当該インナーローラ１１とアウターローラ１２，１２ａを正逆回転する電動モータＭ１を組み込む。
（５３）・・・前記（５２）に記載の電動モータＭ１の先後両端部に、モータ出力軸２７１と固定用軸部２７２を設け、一方のモータ出力軸２７１に嵌め込んだ伝動ソケット２８１を、インナーローラ１１の内部に嵌め込み、前記電動モータＭ１の後方部をインナーローラ１１のエンドキャップ１５２に嵌挿し、他方の固定用軸部２７２をケーシングＫ１のエンドキャップ１４２に嵌め込む。
（５４）・・・インナーローラ１１の内部に、アウターローラ１２，１２ａの正逆回転力を弾性エネルギーとして蓄積したり、放出するコイルスプリング４７１を組み込む。
（５５）・・・前記（５４）に記載のコイルスプリング４７１に固定軸４９１を貫挿し、当該固定軸４９１の先端部に嵌め込んだバネ止めソケット４８１に、前記コイルスプリング４７１の一方を係止してインナーローラ１１の内部に挿通し、前記固定軸４９１の他方をインナーローラ１１のエンドキャップ１５２に貫通し、当該エンドキャップ１５２に前記コイルスプリング４７１の他方を係止した上で、ケーシングＫ１のエンドキャップ１４２に嵌め込む。
【００３８】
次に、複合装置における矩形オーニング装置Ｑ１，Ｑ２や入隅用オーニング装置Ｕ１，Ｕ２を構成する矩形キャンバスＰ１，Ｐ２や入隅キャンバスＰ３，Ｐ４、及び、それらの巻取りローラ３０，３０ａとその駆動構造等に関する従属発明を、以下に列記する。
（５６）・・・矩形キャンバスＰ１，Ｐ２の本体部に平面Ｘ字状又はＶ字状の通孔を形成し、その内部に挿通した連結ワイヤの一方を巻取りローラ３０，３０ａに、その他方をフロントバーＲ２，Ｒ３にそれぞれ連結する。
（５７）・・・入隅キャンバスＰ３，Ｐ４を、ほぼ直角逆台形状の展開形態に形成し、当該入隅キャンバスＰ３，Ｐ４の頂部５ａを巻取りローラ３０，３０ａに取り付け、そのキャンバス裾部６をフロントバーＲ２，Ｒ３に取り付け、入隅キャンバスＰ３，Ｐ４の本体矩形部に平面Ｘ字状の通孔を形成し、その内部に挿通した連結ワイヤの一方を巻取りローラ３０，３０ａに、その他方をフロントバーＲ２，Ｒ３にそれぞれ取り付ける。
前記（５６）、（５７）により、キャンバス巻き取り、巻き戻し時におけるキャンバスＰ１〜Ｐ４の面内変形を防止する。
【００３９】
（５８）・・・巻取りローラ３０，３０ａに電動モータＭ２を内蔵し、その先後両端部にモータ出力軸４５１と固定用軸部４５２を設け、その内、一方のモータ出力軸４５１に嵌め込んだ伝動ソケット４６１を、巻取りローラ３０，３０ａの内部に嵌め込み、前記電動モータＭ２の後方部を巻取りローラ３０，３０ａのエンドキャップ４４２に嵌挿し、他方の固定用軸部４５２をケーシングＫ２のエンドキャップ４０２に嵌め込む。
（５９）・・・巻取りローラ３０，３０ａの内部に、その正逆回転力を弾性エネルギーとして蓄積したり、放出するコイルスプリング４１１を組み込む。
（６０）・・・前記（５９）に記載のコイルスプリング４１１に固定軸４３１を貫挿し、当該固定軸４３１の先端部に嵌め込んだバネ止めソケット４２１に、前記コイルスプリング４１１の一方を係止して巻取りローラ３０，３０ａの内部に挿通し、前記固定軸４３１の他方を巻取りローラ３０，３０ａのエンドキャップ４４２に貫通し、当該エンドキャップ４４２に前記コイルスプリング４１１の他方を係止した上で、ケーシングＫ２のエンドキャップ４０２に固定する。
【００４０】
次に、展開した出隅キャンバスＧ１，Ｇ２をコーナー空間部へ横行スライドしたり、当該空間部から後退スライドする構成と、その横行装置に関する従属発明を以下に列記する。
（６１）・・・フロントバーＦ１〜Ｆ３に、出隅キャンバスＧ１，Ｇ２の横行操作用掛止部２４１を設ける。
（６２）・・・出隅キャンバスＧ１の頂部１付近に、出隅キャンバスＧ１の横行操作用掛止フラップ２４２を設ける。
（６３）・・・スライドローラ１２に、出隅キャンバスＧ１の横行操作用係合孔２４４を設ける。
（６４）・・・折畳みアームＶ１、Ｙ１、Ｉ１、Ｚ１、Ｚ３の一方と、出隅キャンバスＧ１，Ｇ２のフロントバーＦ１〜Ｆ３に、当該フロントバーＦ１〜Ｆ３を横行スライドするロープやワイヤ等の伝動部材５６１，５６２、６６を掛け渡す。
（６５）・・・前記（６４）に記載の伝動部材５６１，５６２の一方を後退用とし、他方を前進用とし、折畳みアームＶ１，Ｙ１，Ｉ１の基端部付近から垂れ下げる。
【００４１】
（６６）・・・インナーローラ１１の先端部に、伝動ワイヤ５６１，５６２の巻取りリール６０，６０ａ，６０ｂを組み付け、当該巻取りリール６０，６０ａ，６０ｂを正逆回転することにより、展開した出隅キャンバスＧ１，Ｇ２を横行スライドする。
（６７）・・・一方の折畳みアームＶ１、Ｙ１、Ｉ１と、出隅キャンバスＧ１，Ｇ２のフロントバーＦ１〜Ｆ３に、当該フロントバーＦ１〜Ｆ３を横行スライドする後退用と前進用の伝動ワイヤ５６１，５６２を掛け渡し、当該伝動ワイヤ５６１，５６２の一方を巻き取り、その他方を巻き戻す巻取りリール６０，６０ａ，６０ｂを、インナーローラ１１の先端部に組み付ける。
（６８）・・・伝動ワイヤ５６１，５６２の一方を巻き取り、その他方を巻き戻す巻取りリール６０を正逆回転する電動モータＭ４と、出隅キャンバスＧ１，Ｇ２を巻き取ったり、巻き戻す巻取りローラＪ４を正逆回転する電動モータＭ１を、インナーローラ１１の内部に組み込む。
（６９）インナーローラ１１の先端部に電動モータＭ４の本体後半部を挿通し、当該電動モータＭ４の本体前半部に巻取りリール６０を嵌め込んで固定し、当該電動モータＭ４の先端軸部５９１をケーシングＫ１のエンドキャップ１４６に固定する。
【００４２】
（７０）・・・インナーローラ１１の内部に、巻取りローラＪ５，Ｊ６と巻取りリール６０，６０ａ，６０ｂを正逆回転する１体の電動モータＭ５、Ｍ６又は駆動軸７３を組み込み、前記巻取りローラＪ５，Ｊ６と巻取りリール６０，６０ａ，６０ｂのいずれか一方の動作を外部から拘束することで、その回転を制止すると、他方の巻取りローラＪ５と巻取りリール６０，６０ａ，６０ｂのいずれかが反動回転するか、或いは、逆回転するようにする。
（７１）・・・巻取りローラＪ５〜Ｊ７の回転を外部から制止する手段が、アウターローラ１２，１２ａの後端部に取り付けた回転ストッパー６１１と、当該回転ストッパー６１１が係止する案内突起１３５とからなり、当該案内突起１３５を、出隅キャンバスＧ１，Ｇ２を巻き取り収納するケーシングＫ１の背面内壁部に設ける。
（７２）・・・インナーローラ１１の先端部に電動モータＭ５の本体後半部を挿通し、当該電動モータＭ５の後端出力軸５９４を、前記インナーローラ１１の内部に嵌挿した伝動ソケット２８１に嵌め込んで固定し、当該電動モータＭ５の本体前半部に巻取りリール６０を嵌め込んで固定し、当該電動モータＭ５の先端支軸５９３を、出隅キャンバスＧ１，Ｇ２を巻き取り収納するケーシングＫ１のエンドキャップ１４６に軸受支持する。
【００４３】
（７３）・・・電動モータＭ６の本体部又は手動回転する駆動軸７３に太陽歯車７０を嵌め込み、巻取りリール６０ａ，６０ｂに内歯歯車７１を形成し、前記太陽歯車７０と内歯歯車７１に噛み合う遊星歯車７２を、インナーローラ１１の先端部に取り付ける。
（７４）・・・インナーローラ１１の先端部に電動モータＭ６の本体後半部を挿通し、当該電動モータＭ６の本体後方部を、前記インナーローラ１１の内部に嵌挿した伝動ソケット２８３に嵌挿し、当該電動モータＭ６の先端部に巻取りリール６０ａを嵌挿し、当該電動モータＭ６の先端軸部５９１を、出隅キャンバスＧ１，Ｇ２を巻き取り収納するケーシングＫ１のエンドキャップ１４６に固定する。
（７５）・・・インナーローラ１１の先端部に駆動軸７３の後半部を挿通し、当該駆動軸７３の後端付近を、前記インナーローラ１１の内部に嵌挿した伝動ソケット２８３に嵌挿し、当該駆動軸７３の先端寄りの位置に巻取りリール６０ｂを嵌挿すると共に、手動の歯車装置１６１，１６２を形成し、前記駆動軸７３の先端部を、出隅キャンバスＧ１，Ｇ２を巻き取り収納するケーシングＫ１のエンドキャップ１４６に軸受支持する。
【００４４】
ここで、収納時における上部側キャンバスの弛緩を防止する簡便な構成を、以下に列記する。
（７６）・・・壁際部分の上部側に出隅キャンバスＧ１，Ｇ２の巻取りローラＪ１〜Ｊ７を備えたケーシングＫ１を取り付け、下部側に矩形キャンバスＰ１，Ｐ２の巻取りローラ３０，３０ａを備えたケーシングＫ２を取り付けた場合であって、
前記出隅キャンバスＧ１，Ｇ２のフロントバーＦ２，Ｆ３の上部後端縁に、当該キャンバスＧ１，Ｇ２の裾部２，２ａを押し上げ付勢する揺動フラップ６２を取り付ける。
（７７）・・・壁際部分の上部側に矩形キャンバスＰ１，Ｐ２の巻取りローラ３０，３０ａを備えたケーシングＫ２を取り付け、下部側に出隅キャンバスＧ１，Ｇ２の巻取りローラＪ１〜Ｊ７を備えたケーシングＫ１を取り付けた場合であって、
前記矩形キャンバスＰ１，Ｐ２のフロントバーＲ２，Ｒ３の上部後端縁に、当該キャンバスＰ１，Ｐ２の裾部６を押し上げ付勢する揺動フラップ６２を取り付ける。
（７８）・・・壁際部分の上部側に出隅キャンバスＧ１，Ｇ２の巻取りローラＪ１〜Ｊ７を備えたケーシングＫ１を取り付け、下部側に入隅キャンバスＰ３，Ｐ４の巻取りローラ３０，３０ａを備えたケーシングＫ２を取り付けた場合であって、
前記出隅キャンバスＧ１，Ｇ２のフロントバーＦ２，Ｆ３の上部後端縁に、当該キャンバスＧ１，Ｇ２の裾部２，２ａを押し上げ付勢する揺動フラップ６２を取り付ける。
（７９）・・・壁際部分の上部側と下部側に、出隅キャンバスＧ１の巻取りローラＪ１〜Ｊ７を備えたケーシングＫ１の２体を、先後対称に取り付けた場合であって、
上部側の出隅キャンバスＧ１のフロントバーＦ４の上部後端縁に、当該キャンバスＧ１の裾部２を押し上げ付勢する揺動フラップ６２を取り付ける。
【００４５】
次に、展開時に上部側キャンバスが緊張支持でき、収納時の弛み代を吸収する簡便な構成を、以下に列記する。
（８０）・・・壁際部分の上部側に出隅キャンバスＧ１，Ｇ２の巻取りローラＪ１〜Ｊ７を備えたケーシングＫ１を取り付け、下部側に矩形キャンバスＰ１，Ｐ２の巻取りローラ３０，３０ａを備えたケーシングＫ２を取り付けた場合であって、
前記出隅キャンバスＧ１，Ｇ２のフロントバーＦ２，Ｆ３の上部後端縁と、出隅キャンバスＧ１，Ｇ２の裾部２，２ａ寄りの裏面に伸縮ネット６３１を編成する。
（８１）・・・壁際部分の上部側に矩形キャンバスＰ１，Ｐ２の巻取りローラ３０，３０ａを備えたケーシングＫ２を取り付け、下部側に出隅キャンバスＧ１，Ｇ２の巻取りローラＪ１〜Ｊ７を備えたケーシングＫ１を取り付けた場合であって、
前記矩形キャンバスＰ１，Ｐ２のフロントバーＲ２，Ｒ３の上部後端縁と、矩形キャンバスＰ１，Ｐ２の裾部６寄りの裏面に伸縮ネット６３１を編成する。
（８２）・・・壁際部分の上部側に出隅キャンバスＧ１，Ｇ２の巻取りローラＪ１〜Ｊ７を備えたケーシングＫ１を取り付け、下部側に入隅キャンバスＰ３，Ｐ４の巻取りローラ３０，３０ａを備えたケーシングＫ２を取り付けた場合であって、
前記出隅キャンバスＧ１，Ｇ２のフロントバーＦ２，Ｆ３の上部後端縁と、出隅キャンバスＧ１，Ｇ２の裾部２，２ａ寄りの裏面に伸縮ネット６３１を編成する。
（８３）・・・壁際部分の上部側と下部側に、出隅キャンバスＧ１の巻取りローラＪ１〜Ｊ７を備えたケーシングＫ１の２体を、先後対称に取り付けた場合であって、
上部側の出隅キャンバスＧ１のフロントバーＦ４の上部後端縁と、出隅キャンバスＧ１の裾部２寄りの裏面に伸縮ネット６３１を編成する。
【００４６】
また、キャンバス頂部の隙間や段差を狭小化する為の従属発明を列記する。
（８４）・・・キャンバス展開時の最終段階で、出隅キャンバスＧ１，Ｇ２や矩形キャンバスＰ１，Ｐ２又は入隅キャンバスＰ３，Ｐ４のいずれか一方又は両方のキャンバス頂部１，５寄りの位置を、ケーシングＫ１〜Ｋ３に取り付けた揺動フラップ９７によって押し下げたり、突き上げる。
（８５）・・・キャンバス展開時の最終段階で、キャンバス頂部１，５寄りの位置に形成した突起部９９や係合孔に揺動フラップ９７が係止され、当該キャンバスが更に引き出されることで前記揺動フラップ９７が揺動し、前記キャンバス頂部寄りの位置を押し下げたり、突き上げる。
【００４７】
最後に、ケーシングを一体化した場合と、その上部側と下部側に組み込んだ巻取りローラＪ１〜Ｊ７、３０，３０ａの連動構造に関する従属発明を列記する。
（８６）・・・出隅キャンバスＧ１，Ｇ２の巻取りローラＪ１〜Ｊ７と、矩形キャンバスＰ１，Ｐ２の巻取りローラ３０，３０ａを、１体のケーシングＫ３の上部側と下部側に組み込む。
（８７）・・・後方へ延伸した巻取りローラＪ１〜Ｊ７のインナーローラ１１ａと、前記（８６）に記載の巻取りローラ３０，３０ａを、平歯車５１１，５１２により噛み合い係合する。
【発明を実施するための最良の形態】
【００４８】
以下、本発明の実施形態を添付図面に従って説明するに、第１には、図１〜図２０に示す折畳みアーム方式のシングルオーニング装置とその関連構成を説明し、第２には、図２１〜図５１に示す折畳みアーム方式の複合オーニング装置とその関連構成を説明する。
そして、それらのシングル装置と複合装置における出隅キャンバスを、図５４〜図５５に示す手動操作用伝動ロープにより横行スライドしたり、図５６〜図６５に示す電動モータや手動装置により横行スライドしたり、巻き取り、巻き戻し駆動する場合の実施形態を説明する。
第３には、図６６〜図６９に示すラテラルアーム方式の複合オーニング装置とその関連構成を説明する。
その上で、複合装置におけるキャンバス巻き取り収納時の緊張支持装置と、キャンバス相互間の隙間を狭小化する装置を説明する。
【第1．折畳みアーム方式のシングルオーニング装置】
【００４９】
本発明のシングル装置Ｓ１ａ〜Ｓ１ｄは、出隅キャンバスＧ１の巻取りローラＪ１、Ｊ２とフロントバーＦ１を備えたキャンバス巻取り装置と、前記フロントバーＦ１の横行案内レールＲ１と折畳みアームＶ１，Ｖ２、Ｙ１，Ｙ２、Ｉ１，Ｉ２を備えたキャンバス緊張装置を有機的に組み合わせている。
【第１実施例】
【００５０】
第1実施例のシングル装置Ｓ１ａに関する各部の構成を、図１〜図９に基づいて順次説明する。
【キャンバス巻取り装置】
【（１）巻取りローラの第１例】
【００５１】
Ｋ１は出隅キャンバスＧ１を巻き取り収納するケーシングであって、出隅部Ｎ１のコーナー付近の外壁Ｗ１（正面壁）、Ｗ２（側面壁）にほぼ水平状態に直接取り付けるか、適宜の支持ブラケット（図示せず）を介して間接的に固定し、必要に応じて、その前傾角度を可変調整自在に取り付ける。
ケーシングＫ１の内部には、出隅キャンバスＧ１の巻取りローラＪ１が組み込まれ、当該巻取りローラＪ１は、中空状のインナーローラ１１と、当該ローラ１１に摺動自在に嵌挿支持した円筒状のアウターローラ１２とからなる。その内、インナーローラ１１の外周面を４等分する軸線方向には、案内溝１１１と案内突条１１２を平行に凹凸形成している。
１３１はケーシングＫ１の前面に開口形成したキャンバス引出口、１４１，１４２はケーシングＫ１の先後両端部に嵌め込んだエンドキャップであって、その内部には、丸孔を穿設した軸受部１４３，１４４を突設している。
１５１，１５２はインナーローラ１１の先後両端部に嵌め込んだエンドキャップであって、そのキャップ本体部をインナーローラ１１の内周面とほぼ同形に形成し、キャップ本体部に貫通固定した支軸１５３，１５４を、前記軸受部１４３，１４４にそれぞれ回転自在に嵌め込んでいる。
【００５２】
１７１，１７２はアウターローラ１２の先後両端部に嵌め込んだ中空状のエンドキャップであって、そのキャップ本体部の内周面には、案内突起１７３と案内溝１７４が形成され、インナーローラ１１の案内溝１１１と案内突条１１２にスライド自在に嵌め込まれる。
これにより、インナーローラ１１とアウターローラ１２が一体的に正逆回転すると共に、アウターローラ１２がインナーローラ１１に摺動案内されて軸線方向へ進退移動する。
アウターローラ１２の軸線方向には、Ω状のキャンバス嵌合溝１２１を形成している。
１６１はエンドキャップ１５１の支軸１５３に嵌合固定したウォーム歯車、１６２はウォーム歯車１６１と噛み合うウォームであって、そのウォーム回転軸１６３を前記エンドキャップ１４１内部の上下軸受部１４５に鉛直支持し、その下端部に操作ロッド（図示せず）と係合するフック１６４を形成している。
これにより、巻取りローラＪ１が手動により正逆回転自在に操作される。
尚、前記の場合、エンドキャップ１４１，１４２それ自体を、巻取りローラＪ１の軸受用ブラケットとして、外壁Ｗ１，Ｗ２から突出して取り付けた場合には、ケーシングＫ１の必要性が任意なものとなる。
【（２）出隅キャンバス】
【００５３】
ここで、図７（Ａ）〜（Ｃ）と図８（Ａ）、（Ｂ）に示す出隅キャンバスＧ１と、それに組み込まれるワイヤ類の構成を説明する。
出隅キャンバスＧ１は、布製や合成樹脂製等のテント生地により、その展開形状をほぼ直角台形状の平面形態に形成され、矩形状のキャンバス本体部Ｘ１と、その一方に張り出した直角三角形状のキャンバス張出部Ｘ２とからなる。
その外形形状としては、キャンバス上縁部の頂辺１（以下、キャンバス頂部という）とキャンバス下縁部の裾辺２（以下、キャンバス裾部という）を天地平行に形成し、キャンバス裾部２の先端部からキャンバス頂部１の先端部にかけて傾斜角度４５度程度の斜辺３（以下、キャンバス斜部という）を裾拡がりに形成し、また、キャンバス裾部２の後端部からキャンバス頂部１の後端部に向けて鉛直辺４（以下、キャンバス鉛直部という）を形成している。
【００５４】
１８１，１８２はキャンバス頂部１とキャンバス裾部２に形成した袋状の通孔であって、その内部にワイヤ１８３，１８４やチューブ、ロープ等の固定部材を挿通する。
１９１，１９２はキャンバス本体部Ｘ１の四隅部を斜めに結ぶ対角線上に形成した袋状の交差通孔であって、その内部に連結ワイヤ１９３，１９４や連結ベルト、ロープ等のキャンバス緊張部材を貫挿し、そのワイヤ先端部の係合片１９５，１９６を、交差通孔１９１，１９２の頂部引出口から斜め上方へ引き出し、ワイヤ末端部とその止め具１９７，１９８を、交差通孔１９１，１９２の底部引出口から斜め下方へ引き出す。
そこで、出隅キャンバスＧ１を巻取りローラＪ１に取り付けるには、先ず、アウターローラ１２のキャンバス嵌合溝１２１にキャンバス頂部１を臨ませ、その通孔１８１に取付ワイヤ１８３を挿通することで、キャンバス頂部１を抜け止め固定する。
次いで、キャンバス嵌合溝１２１の先後位置に、図４、図６（Ｂ）に示すようにビス１０１を螺合し、頂部引出口から引き出した連結ワイヤ１９３，１９４の係合片１９５，１９６を前記嵌合溝１２１に嵌め込み、その外側にもビス１０２を螺合することで、係合片１９５，１９６が挟み込まれた状態に位置決め固定される。
【（３）フロントバー】
【００５５】
Ｆ１は出隅キャンバスＧ１の裾部２を取り付けるフロントバーであって、図３（Ａ）と図４（Ａ）、（Ｂ）に示すように、背面中央部を開口形成したほぼボックス状の断面形態を呈し、水平な上板部２０１の前部と鉛直な前板部２０２の上部を弧状の出隅部に膨出形成し、その段付き位置にキャンバス嵌合溝２１１，２１２を横方向へ形成している。
フロントバーＦ１の下板部２０３の後端部には、鍔縁２０４が起立形成され、それと上下に向き合う鍔縁２０５を、上板部２０１の中間底部位置に垂下形成している。図５において、２１３，２１４はワイヤ取付用通孔であって、上板部２０１の後方へ張り出した庇板部２０６の中間部付近と後端部に穿設している。
そこで、キャンバス裾部２をその嵌合溝２１１に臨ませ、当該裾部２の通孔１８２にワイヤ１８４を挿通することで、キャンバス裾部２を抜け止め固定する。次いで、底部引出口から引き出した連結ワイヤ１９３，１９４の末端部を、図５に示す通孔２１３，２１４に挿通し、出隅キャンバスＧ１を適度な緊張状態に張り渡したところで、止め具１９７，１９８を締め付け固定する。
２２１はフロントバーＦ１に垂下形成したフロントスカートであって、その上縁部を嵌合溝２１２に臨ませ、前記スカート２２１の上端部の通孔２２２にワイヤ１８５を挿通することで抜け止め固定する。
これにより、出隅キャンバスＧ１の巻取り装置が構成される。
【（４）巻取りローラの電動構造】
【００５６】
前記した巻取りローラＪ１の場合は、手動により回転操作されるが、図９（Ａ）、（Ｂ）に示す第２例の巻取りローラＪ２の場合は、それをインナーローラ１１に内蔵した円柱状の電動モータＭ１により正逆回転するようにしている。
同図において、電動モータＭ１はインナーローラ１１の後方部に挿通され、その先端部にモータ出力軸２７１を、後端部に固定用軸部２７２をそれぞれ突設している。
２８１はインナーローラ１１に嵌挿する凹凸面を備えた伝動ソケットであって、その軸孔２８２にモータ出力軸２７１が嵌め込まれる。１５５はエンドキャップ１５２の貫通孔であって、当該貫通孔１５５に電動モータＭ１の後部位置を軸受支持する。
そこで、モータ出力軸２７１に伝動ソケット２８１を嵌合固定した上で、電動モータＭ１をインナーローラ１１の後方部に挿通し、他方、電動モータＭ１の本体後部にエンドキャップ１５２を挿通した上で、インナーローラ１１の後端部に嵌め込み、電動モータＭ１の後端軸部２７２をエンドキャップ１４２の軸受部１４５の扁平孔（角孔でも可）に嵌合固定する。
これにより、インナーローラ１１の内部に電動モータＭ１が組み込まれる。
従って、電動モータＭ１を駆動すると、その出力軸２７１と伝動ソケット２８１とインナーローラ１１とアウターローラ１２が一体的に正逆回転し、出隅キャンバスＧ１の巻き取り、巻き戻し作業を自動化、省力化する。
【キャンバス緊張装置】
【（１）横行案内レール】
【００５７】
横行案内レールＲ１は、図２（Ａ）、（Ｂ）、図３（Ａ）及び図４（Ａ）に示すように、横向き凸字状の縦断面形態を呈し、背面板部２３１と、その前面に突出したボックス状レール部２３２とからなり、その内、レール部２３２の上下両側部には、軸ピン２３３により小車輪２３４，２３５を水平回転自在に軸受支持し、且つ、それをレール部２３２に間隔を隔てて４組程度組み付けている。
そこで、横行案内レールＲ１の小車輪２３４，２３５を、前記したフロントバーＦ１の上部室と下部室を臨ませて嵌め込むことにより、フロントバーＦ１が横行案内レールＲ１の軸線方向へ転動案内自在に組み込まれる。
２４１はフロントバーＦ１の中間付近の底部位置に突出形成した掛止部（掛止孔でも可）であって、当該掛止部２４１に操作ロッド（図示せず）の先端部を係止した上で、出隅キャンバスＧ１を横行操作するに便宜としている。
【（２）折畳みアーム】
【００５８】
Ｖ１，Ｖ２は横行案内レールＲ１の先後両側位置を支持する２体で一対の二つ折れ自在な横Ｖ字状の折畳みアーム（以下、Ｖ字アームという）であって、後部リンク２５１と前部リンク２５２を内側に向けて二つ折れ自在に連結し、その二つ折れ連結部にはばねや引張ワイヤ（図示せず）等が組み込まれ、当該Ｖ字アームＶ１，Ｖ２を拡開方向へ押圧付勢している。
２６１はＶ字アームＶ１，Ｖ２の基端部、即ち、後部リンク２５１の基端部をピン枢支するブラケットであって、前記ケーシングＫ１の底部位置の外壁Ｗ１，Ｗ２などに取り付けられ、一方のＶ字アームＶ１のブラケット２６１を、巻取りローラＪ１の先端部で出隅部Ｎ１のコーナー寄り位置に、また、他方のＶ字アームＶ２のブラケット２６１を巻取りローラＪ１の中間部付近にそれぞれ間隔を隔てて取り付けている。
２６２はＶ字アームＶ１，Ｖ２の前端部、即ち、前部リンク２５２の前端部をピン枢支するブラケットであって、横行案内レールＲ１の先後両端付近の背面板部２３１に固定している。
これにより、出隅キャンバスＧ１のキャンバス緊張装置が構成される。
【出隅キャンバスの後退と巻き取り収納過程】
【００５９】
そこで、図１０（Ａ）と図１１（Ａ）に示すように、コーナー空間部へ張り出した出隅キャンバスＧ１を巻き取り収納する場合には、先ず、フロントバーＦ１の掛止部２４１に、下方から操作ロッド（図示せず）の先端フック部を引っ掛けた上で後方へスライド操作する。その際、掛止部２４１が下方から手の届く程度の高さにある場合には、当該掛止部２４１を把持した上で、後方へ向かって引っ張り操作する。
すると、出隅キャンバスＧ１は、その展開状態を保持したまま後方へ引き下げられ、その際、キャンバス裾部２のフロントバーＦ１が横行案内レールＲ１に沿って後退し、それに追随してキャンバス頂部１のアウターローラ１２も、インナーローラ１１に沿って後退する。それにより、出隅キャンバスＧ１は、図１０（Ｂ）や図１１（Ｂ）に示すように装置後方部へ平行に横行スライドする。
当然のことながら、キャンバス頂部１のアウターローラ１２は、インナーローラ１１の後半部まで後退するか、或いは、少なくとも、三角形状のキャンバス張出部Ｘ２が、側面壁Ｗ２を結ぶ線上の出隅部Ｎ１から食み出さない程度の後方位置まで引き下げられる。
【００６０】
次いで、図６に示す第１例の巻取りローラＪ１の場合には、手動装置のフック１６４に操作ロッド（図示せず）を係合して回転操作する。また、図９に示す第２例の巻取りローラＪ２の場合には、電動モータＭ１を巻き上げ駆動する。
すると、出隅キャンバスＧ１は、キャンバス頂部１の表面を内側にし、裏面を外側にして下側から巻取りローラＪ１、Ｊ２に巻き付けられ、図１０（Ｃ）、（Ｄ）や図１１（Ｃ）、（Ｄ）に示すように巻き上げられる。
その際、Ｖ字アームＶ１，Ｖ２は、その二つ折れ連結部に組み込んだ弾性付勢力に抗して折り畳まれ、横行案内レールＲ１とそれに嵌挿したフロントバーＦ１を、壁際部分へ向けて直線的に平行移動しながら折り畳み収納する。
前記の場合、連結ワイヤ１９３，１９４は、フロントバーＦ１とアウターローラ１２を交差連結し、出隅キャンバスＧ１を緊張状態に展開支持している。その為、展開した出隅キャンバスＧ１を横行操作する際に、そのキャンバス本体部Ｘ１を歪ませたり、面内変形を引き起こすことが防止され、出隅キャンバスＧ１の円滑な横行移動を確保する。
【出隅キャンバスの巻き戻し展開と前進過程】
【００６１】
次に、巻取りローラＪ１、Ｊ２に巻き取られた出隅キャンバスＧ１を、建物の前方へ向けて展開する場合には、手動装置のフック１６４に係止した操作ロッドを、前記とは逆方向へ回転操作するか、或いは、電動モータＭ１を巻き戻し方向へ回転駆動する。
すると、インナーローラ１１とアウターローラ１２が一体的に回転し、巻取りローラＪ１，Ｊ２に巻き上げられた出隅キャンバスＧ１が巻き戻され、また、壁際部分に折り畳まれたＶ字アームＶ１，Ｖ２の弾性付勢力が解放され、その押圧付勢力でＶ字アームＶ１，Ｖ２が拡開方向へ付勢回転し、図１０（Ｄ）〜（Ｂ）や図１１（Ｄ）〜（Ｂ）に示すように、フロントバーＦ１を嵌挿した横行案内レールＲ１を、平行移動しながら前方へ向けて直線的に押し出す。
これにより、出隅キャンバスＧ１は、正面壁Ｗ１の前方へ巻き戻されて緊張状態に展開支持される。
【００６２】
次いで、フロントバーＦ１の掛止部２４１に、下方から操作ロッド（図示せず）の先端フック部を引っ掛けた上でコーナー空間部へ向けてスライド操作するか、或いは、掛止部２４１が手の届く程度の高さにある場合には、当該掛止部２４１を把持した上で前方へ向けて押し出し操作する。
すると、出隅キャンバスＧ１は、その展開状態を維持したまま平行移動してコーナー空間部へ押し出される。その際、キャンバス裾部２のフロントバーＦ１は横行案内レールＲ１に沿って、また、キャンバス頂部１のアウターローラ１２はインナーローラ１１に沿って横行スライドする。
それにより、出隅キャンバスＧ１は、図１０（Ｂ）〜（Ａ）や図１１（Ｂ）〜（Ａ）に示すように平行に前進移動し、そのキャンバス張出部Ｘ２がコーナー空間部へ向けて張り出される。
従って、２体のシングル装置Ｓ１ａを、図１（Ａ）、（Ｂ）に示すように、出隅部Ｎ１の正面壁Ｗ１のコーナー位置と、側面壁Ｗ２のコーナー位置に直交状（鈍角状や鋭角状でも可）に突き合わせて取り付け、それぞれの巻取りローラＪ１、Ｊ２に巻き取られた出隅キャンバスＧ１を巻き戻して展開した上で、当該キャンバスＧ１の展開状態を維持したままコーナー空間部へ向けて横行移動すれば、２体の出隅キャンバスＧ１がコーナー空間部で向かい合わせた状態に張り出され、建築物のコーナー空間部が体裁良く覆われる。
【第２実施例】
【００６３】
次に、第２実施例のシングル装置Ｓ１ｂを示す図１２（Ａ）〜（Ｄ）、図１３（Ａ）〜（Ｄ）において、３９１は同調ベルトであって、その基端部をインナーローラ１１の先端部に嵌め込んだベルト車３９２に取り付け、ベルト前端部を横行案内レールＲ１の先端部に取り付けている。
従って、図１２（Ｂ）や図１３（Ｂ）に示すように、装置後半部位に移動した出隅キャンバスＧ１を巻き上げたり、巻き戻す際に、装置先端部では同調ベルト３９１がベルト車３９２に巻き取られたり、巻き戻される。
このベルト巻取り装置により、出隅キャンバスＧ１を巻き上げたり、巻き戻す際に、装置後方部に対して装置先端部が不均衡となることを防止し、横行案内レールＲ１の前後方向への平行移動が、バランス良く円滑且つ確実に行われる。
その他の構成は、第１実施例と同様であるので、同一の図面符号を付してその説明を省略する。
【第３実施例】
【００６４】
第３実施例のシングル装置Ｓ１ｃを示す図１４（Ａ）〜（Ｄ）において、Ｙ１，Ｙ２は平面視して逆ｙ字状で拡開自在に付勢支持した先後対称の折畳みアーム（以下、Ｙ字アームという）であって、長尺な主リンク２９１と、その中間部付近に後端部をピン枢支し、前記主リンク２９１の半分程度の長さとした副リンク２９２とからなる。
副リンク２９２の前端部は、横行案内レールＲ１の先後両端部に固定したブラケット２６２に取り付けられ、また、主リンク２９１の前端部にピン枢支したブラケット２６２は、横行案内レールＲ１に沿って摺動自在に取り付けるか、転動自在に取り付ける。
そして、主リンク２９１の基端部の枢軸部分には、適度な弾性を有するばね（図示せず）が組み込まれ、その弾性力により主リンク２９１が拡開方向へ揺動するように付勢している。また、主リンク２９１のリンク中間部と副リンク２９２との二つ折れ連結部には、ばねや引張ワイヤ（図示せず）等が組み込まれ、当該連結部を拡開方向へ押圧付勢している。
【００６５】
そこで、図１４（Ｂ）に示すように、装置後半部に後退移動した出隅キャンバスＧ１を巻き上げると、図１４（Ｂ）〜（Ｄ）に示すように、Ｙ字アームＹ１，Ｙ２の内、主リンク２９１のリンク後半部と副リンク２９２とからなるリンク部分が、その二つ折れ連結部に組み込んだばね等による弾性付勢力に抗して二つ折りされ、また、主リンク２９１の前端部が、横行案内レールＲ１にスライド案内されて折り畳まれる。
これにより、出隅キャンバスＧ１が巻取りローラＪ１，Ｊ２に巻き上げられ、装置全体を壁際部分にコンパクトに折り畳み収納する。
従って、折畳みアームを、前記のようなＹ字アームＹ１，Ｙ２とした場合には、第１・第２実施例に示すＶ字アームＶ１，Ｖ２の場合に比して、展開した出隅キャンバスＧ１の横行移動が円滑、確実になされ、また、横行案内レールＲ１の平行移動性が向上する。
その他の構成は、第1実施例の場合と同様であるので、同一の図面符号を付してその説明を省略する。
尚、前記した第１実施例と第３実施例の折衷案として、横行案内レールＲ１の先端部位をＹ字アームＹ１で支持し、その後方部位をＶ字アームＶ２で支持することもできる。
【第４実施例】
【００６６】
第４実施例のシングル装置Ｓ１ｄを示す図１５（Ａ）、（Ｂ）から図１７（Ａ）〜（Ｄ）において、Ｉ１，Ｉ２は平行に支持した２体で１組の直線状の折畳みアーム（以下、Ｉ字アームという）であって、フロントバーＦ１を摺動案内する横行案内レールＲ１を、壁際部分から手前側の斜め前方へ向けて平行に押し出したり、逆に斜め後方へ向けて平行回転自在に支持している。
このＩ字アームＩ１，Ｉ２の基端部をピン枢支するブラケット２６１は、ケーシングＫ１の先端下部付近で出隅部Ｎ１のコーナー端部寄りの位置と、そこから後方へ適宜間隔を隔てたケーシングＫ１の中間部付近の正面壁Ｗ１にそれぞれ固定している。
Ｉ字アームＩ１，Ｉ２の前端部をピン枢支するブラケット２６２は、横行案内レールＲ１の中間部付近と後端部の背面位置に、前記ブラケット２６１と同じ間隔に固定している。
そして、Ｉ字アームＩ１，Ｉ２の基端部と前端部のいずれか一方又は両方の枢軸部分には、ばね（図示せず）が組み込まれ、その弾性付勢力により壁際部分に折り畳まれたＩ字アームＩ１，Ｉ２が拡開方向へ平行回転し、フロントバーＦ１を嵌挿した横行案内レールＲ１を、図１６（Ｄ）〜（Ｂ）や図１７（Ｄ）〜（Ｂ）に示すように、斜め前方に向けて平行に押し出しながら、出隅キャンバスＧ１が巻き戻されて展開する。
それとは逆に、出隅キャンバスＧ１を巻き取る際には、Ｉ字アームＩ１，Ｉ２が、その弾性付勢力に抗して平行回転し、横行案内レールＲ１を斜め後方の壁際部分へ向けて平行移動しながら折り畳み収納する。
このシングル装置Ｓ１ｄは、前記した第１〜第３実施例の場合と異なり、フロントバーＦ１を嵌挿した横行案内レールＲ１が、直線的に平行移動するのではなく、斜行しながら平行移動するようにしている。
その他の構成は、第１実施例と同様であるので、同一の図面符号を付してその説明を省略する。
【従来の可動オーニング装置との組み合わせ】
【００６７】
ところで、前記した本発明のシングル装置Ｓ１ａ〜Ｓ１ｄの後半部位には、図１８（Ａ）〜（Ｃ）に示すように、矩形キャンバスＰ１を展開したり、巻き取る従来構造の可動オーニング装置Ｑ（以下、従来装置という）を組み合わせることができる。
同図において、Ｋ２は矩形キャンバスＰ１を巻き取り収納するケーシングであって、その内部には、手動操作又は電動操作により正逆回転する巻取りローラ３０が組み込まれ、矩形キャンバスＰ１の頂部５が取り付けられる。
３１は矩形キャンバスＰ１の裾部６を固定するフロントバー、Ｖ３，Ｖ４は一対の二つ折れ自在なＶ字アームであって、第１・第２実施例に示すＶ字アームＶ１，Ｖ２の場合と同様に、ばねやワイヤ等によりＶ字アームＶ３，Ｖ４を押し広げる方向へ付勢している。
そこで、本発明に係るシングル装置Ｓ１ａ〜Ｓ１ｄのケーシングＫ１の後半底部位置に、従来装置ＱのケーシングＫ２の先端寄りの前半部位をほぼ重ね合わせて取り付け、また、Ｖ字アームＶ３，Ｖ４の基端部を外壁Ｗ１，Ｗ２の直線区間に先後に適宜間隔を隔てて固定する。
そこで、従来装置Ｑの巻取りローラ３０を、手動ハンドルや電動モータ（図示せず）で巻き上げ回転すると、当該巻取りローラ３０に矩形キャンバスＰ１の裏面側を内側にし、表面側を外側にして巻き取ることで上巻きされ、他方、Ｖ字アームＶ３，Ｖ４がその弾性付勢力に抗して内側へ折り畳まれ、フロントバー３１を壁際部分へ向けて平行移動することで壁面収納される。
斯様に、本発明のシングル装置Ｓ１ａ〜Ｓ１ｄのいずれかと、従来装置Ｑを組み合わせることにより、各種建築物のコーナー空間部を含む外廻りが、恰も一体物のように統一的に体裁良く覆われる。
前記の場合には、出隅キャンバスＧ１を下巻きし、矩形キャンバスＰ１を上巻きすることで、展開時における両キャンバスＧ１、Ｐ１の境界部分での段差が目立たないように配慮しているが、それとは逆に、従来装置ＱのケーシングＫ２と、本発明のシングル装置Ｓ１ａ〜Ｓ１ｄのケーシングＫ１との重ね合わせ状態を上下変更することで、出隅キャンバスＧ１を上巻きし、矩形キャンバスＰ１を下巻きするように組み合わせることもできる。
【連動構造】
【００６８】
前記の場合、シングル装置Ｓ１ａ〜Ｓ１ｄの巻取りローラＪ１，Ｊ２を手動回転したり、電動回転する場合について説明したが、２体のシングル装置Ｓ１ａ〜Ｓ１ｄを出隅部Ｎ１の一方と他方に向かい合わせて突き合わせ、そのコーナーキャップ１４５内部の装置先端部を、図２０（Ａ）に示す斜歯歯車５２（傘歯車でも可）による噛み合い構造としたり、或いは、図２０（Ｂ）に示すウォーム１６２とウォーム歯車１６１による噛み合い構造とすることで、出隅キャンバスＧ１の巻き取りや巻き戻し作業を連動させることもできる。
それにより、一方の電動装置を不要としたり、手動装置を簡素化する。
【出隅キャンバスの均等巻き付け】
【００６９】
前記の場合、出隅キャンバスＧ１を巻取りローラＪ１，Ｊ２に巻き取る際、巻取り径を小径とするインナーローラ１１の前半外周面にキャンバス張出部Ｘ２が巻き取られる。
その為、キャンバス張出部Ｘ２の側を巻き付ける際に、型崩れを引き起こして巻き上げられ、それが原因でキャンバス引き出し時には、展開したキャンバス張出部Ｘ２の側に巻き取り皺が形成されることが想定され、体裁性を損なう事態ともなる。
それを、出隅キャンバスＧ１それ自体の工夫により防止する手段を示す図１９（Ａ）〜（Ｃ）において、３２はキャンバス斜部３寄りの表面側に縁取り固定した嵩上げシートであって、その膜厚をキャンバス頂部１から裾部２にかけて連続的に徐々に厚く形成している。
このような嵩上げシート３２を備えたキャンバス張出部Ｘ２が、インナーローラ１１に巻き付られると、前記シート３２の部分が一種のスペーサー機能を発揮し、図１９（Ｃ）に示すように螺旋状に嵩上げされて均等に巻き付けられる。
前記の場合、嵩上げシート３２の膜厚を徐々に厚く形成したが、一巻き毎や二巻き毎に、段階的に厚みを増すこともできる。
尚、キャンバス巻き取り時の前記弊害を防止するその他の手法としては、前記した先行出願に係る国際特許出願１の「コーナーオーニング装置」において、図２２〜図２７と図４７〜図４９に開示したキャンバス嵩上げ装置を、前記した出隅キャンバスＧ１の巻取りローラＪ１，Ｊ２に組み込むこともできるが、ここでは、その詳細な説明を省略する。
【第２．折畳みアーム方式の複合オーニング装置】
【００７０】
この方式の複合装置は、それを、便宜上、第１〜第４グループに分けすることができ、その内、第１グループの複合装置ＳＱII１〜９は、図２１〜図４０に示すように、主に、建物の一方の、例えば、装置先端部が出隅部Ｎ１で、その後方部にかけての正面壁Ｗ１や側面壁Ｗ２を、直線区間（緩やかな曲線区間でも可）とする場所を対象として取り付けられる。
第２グループの複合装置ＳＵII１・２は、図４２〜図４５に示すように、一方が出隅部Ｎ１で、他方を入隅部Ｌとする外壁Ｗ１，Ｗ２部分の直線区間に取り付けられる。
第３グループの複合装置ＳＱＳIV１・２は、図４６〜図４９に示すように、その先後両端部が出隅部Ｎ１、Ｎ２で、その間の外壁Ｗ１，Ｗ２部分が適宜長さの直線区間となる場所を対象とする。
第４グループの複合装置ＳＳIIは、図５０と図５１に示すように、一方の出隅部Ｎ１と他方の出隅部Ｎ１の距離が第３グループの場合に比して短い直線区間を対象とする。
以下、第１〜第４グループの複合装置を、添付図面に従って順次説明する。
【第１グループの複合オーニング装置】
【００７１】
このグループの複合装置は、出隅部Ｎ１のコーナー空間部を覆う出隅キャンバスＧ１，Ｇ２のオーニング装置Ｓ１，Ｓ２（以下、出隅用オーニング装置という）と、直線区間の建物外回りを覆う長短いずれかの矩形キャンバスＰ１，Ｐ２のオーニング装置Ｑ１，Ｑ２（以下、矩形オーニング装置という）を有機的に組み合わせている。
その内、出隅用オーニング装置Ｓ１，Ｓ２には、前記したシングル装置Ｓ１ａ〜Ｓ１ｄと同様な、インナーローラ１１にアウターローラ１２をスライド案内自在に嵌挿支持した出隅キャンバスＧ１，Ｇ２の巻取りローラＪ１〜Ｊ３と、そのフロントバーＦ２，Ｆ３とからなるキャンバス巻取り装置を備えている。
矩形オーニング装置Ｑ１，Ｑ２には、長短いずれかの矩形キャンバスＰ１，Ｐ２の巻取りローラ３０，３０ａと、そのフロントバーＲ２，Ｒ３を備えたキャンバス巻取り装置と、矩形キャンバスＰ１，Ｐ２のフロントバーＲ２，Ｒ３を、平行移動自在に支持する折畳みアームＶ１，Ｖ２、Ｙ１，Ｙ２とからなるキャンバス緊張装置を備えている。
そして、出隅キャンバスＧ１，Ｇ２のフロントバーＦ２，Ｆ３を、矩形キャンバスＰ１，Ｐ２のフロントバーＲ２，Ｒ３の外側面又は内側面のいずれかにスライド自在に嵌挿している。
【第１実施例】
【００７２】
そこで、図２１〜図３１に示す第１実施例の複合装置ＳＱII１における出隅用オーニング装置Ｓ１と矩形オーニング装置Ｑ１の各部の構成と、その有機的な結合関係を説明する。
【出隅用オーニング装置】
【（１）キャンバス巻取り装置】
【００７３】
キャンバス巻取り装置を構成する出隅キャンバスＧ１と、当該キャンバスＧ１の巻取りローラＪ１，Ｊ２は、前記したシングル装置Ｓ１ａ〜Ｓ１ｄの場合と同様であるので、同一の図面符号を付してその説明を省略する。
出隅キャンバスＧ１を巻き取ったり、巻き戻すには、図６に示す手動構造の巻取りローラＪ１や、図９に示す電動構造の巻取りローラＪ２、或いは、場合によっては、後記する図２７に示すばね構造の巻取りローラＪ３のいずれかが、後記する矩形キャンバスＰ１，Ｐ２の巻取りローラ３０，３０ａとの関係で組み合わされる。
【（２）フロントバー】
【００７４】
Ｆ２は出隅キャンバスＧ１，Ｇ２の裾部２を取り付けるフロントバーであって、その前板部３４１を弧状面（鉛直面でも可）に成形し、背面部を開口形成している。
３５１，３５２は上向きに開口した上部嵌合溝と、下向きに開口した下部嵌合溝であって、フロントバーＦ２の前面上下位置から後方へ張り出した上板部３４２と下板部３４３の長手方向へ形成している。３４４，３４５は上板部３４２の中間付近と後端付近に穿設した通孔である。
そこで、キャンバス裾部２を上部嵌合溝３５１に臨ませ、その通孔１８２に取付ワイヤ１８４を挿通することで、キャンバス裾部２を抜け止め固定する。
次いで、底部引出口から引き出した連結ワイヤ１９３，１９４の末端部を、図２４（Ｃ）や図２５（Ａ）に示す通孔３４４，３４５に挿通し、出隅キャンバスＧ１を適度な緊張状態に張り渡し、止め具１９７，１９８をビス固定する。
図２２（Ｂ）と図２３において、２２１はフロントバーＦ２に垂下形成したフロントスカートであって、図７（Ａ）に示すフロントスカート２２１の頂部に形成した通孔２２２を、下部嵌合溝３５２に臨ませ、取付ワイヤ１８５を挿通することで抜け止め固定する。
【矩形オーニング装置】
【（１）キャンバス巻取り装置】
【００７５】
次に、矩形状の展開形態を呈する矩形キャンバスＰ１と、それを巻き取ったり、巻き戻す巻取り装置を、図２１〜図２５、図２９〜図３１に基づいて説明する。
矩形キャンバスＰ１のケーシングＫ２は、図２１（Ａ）、（Ｂ）や図２２（Ａ）、（Ｂ）に示すように、出隅キャンバスＧ１のケーシングＫ１の後半底部位置から後方部に向かう直線区間の外壁Ｗ１に、当該ケーシングＫ２の前半部をほぼ上下に重ね合わせて直接取り付けるか、適宜の支持ブラケット（図示せず）を介して壁際部分に間接的に固定され、必要に応じて、その前傾角度を可変調整自在に取り付けられる。
ケーシングＫ２には、アウターローラ１２と同一径の矩形キャンバスＰ１の巻取りローラ３０を軸受支持している。
尚、ケーシングＫ２は、ケーシングＫ１を上下反転することで、ケーシングＫ２の前面上方部にキャンバス引出口１３２が形成され、また、先後両端部のエンドキャップ４０１，４０２も、前記ケーシングＫ１のエンドキャップ１４１，１４２と上下位置が逆の構成としており、ケーシングＫ１，Ｋ２の部品共通化に対処している。
【（２）巻取りローラの第１例】
【００７６】
図２６（Ａ）、（Ｂ）において、Ｍ２は巻取りローラ３０の後方部に挿通してなる電動モータであって、前記した電動モータＭ１の場合と同様に、その先端部にモータ出力軸４５１を、後端部に固定用軸部４５２をそれぞれ突設している。
４６１は巻取りローラ３０の内周面に嵌合する溝部を備えた伝動ソケットであって、その軸孔４６２にモータ出力軸４５１が嵌合する。４４１，４４２は溝部を備えたエンドキャップであって、巻取りローラ３０の先後両端部に嵌め込まれ、その内、一方のエンドキャップ４４１の支軸４４３をエンドキャップ４０１の軸受部４０３に軸受支持する。
４４６はエンドキャップ４４２の本体中央部に形成した円形孔であって、電動モータＭ２の本体後部位置を挿通支持する。
そこで、モータ出力軸４５１に伝動ソケット４６１を嵌合した上で、電動モータＭ２を巻取りローラ３０の後部位置に挿通し、他方、電動モータＭ２の本体後部位置にエンドキャップ４４２を挿通し、当該キャップ４４２を巻取りローラ３０の後端部に嵌め込み、電動モータＭ２の後端軸部４５２をエンドキャップ４０２の軸受部４０４の扁平孔に嵌合固定する。
これにより、巻取りローラ３０に組み込まれた電動モータＭ２が駆動すると、その出力軸４５１と伝動ソケット４６１と巻取りローラ３０が一体的に正逆回転する。
３０１は巻取りローラ３０の軸線方向に形成したΩ状のキャンバス嵌合溝であって、当該嵌合溝３０１には、図２３や図２４（Ａ）に示すように、矩形キャンバスＰ１のキャンバス頂部５を臨ませ、取付ワイヤ３０２を挿通して抜け止め固定する。
【００７７】
尚、前記の巻取りローラ３０を電動モータＭ２に代えて手動回転する場合には、同図に示す電動モータＭ２と伝動ソケット４６１とエンドキャップ４４２を取り外し、それに代えて、巻取りローラ３０の先後両端部にエンドキャップ４４１を嵌め込み、当該先後いずれか一方のエンドキャップ４４１の軸部４４３に、図６（Ａ）に示す巻取りローラＪ１の場合と同様に、ウォーム歯車（図示せず）を嵌め込む。そして、ケーシングＫ２のエンドキャップ４０１の内部に、前記ウォーム歯車と噛み合うウォームを嵌め込んだ回転軸（図示せず）を鉛直に軸受支持することにより構成する。
【（３）フロントバー】
【００７８】
Ｒ２は矩形キャンバスＰ１の裾部６を取り付けると共に、出隅キャンバスＧ１のフロントバーＦ２をスライド案内するフロントバーであって、その前板部３６１を前記フロントバーＦ２とほぼ同様な弧状面（鉛直面でも可）に成形し、当該フロントバーＲ２に前記フロントバーＦ２が嵌挿支持されるように形成している。
図２４（Ｃ）において、３７１，３７２はフロントバーＲ２の上板部３６２と下板部３６３に形成した上部案内溝と下部案内溝であって、その内、上部案内溝３７１にはフロントバーＦ２の上部嵌合溝３５１の突条部が、また、下部案内溝３７２には前記下部嵌合溝３５２の突条部がそれぞれ嵌め込まれる。
これにより、インナー側のフロントバーＲ２が、アウター側のフロントバーＦ２に対するスライド案内レールとしての機能を併有し、また、当該機能を安定的に発揮させる為、当該フロントバーＲ２を、装置後端部から装置先端部の出隅部Ｎ１付近まで延伸した長尺ものとしている。
３８１，３８２は上向きに開口した上部嵌合溝と、下向きに開口した下部嵌合溝であって、前記フロントバーＲ２の上板部３６２と下板部３６３の後半部に形成した段付き部分に長手方向へ形成している。
そこで、矩形キャンバスＰ１の裾部６を、図２３や図２４（Ａ）、（Ｃ）に示すように上部嵌合溝３８１に臨ませ、取付ワイヤ３０３を挿通して抜け止め固定する。
図２２（Ｂ）と図２３において、３９１はフロントバーＲ２に垂下形成したフロントスカートであって、そのスカート頂部を下部嵌合溝３８２に臨ませ、取付ワイヤ３９２を挿通して抜け止め固定する。
これにより、矩形キャンバスＰ１の巻取り装置が構成される。
尚、展開した矩形キャンバスＰ１の先端部と後端部は、キャンバス鉛直部７，８としている。
【００７９】
尚、巻取りローラ３０の長さに比してフロントバーＲ２の長さを長尺とする場合には、図２９（Ａ）、（Ｂ）に示すように、矩形キャンバスＰ１の本体矩形部にＸ字状やＶ字状の袋通孔を形成し、その内部に挿通した連結ワイヤの基端部を巻取りローラ３０に、ワイヤ前端部をフロントバーＲ２の後半部に取り付け、矩形キャンバスＰ１を緊張状態に展開支持することが望ましい。それにより、矩形キャンバスＰ１の巻き取り、巻き戻し時における面内変形を防止し、フロントバーＲ２の平行移動性を担保するに有用である。
勿論、巻取りローラ３０ａとフロントバーＲ２と矩形キャンバスＰ２が、すべて長尺とする場合には、前記した緊張用連結ワイヤを組み込む必要性は希薄である。
【（４）折畳みアーム】
【００８０】
フロントバーＲ２の先後両側位置を支持するＶ字アームＶ１，Ｖ２は、前記したシングル装置Ｓ１ａ，Ｓ１ｂの場合と同様に、後部リンク２５１と前部リンク２５２を二つ折れ自在に連結し、その連結部には、ばねや引張ワイヤ（図示せず）等が組み込まれ、当該Ｖ字アームＶ１，Ｖ２を拡開方向へ押圧付勢している。
後部リンク２５１の基端部をピン枢支するブラケット２６１は、ケーシングＫ１の先端寄りとケーシングＫ２の後端寄りの下部位置の外壁Ｗ１に取り付けている。
２６３はＶ字アームＶ１，Ｖ２の前端部、即ち、前部リンク２５２の前端部をピン枢支するブラケットであって、図２３と図２４（Ｃ）に示すように、当該ブラケット２６３の前半部を斜め上方へ起立形成し、その前端部をフロントバーＲ２の背面部に押し当てている。
２６４はフロントバーＲ２の先後両端部寄りの背面位置に嵌め込んだ取付板であって、前記ブラケット２６３の上方背面部から取付板２６４にビス２６５を螺合し、それによりフロントバーＲ２にブラケット２６３を挟み付けて固定する。
【出隅キャンバスの巻き取り収納過程】
【００８１】
そこで、図３０（Ａ）と図３１（Ａ）に示すように、コーナー空間部へ張り出した出隅キャンバスＧ１と、前方へ展開した矩形キャンバスＰ１を巻き取り収納するに、図９に示す出隅キャンバスＧ１の電動モータＭ１と、図２６に示す矩形キャンバスＰの電動モータＭ２を同期させて巻き上げ駆動する場合について説明する。
先ず、フロントバーＦ２の掛止部２４１に、下方から操作ロッド（図示せず）の先端フック部を引っ掛けた上で後方へスライド操作する。
すると、出隅キャンバスＧ１は、その展開状態を保持したまま後方へ向かって引き下げられ、その際、キャンバス裾部２のフロントバーＦ２が矩形キャンバスＰ１のフロントバーＲ２に沿って後退し、それに追随してキャンバス頂部１のアウターローラ１２も、インナーローラ１１に沿って後退し、それにより出隅キャンバスＧ１は、図３０（Ｂ）や図３１（Ｂ）に示すように後方へ平行移動する。
当然のことながら、キャンバス頂部１のアウターローラ１２は、インナーローラ１１の後半部まで後退するか、或いは、少なくとも、キャンバス張出部Ｘ２の突出端部が、出隅部Ｎ１から食み出さない程度の後方位置まで引き下げられる。
【００８２】
次いで、出隅キャンバスＧ１の電動モータＭ１と、矩形キャンバスＰの電動モータＭ２を同期させて巻き上げ駆動する。
すると、出隅キャンバスＧ１は、キャンバス頂部１の表面を内側にし、裏面を外側にして下側から巻取りローラＪ２に巻き付けられ、それとは逆に、矩形キャンバスＰ１は、キャンバス頂部５の表面を外側にし、裏面を内側にして上側から巻取りローラ３０に巻き付けられ、図３０（Ｃ）、（Ｄ）や図３１（Ｃ）、（Ｄ）に示すように同期しながら巻き上げられる。その際、Ｖ字アームＶ１，Ｖ２は、その二つ折れ連結部に組み込んだばねや引張ワイヤ等による拡開付勢力に抗して折り畳まれ、フロントバーＲ２とそれに嵌挿したフロントバーＦ２を、壁際部分へ向けて直線的に平行移動しながらコンパクトに壁面収納する。
【出隅キャンバスの巻き戻し展開過程】
【００８３】
次に、それぞれの巻取りローラＪ２、３０に巻き取られた出隅キャンバスＧ１と矩形キャンバスＰ１を、建物の前方へ向けて展開する場合には、巻取りローラＪ２の電動モータＭ１と、巻取りローラ３８の電動モータＭ２を、前記とは逆方向へ回転駆動する。
すると、インナーローラ１１とアウターローラ１２が一体的に逆回転し、巻取りローラＪ２に巻き上げられた出隅キャンバスＧ１と、巻取りローラ３０に巻き上げられた矩形キャンバスＰ１がそれぞれ巻き戻され、また、壁際部分に折り畳まれたＶ字アームＶ１，Ｖ２の弾性付勢力が解放され、その押圧付勢力でＶ字アームＶ１，Ｖ２が拡開方向へ付勢回転し、図３０（Ｄ）〜（Ｂ）や図３１（Ｄ）〜（Ｂ）に示すように、フロントバーＦ２を嵌挿したフロントバーＲ２を、平行移動しながら前方へ向けて直線的に押し出す。
これにより、出隅キャンバスＧ１と矩形キャンバスＰ１は、正面壁Ｗ１の前方へ巻き戻され、緊張状態に展開支持される。
【００８４】
次いで、フロントバーＦ１の掛止部２４１に、下方から操作ロッド（図示せず）の先端フック部を引っ掛けた上でコーナー空間部へ向けてスライド操作する。
すると、出隅キャンバスＧ１は、その展開状態を保持したまま横方向へ平行移動してコーナー空間部へ押し出される。その際、キャンバス裾部２のフロントバーＦ２はフロントバーＲ２に沿って、また、キャンバス頂部１のアウターローラ１２はインナーローラ１１に沿って横行し、それにより図３０（Ｂ）〜（Ａ）や図３１（Ｂ）〜（Ａ）に示すように出隅キャンバスＧ１が平行に前進移動し、そのキャンバス張出部Ｘ２がコーナー空間部へ向けて張り出される。
従って、斯様な複合装置ＳＱII１の２組を、図２１（Ａ）、（Ｂ）に示すように、出隅部Ｎ１の正面壁Ｗ１のコーナー付近と側面壁Ｗ２のコーナー付近に、直角状（鈍角状や鋭角状でも可）に突き合わせて取り付け、その一方と他方をそれぞれ独立別個に展開作動したり、連動させて展開作動することにより、出隅部Ｎ１のコーナー空間部を含む建物外回りが体裁良く覆われる。
【００８５】
前記の場合には、出隅用オーニング装置Ｓ１と矩形オーニング装置Ｑ１を、それぞれの電動モータＭ１，Ｍ２を同期させて連動する場合について説明したが、それらの巻取りローラＪ２と巻取りローラ３０のいずれか一方を、図２７や図２８に示すようなコイルばねを内蔵した従動用ローラとし、他方を電動又は手動の駆動用ローラとして組み合わせることもできる。
【出隅キャンバスの巻取りローラの第３例】
【００８６】
そこで、第３例の巻取りローラＪ３を示す図２７において、４７１はインナーローラ１１の後半位置に挿通したコイルばね、４８１は円盤状のばね止めソケットであって、その偏芯位置に明けた通孔４８３にコイルばね４７１の先端部４７２を、また、その後端部４７３をエンドキャップ１５２の偏芯位置に明けた通孔１５７にそれぞれ嵌挿支持する。
４９１はコイルばね４７１を貫挿支持する固定軸であって、エンドキャップ１５２の中央通孔１５６からコイルばね４７１にかけて貫通し、その軸先端部４９２をばね止めソケット４８１の扁平孔４８２に、また、軸後端部４９３をエンドキャップ１４２の軸受部１４５の扁平孔にそれぞれ嵌合固定している。
従って、巻取りローラＪ３が回転すると、インナーローラ１１のエンドキャップ１５２を介してコイルばね４７１が徐々に圧縮され、当該コイルばね４７１に弾性エネルギーが蓄積されたり、或いは、蓄積された弾性エネルギーが放出される。
具体的には、巻取りローラＪ３への出隅キャンバスＧ１の巻上げ完了した時点で、若干の予圧を残して弾性エネルギーが放出される。
それとは逆に、出隅キャンバスＧ１が展開されるに伴って、コイルばね４７１に弾性エネルギーが徐々に蓄積され、展開完了時に最大の弾性付勢力が蓄積される。
【矩形キャンバスの巻取りローラの第２例】
【００８７】
前記とは逆に、図９に示す電動モータＭ１で巻取りローラＪ２を、或いは、図６に示す手動装置により巻取りローラＪ１を駆動する場合、従動側となる矩形キャンバスＰ１の巻取りローラ３０には、コイルばね４１１を図２８に示すように組み込むことができる。
即ち、コイルばね４１１が巻取りローラ３０の後半位置に挿通され、その先端部４１２をばね止めソケット４２１の偏芯位置に明けた通孔４２３に、また、その後端部４１３をエンドキャップ４４２の偏芯位置に明けた通孔４４５にそれぞれ嵌挿支持する。
そして、コイルばね４１１に貫挿する固定軸４３１を、エンドキャップ４４２の中央通孔４４４からコイルばね４１１にかけて貫挿し、その軸先端部４３２をソケット４２１の扁平孔４２２に、また、軸後端部４３３をエンドキャップ４０２の軸受部４０４の扁平孔にそれぞれ嵌合固定している。
従って、図９に示す電動モータＭ１や図６に示す手動装置の駆動に伴って、図２８に示す巻取りローラ３０が従動回転すると、当該ローラ３０のエンドキャップ４４２を介してコイルばね４１１が徐々に圧縮されることで、弾性エネルギーが蓄積されたり、或いは、蓄積された弾性エネルギーが放出される。
具体的には、巻取りローラ３０に矩形キャンバスＰ１の巻上げが完了した時点で、若干の予圧を残して弾性エネルギーが放出される。
それとは逆に、矩形キャンバスＰ１が展開されるに伴って、コイルばね４１１に弾性エネルギーが徐々に蓄積され、その展開完了時に最大の弾性付勢力が蓄積される。
【００８８】
従って、一方を電動又は手動の駆動装置とし、他方を前記したコイルばね４７１を備えた巻取りローラＪ３，３０のいずれかと組み合わせた場合、従動側となる巻取りローラＪ３，３０への巻き上げ収納時と巻き戻し展開時には、適正な弾性付勢力を常時作用させることができる。その為、従動側のキャンバスＧ１，Ｐ１を弛緩させたまま巻き上げ完了したり、巻き戻された従動側のキャンバスＧ１，Ｐ１が不十分な展開状態に巻き戻される等の張力不足を補完したり、或いは、張力が必要以上に強くなりすぎる場合の緩衝効果を発揮することで張力調整がなされる。
同様に、巻取りローラＪ２，３０を電動モータＭ１，Ｍ２により同期駆動させることで、両キャンバスＧ１，Ｐ１を巻き取ったり、巻き戻して展開する場合においても、実際上、いずれか一方の巻き上げや巻き戻しが不十分となったり、それとは逆に、一方の張力が他方に比して強くなりすぎるような事態が想到される。
そのような場合に、コイルばね４７１，４１１を、図９に示す巻取りローラＪ２や図２６に示す巻取りローラ３０に組み込むことにより、張力不足を補完したり、張力を適度に和らげて緩衝する張力調整効果を発揮させることもできる。
【第２実施例】
【００８９】
図３２（Ａ）〜（Ｄ）に示す第２実施例の複合装置ＳＱII２において、３９２はインナーローラ１１の先端部に嵌着固定したベルト車であって、幅の狭い同調ベルト３９１のベルト基端部を固定し、ベルト前端部をフロントバーＲ２の先端寄りの背面部に固定している。このベルト巻取り装置が、出隅キャンバスＧ１と矩形キャンバスＰ１の巻き取り時に同調することにより、特に、出隅キャンバスＧ１の巻き上げ時と巻き戻し時に不均衡な負荷が加わることを防止し、両フロントバーＲ２、Ｆ２の前後方向への平行移動が偏ることなく、バランス良く円滑、確実に行われる。
【第３実施例】
【００９０】
図３３（Ａ）〜（Ｄ）に示す第３実施例の複合装置ＳＱII３において、３９３は幅の狭い同調ベルトであって、そのベルト基端部を、装置先端付近まで延長した長尺の巻取りローラ３０ａの先端部に固定し、ベルト前端部をフロントバーＲ２の先端部の背面位置に固定している。この場合、巻取りローラ３０ａとフロントバーＲ２の長さはほぼ同じ程度である。
このベルト巻取り装置が、矩形キャンバスＰ１と出隅キャンバスＧ１の巻き取り時と巻き戻し時に同調することにより、矩形キャンバスＰ１と出隅キャンバスＧ１を巻き上げる際に不均衡な負荷が加わることを防止する。
【第４実施例】
【００９１】
図３４（Ａ）〜（Ｄ）に示す第４実施例の複合装置ＳＱII４において、矩形オーニング装置Ｑ２は、装置先端部まで延ばした長尺の巻取りローラ３０ａに、長尺の矩形キャンバスＰ２を巻き上げたり、巻き戻すようにしている。
その結果、前記した第２・第３実施例に示すベルト巻取り装置を不要とすることができる。
また、この場合は、巻取りローラ３０ａと矩形キャンバスＰ２とフロントバーＲ２を総て長尺として組み合わせているので、矩形キャンバスＰ２をバランス良く巻き上げたり、巻き戻すことができる。その為、図２９（Ａ）、（Ｂ）に示すようなキャンバス緊張用の連結ワイヤを、矩形キャンバスＰ２の本体部に組み付ける必要性をなくすこともできる。
【第５実施例】
【００９２】
図３５（Ａ）〜（Ｄ）に示す第５実施例の複合装置ＳＱII５は、第1実施例の複合装置ＳＱII１における矩形オーニング装置Ｑ１と出隅用オーニング装置Ｓ１の上下のレイアウトを変更した場合である。
同図において、Ｒ３は矩形キャンバスＰ１のフロントバー、Ｆ３は出隅キャンバスＧ１のフロントバーであって、第1実施例の複合装置ＳＱII１の場合とは逆に、矩形キャンバスＰ１のフロントバーＲ３をアウター側とし、出隅キャンバスＧ１のフロントバーＦ３をインナー側とすることにより、両者をスライド自在に嵌挿支持している。
この場合、Ｖ字アームＶ１，Ｖ２の前端部のブラケット２６４は、フロントバーＲ３の先後両端部の底部位置に取り付けられ、出隅キャンバスＧ１のフロントバーＦ３の進退移動を妨げないようにしている。
この場合、下部側に展開した出隅キャンバスＧ１は上巻きされ、上部側に展開した矩形キャンバスＰ１を下巻きすることにより、展開時における両キャンバスＧ１、Ｐ１の重なり合い部分の隙間が目立たないように配慮している。
【第６実施例】
【００９３】
図３６（Ａ）〜（Ｄ）に示す第６実施例の複合装置ＳＱII６は、第４実施例の複合装置ＳＱII４における矩形オーニング装置Ｑ１と出隅用オーニング装置Ｓ１の上下のレイアウトを変更した場合である。
この場合も第５実施例と同様に、長尺の矩形キャンバスＰ２のフロントバーＲ３をアウター側とし、出隅キャンバスＧ１のフロントバーＦ３をインナー側とすることにより、両フロントバーＲ３，Ｆ３をスライド自在に嵌挿している。
【第７実施例】
【００９４】
図３７（Ａ）〜（Ｄ）に示す第７実施例の複合装置ＳＱII７は、前記した第４実施例の複合装置ＳＱII４における直角台形状の展開形態を呈する出隅キャンバスＧ１に代えて、ほぼ三角形状の展開形態を呈する出隅キャンバスＧ２（以下、三角キャンバスともいう）を構成した場合である。
図３９において、５３１，５３２は三角キャンバスＧ２の斜部３ａ，３ｂに袋状に形成した通孔であって、その内部に連結ワイヤ５４１，５４２が挿通され、ワイヤ先端部の係合片５４３，５４４を、比較的長さの短いアウターローラ１２ａの嵌合溝１２１に嵌め込み、止着ネジ１０１，１０２により挟み付けて固定している。
ワイヤ５４１，５４２の前端部は、三角キャンバスＧ２の裾部２ａを取り付けるフロントバーＦ２の先後両端位置に取り付ける。
そこで、三角キャンバスＧ２を図３７（Ｂ）に示すようにインナーローラ１１の中間付近まで後退移動した上で、当該三角キャンバスＧ２と矩形キャンバスＰ２が、図３７（Ｃ）、（Ｄ）に示すように、巻取りローラＪ１〜Ｊ３と巻取りローラ３０ａに同期して巻き上げられる。
【第８実施例】
【００９５】
図３８（Ａ）〜（Ｄ）に示す第８実施例の複合装置ＳＱII８は、前記した第６実施例の複合装置ＳＱII６の出隅キャンバスＧ１を三角キャンバスＧ２に置換した場合で、前記した第７実施例の複合装置ＳＱII７における三角キャンバスＧ２と、長尺の矩形キャンバスＰ２の上下関係を変更した場合である。
この場合には、上部側の矩形キャンバスＰ２を下巻きし、下部側の三角キャンバスＧ２を上巻きすることにより、両キャンバスＰ２，Ｇ２がそれぞれの巻取りローラ３０ａ、Ｊ１〜Ｊ３に同期して巻き上げられる。
この場合も第５・第６実施例の場合と同様に、矩形キャンバスＰ２のフロントバーＲ３をアウター側とし、三角キャンバスＧ２のフロントバーＦ３をインナー側とすることにより、両フロントバーＲ３，Ｆ３をスライド自在に嵌挿している。
【第９実施例】
【００９６】
図４０（Ａ）〜（Ｄ）に示す第９実施例の複合装置ＳＱII９は、第1実施例の複合装置ＳＱII１におけるＶ字アームＶ１，Ｖ２を、Ｙ字アームＹ１，Ｙ２に置換した場合である。
これにより、出隅キャンバスＧ１と矩形キャンバスＰ１の巻き取り、巻き戻しと、展開した出隅キャンバスＧ１の進退移動が円滑に行われ、また、フロントバーＲ２の平行移動性が向上する。
尚、前記した第１実施例と第９実施例の折衷案として、フロントバーＲ２の先端部位をＹ字アームＹ１で支持し、その後方部位をＶ字アームＶ２で支持することもできる。
【ケーシング】
【００９７】
ところで、第１グループの複合装置ＳＱII１、２の場合には、出隅キャンバスＧ１のケーシングＫ１と、その底部後半付近から後方部にかけての直線区間に、矩形キャンバスＰ１のケーシングＫ２を重ね合わせて取り付けるように構成したが、それらを図４１（Ａ）、（Ｂ）に示すような１体のケーシングＫ３に、前記した巻取りローラＪ１〜Ｊ３のいずれかと、図２６や図２８に示す巻取りローラ３０のいずれかを組み込むこともできる。
同図において、ケーシングＫ３の先後両端部には、エンドキャップ５０１，５０２が嵌め込まれ、ケーシングＫ３内部の上部側には、巻取りローラＪ１〜Ｊ３のインナーローラ１１ａを後方へ延伸して軸受支持し、また、下部側には図２６や図２８に示す巻取りローラ３０のいずれかをそれぞれ軸受支持し、その先端部を中間軸受５０３に支持している。
１３３はケーシングＫ３の前面中央部に開口した出隅キャンバスＧ１と矩形キャンバスＰ１の引出口である。
この場合、図４１（Ｃ）に示すように、装置後方へ伸ばしたインナーローラ１１ａの後端部と、巻取りローラ３０，３０ａの後端部に平歯車５１１，５１２を嵌め込んで噛み合わせた連動構造とすることができる。
その為、出隅用オーニング装置Ｓ１，Ｓ２と矩形オーニング装置Ｑ１，Ｑ２のいずれか一方を、電動又は手動の駆動構造とし、その他方を平歯車５１１，５１２の噛み合いを介して従動回転させることができる。
【第２グループの複合装置】
【００９８】
このグループの複合装置ＳＵII１・２は、一方が出隅部Ｎ１で、他方を入隅部Ｌとする直線区間に適用するもので、図４２〜図４５に示すように、第１タイプの複合装置ＳＱII１〜９における矩形キャンバスＰ１，Ｐ２に代えて、入隅部Ｌのコーナー空間部を覆うほぼ直角逆台形状の展開形態を呈する長短のコーナーキャンバスＰ３，Ｐ４（以下、入隅キャンバスという）が組み合わされる。
要するに、出隅用オーニング装置Ｓ１と、長短いずれかの入隅キャンバスＰ３、Ｐ４のオーニング装置Ｕ１，Ｕ２（以下、入隅用オーニング装置という）を組み合わせ、更に、入隅キャンバスＰ３，Ｐ４のフロントバーＲ２に出隅キャンバスＧ１のフロントバーＦ２を摺動自在に嵌挿支持し、当該両フロントバーＦ２，Ｒ２をＶ字アームＶ１，Ｖ２（Ｙ字アームＹ１、Ｙ２でも可）により前方へ直線的に平行移動自在に構成する。
【第1実施例】
【００９９】
図４２（Ａ）〜（Ｃ）と図４４に示す第１実施例の複合装置ＳＵII１は、第１グループの複合装置ＳＱII１における矩形キャンバスＰ１を、入隅キャンバスＰ３に置換した場合であって、装置中間付近から入隅部Ｌのコーナー付近にかけて形成した巻取りローラ３０に、図４３に示す入隅キャンバスＰ３の頂部５ａを取り付けている。
入隅キャンバスＰ３は、その展開形状をほぼ直角逆台形状の平面形態に形成され、その外形形状を、図４３に示すようにキャンバス裾部６に比して長さの長いキャンバス頂部５ａを天地平行に形成し、キャンバス裾部６の後端部からキャンバス頂部５ａの後端部にかけて斜め４５度程度のキャンバス斜部９に、また、キャンバス頂部５ａとキャンバス裾部６の先端部をキャンバス鉛直部７にそれぞれ形成している。
尚、入隅キャンバスＰ１の本体矩形部には、平面Ｘ字状（Ｖ字状でも可）に交差通路が形成され、その内部に挿通した連結ワイヤ（図示せず）の一方を巻取りローラ３０，３０ａに、その他方をフロントバーＲ２に連結し、それにより入隅キャンバスＰ３の面内変形を防止したり、緊張状態に張設支持する。
【０１００】
そこで、図４２（Ａ）〜（Ｃ）と図４４（Ａ）に示すように、出隅部Ｎ１のコーナー空間部へ張り出した出隅キャンバスＧ１と、入隅部Ｌのコーナー空間部を含む正面壁Ｗ１の前方へ展開した入隅キャンバスＰ３を巻き取り収納するには、張り出した出隅キャンバスＧ１を、その展開状態を保持したまま、図４４（Ａ）〜（Ｂ）に示すように装置後方へスライド操作し、キャンバス張出部Ｘ２の突出端部が、出隅部Ｎ１から食み出さない程度の後方位置まで引き下げる。
次いで、出隅キャンバスＧ１と、入隅キャンバスＰ３を同期させて巻き上げ駆動すると、出隅キャンバスＧ１と入隅キャンバスＰ３は、図４４（Ｂ）〜（Ｄ）に示すように、それぞれの巻取りローラＪ１〜Ｊ３，３０に巻き上げられ、同時に、Ｖ字アームＶ１，Ｖ２を二つ折れしながら、フロントバーＲ２とそれに嵌挿したフロントバーＦ２を、壁際部分へ向けて直線的に平行移動する。
それにより、装置全体が出隅部Ｎ１と入隅部Ｌの間の壁際部分に、図４４（Ｄ）に示すようにコンパクトに壁面収納される。
【第２実施例】
【０１０１】
図４５（Ａ）〜（Ｄ）に示す第２実施例の複合装置ＳＵII２は、第１グループの複合装置ＳＱII４における長尺の矩形キャンバスＰ２を、同じく装置先端部まて延長した長尺の入隅キャンバスＰ４に置換した場合である。
そこで、装置先端部から入隅部Ｌのコーナー付近までのローラ長さに形成した長尺の巻取りローラ３０ａに、入隅キャンバスＰ４のキャンバス頂部を取り付けている。そして、入隅キャンバスＰ４の裾部を、フロントバーＲ２の長さ全体に取り付けている。
その他の構成は、前記した第１実施例と同じであるので、同一の図面符号を付してその説明を省略する。
尚、第２グループの複合装置ＳＵII１・２は、前記した第１・第２実施例の場合に止まらず、第１グループの複合装置ＳＱII２・３、ＳＱII５〜９における矩形キャンバスＰ１，Ｐ２を、直角逆台形状の入隅キャンバスＰ３，Ｐ４に置換することで、第１グループの場合と同様に多数の実施形態が成立する。
【第３グループの複合装置】
【０１０２】
このグループの複合装置ＳＱＳIV１・２は、その先後両端部が出隅部Ｎ１、Ｎ２で、その間の外壁Ｗ１部分が適宜長さの直線区間となる部位に取り付けられ、図４６〜図４９に示すように、一方の出隅部Ｎ１のコーナー寄り位置に取り付ける出隅用オーニング装置Ｓ１と、他方の出隅部Ｎ２のコーナー寄り位置に先後対称に取り付ける出隅用オーニング装置Ｓ１１と、両オーニング装置Ｓ１，Ｓ１１の間の直線区間に取り付ける矩形オーニング装置Ｑ１を有機的に組み合わせている。
そして、中間部の矩形キャンバスＰ１のフロントバーＲ２、Ｒ３に対し、先後位置の出隅キャンバスＧ１の両フロントバーＦ２，Ｆ３をスライド案内自在に嵌挿支持し、その内、フロントバーＲ２，Ｒ３を、その左右両側位置に振り分けた４体（２体でも可）のＶ字アームＶ１〜Ｖ４により平行移動自在に構成している。
【第１実施例】
【０１０３】
第１実施例の複合装置ＳＱＳIV１は、図４６（Ａ）、（Ｂ）に示すように、巻取りローラＪ１〜Ｊ３を備えた出隅用オーニング装置Ｓ１,Ｓ１１のケーシングＫ１を、正面壁Ｗ１の一方と他方にほぼ背中合わせに取り付け、当該先後２体のケーシングＫ１の底部中央位置に、矩形オーニング装置Ｑ１のケーシングＫ２を上下に重ね合わせて取り付ける。
この場合、中間部の矩形オーニング装置Ｑ１のフロントバーＲ２は、一方と他方の出隅部Ｎ１，Ｎ２のコーナー端部寄りの位置まで延伸した長さに形成され、その先後両側位置に適宜の間隔を隔てて合計４体のＶ字アームＶ１〜Ｖ４により両端支持している。
そして、矩形キャンバスＰ１のフロントバーＲ２の先後位置には、先後２体の出隅キャンバスＧ１のフロントバーＦ２をスライド自在に嵌挿支持する。
【０１０４】
そこで、図４６（Ａ）と図４７（Ａ）に示すように、一方と他方の出隅部Ｎ１，Ｎ２のコーナー空間部へ張り出した出隅キャンバスＧ１の２体と、正面壁Ｗ１の前方へ展開した矩形キャンバスＰ１を巻き取り収納するには、図４７（Ａ）〜（Ｂ）に示すように、一方の出隅部Ｎ１側の出隅キャンバスＧ１を、装置中央付近へ向けてスライド操作し、また、他方の出隅部Ｎ２側の出隅キャンバスＧ１を、装置中央付近へ向けてスライド操作する。
次いで、出隅キャンバスＧ１の２体と矩形キャンバスＰ１を同期させて巻き上げ駆動すると、出隅キャンバスＧ１と入隅キャンバスＰ３は、図４７（Ｂ）〜（Ｄ）に示すように、それぞれの巻取りローラＪ１〜Ｊ３、３０に巻き上げられ、同時に、Ｖ字アームＶ１〜Ｖ４を二つ折れしながら、フロントバーＲ２とそれに嵌挿したフロントバーＦ２を、壁際部分へ向けて直線的に平行移動する。
それにより、装置全体が出隅部Ｎ１，Ｎ２の間の壁際部分に、図４７（Ｄ）に示すようにコンパクトに壁面収納される。
尚、前記の場合、２体の出隅キャンバスＧ１を図３７に示す三角キャンバスＧ２に置換してなる出隅用オーニング装置Ｓ２を組み込むこともできる。その場合には、フロントバーＲ２とほぼ同じ長さの巻取りローラ３０ａを壁際部分の下部側に取り付け、その長尺の巻取りローラ３０ａとフロントバーＲ２に、長尺の矩形キャンバスＰ２を取り付けることになる。
【第２実施例】
【０１０５】
図４８（Ａ）、（Ｂ）に示す第２実施例の複合装置ＳＱＳIV２は、背中合わせにレイアウトした出隅用オーニング装置Ｓ１，Ｓ１１の中央上部位置に、矩形オーニング装置Ｑ１を有機的に組み合わせている。
そして、矩形オーニング装置Ｑ１のフロントバーＲ３の先後両側位置に、先後位置に対称的にレイアウトした２体の出隅用オーニング装置Ｓ１，Ｓ１１のフロントバーＦ３を摺動案内自在に嵌挿支持している。そして、前記フロントバーＲ３の先後両側位置を第１実施例の場合と同様に４体のＶ字アームＶ１〜Ｖ４で両端支持している。
この場合は、第１実施例の場合と異なり、フロントバーＲ３をアウター側とし、先後位置のフロントバーＦ３をインナー側とした場合であって、先後２体の出隅キャンバスＧ１が巻取りローラＪ１〜Ｊ３に上巻きされ、矩形キャンバスＰ１が巻取りローラ３０に下巻きされる。
これにより、３体のキャンバスＧ１，Ｐ１は、図４９（Ａ）〜（Ｄ）に示すようなスライド過程と巻き上げ過程、Ｖ字アームＶ１〜Ｖ４による折り畳み過程を経てコンパクトに壁際部分に収納される。
【０１０６】
尚、前記の場合、２体の出隅キャンバスＧ１を図３８に示す三角キャンバスＧ２に置換してなる出隅用オーニング装置Ｓ２を組み込むこともできる。その場合には、フロントバーＲ２とほぼ同じ長さの巻取りローラ３０ａを壁際部分の上部側に取り付け、その長尺な巻取りローラ３０ａとフロントバーＲ２に、長尺の矩形キャンバスＰ２を取り付けることになる。
従って、折畳みアームを、前記のようなＹ字アームＹ１〜Ｙ４とした場合には、第１・第２実施例に示すＶ字アームＶ１〜Ｖ４の場合に比して、展開した出隅キャンバスＧ１の横行移動が円滑、確実になされ、また、横行案内レールＲ１の平行移動性が向上する。
その他の構成は、第1実施例の場合と同様であるので、同一の図面符号を付してその説明を省略する。
尚、前記した実施例に示す４体のＶ字アームＶ１〜Ｖ４の内、装置先端部と後端部のＶ字アームＶ１，Ｖ４をＹ字アームＹ１に置換するか、或いは、総てＹ字アームＹ１〜Ｙ４に置換することもできる。
【第４グループの複合オーニング装置】
【０１０７】
このグループの複合装置ＳＳIIは、図５０〜５１に示すように、一方の出隅部Ｎ１と他方の出隅部Ｎ１の距離が第３グループの場合に比して短い場合を想定しており、２体の出隅用オーニング装置Ｓ１，Ｓ１１を先後対称で背中合わせに重ね合わせ、それぞれのケーシングＫ１を上下に齟齬して取り付けている。
図５０（Ａ）〜（Ｃ）に示す複合装置ＳＳIIにおいて、Ｒ４は先後２体の出隅キャンバスＧ１のフロントバーＦ２，Ｆ４を相対的に摺動自在に嵌挿支持する横行案内レールであって、その先後両端部に２体のＶ字アームＶ１，Ｖ２の前端部を取り付けている。
そこで、出隅用オーニング装置Ｓ１，Ｓ１１のそれぞれのフロントバーＦ２，Ｆ４を、横行案内レールＲ４に相対的にスライド自在に嵌挿支持している。
これにより、２体の出隅キャンバスＧ１は、図５１（Ａ）〜（Ｄ）に示すように相対的に横行スライドして上下に重ね合わされた上で、それぞれの巻取りローラＪ１〜Ｊ３に巻き上げられ、同時に、Ｖ字アームＶ１，Ｖ２による折り畳み過程を経て、出隅部Ｎ１，Ｎ２の直線区間から先へ食み出すことなく壁際部分へコンパクトに収納される。
前記した複合装置ＳＳIIでは、横行案内レールＲ４やフロントバーＦ２，Ｆ４を、Ｖ字アームＶ１，Ｖ２で支持したが、それをＹ字アームＹ１，Ｙ２に置換することもできる。
【第５グループの複合オーニング装置】
【０１０８】
第５グループの複合装置としては、第１グループの複合装置ＳＱII１〜９の２組を、図２１（Ａ）、（Ｂ）に示すように出隅部Ｎ１の一方と他方に向かい合わせ、それらを独立別個に作動したり、連動自在とする場合を、その代表的な組み合わせとする。
それ以外には、出隅部Ｎ１の一方に、第１グループの複合装置ＳＱII１〜９を、その他方に第２グループの複合装置ＳＵII１・２を向かい合わせて組み合わせる場合や、出隅部Ｎ１の一方と他方に、第２グループの複合装置ＳＵII１・２を向かい合わせて組み合わせる場合がある。
また、第２グループの複合装置ＳＵII１・２の場合には、入隅部Ｌの一方と他方に、その複合装置ＳＵII１・２の２体を向かい合わせて独立別個に作動したり、連動自在とすることもできる。
勿論、出隅部Ｎ１の一方や両方に、第３グループの複合装置ＳＱＳIV１・２や、第４グループの複合装置ＳＳIIを組み合わせて連動自在とすることもできる。
【出隅キャンバスの横行装置】
【０１０９】
ところで、前記したシングル装置Ｓ１ａ〜Ｓ１ｄや複合装置ＳＱII１〜９、ＳＵII１・２、ＳＱＳIV１・２では、巻き戻されて前方へ展開した出隅キャンバスＧ１，Ｇ２を、フロントバーＦ１〜Ｆ３に形成した掛止部２４１に操作ロッド（図示せず）を引っ掛けるか、或いは、それが手の届く高さの場合には、それを把持して横行スライド操作している。
ここでは、それ以外の掛止フラップや伝動ロープによる手動操作装置を、更には、巻取りリールを備えたキャンバス巻取り装置の実施形態を順次説明する。
【掛止フラップ】
【０１１０】
図５２（Ａ）〜（Ｃ）に示す複合装置ＳＱII１において、２４２は出隅キャンバスＧ１の頂部１先端部付近の裏側に形成した掛止フラップであって、その中央付近に掛止孔２４３を設けている。この掛止フラップ２４２は、図８（Ｃ）に２点鎖線で示すようにキャンバス生地を裁断した上で、上方への突出部分を裏側へ折り曲げて縫着することで形成される。
また、図５３（Ａ）〜（Ｃ）に示す複合装置ＳＱII５では、前記と同様な掛止孔２４３を備えた掛止フラップ２４２と、アウターローラ１２に掛止孔２４４を形成した場合を示している。
これらの場合には、前記の掛止孔２４３，２４４に操作ロッドを引っ掛けて出隅キャンバスＧ１，Ｇ２を横行スライド操作する。
尚、これらの場合、ケーシングＫ１の底板中央部に、操作ロッドを挿通案内するスリット（図示せず）を長手方向に形成するか、或いは、底板部のないケーシングＫ１とする必要がある。無論、前記した掛止孔２４３が、ケーシングＫ１のキャンバス引出口１３１から露出した位置に形成されれば、前記したスリットを設ける必要性はない。
【伝動ロープの手動操作装置】
【０１１１】
図５４（Ａ）〜（Ｃ）に示す複合装置ＳＱII１ａでは、伝動ロープ（ワイヤでも可）を装置先端部のＶ字アームＶ１を利用して掛け渡し、伝動ロープを手動操作する場合を示している。
同図において、５５１〜５５３は、Ｖ字アームＶ１の枢支部の上端位置に形成したスライドガイドであって、２本の伝動ロープ５６１，５６２が外れ落ちないように、環状に形成した溝部に臨ませて掛け渡している。５７１はフロントバーＦ２の先端背面部に形成した突片であって、Ｖ字アームＶ１のブラケット２６３の上部に形成したスライドガイド５５３の後部から、先方へ回曲した一方のロープ５６１の先端部をナット５７３で締め付け固定している。５７２はフロントバーＦ２の先後中間位置より後方背面部に形成した突片であって、スライドガイド５５３の前方から後方へ回曲した他方のロープ５６２の先端部をナット５７４で締め付け固定している。
尚、伝動ロープ５６１，５６２の壁際側の基端部は、Ｖ字アームＶ１のブラケット２６１の本体部に鉛直に形成した貫通孔から下方へ引き出して垂れ下げている。
５６３，５６４は伝動ロープ５６１，５６２の基端部の操作取っ手であって、リング状又は瘤状に形成している。
【０１１２】
そこで、図５４（Ａ）〜（Ｃ）に示す複合装置ＳＱII１ａのＶ字アームＶ１とフロントバーＦ２に掛け渡した伝動ロープ５６１，５６２の一方、例えば、伝動ロープ５６１の取っ手５６３を引き下げると、フロントバーＦ２の先端部のブラケット５７１が装置後方へ向けて引き寄せられる。それにより、出隅キャンバスＧ１は、図５５（Ａ）〜（Ｂ）に示すようにコーナー空間部からその展開状態を維持したまま後方へ横行スライドし、正面壁Ｗ１の前方位置まで引き下げられる。その際、他方の伝動ロープ５６２の取っ手５６４は、下方から上方へ自然に引き上げられる。
逆に、他方の伝動ロープ５６２の取っ手５６４を下方へ引き下げると、フロントバーＦ２の中間後方部のブラケット５７２が装置先方へ向けて引き寄せられる。それにより、出隅キャンバスＧ１は、図５５（Ｂ）〜（Ａ）に示すように展開状態を維持したままコーナー空間部へ向けて横行スライドすることで前進し、当該コーナー空間部に張り出される。その際、他方の伝動ロープ５６１の取っ手５６３は、下方から上方へ引き上げられる。
従って、一方の伝動ロープ５６１は、出隅キャンバスＧ１の後退用として、他方の伝動ロープ５６２は前進用として機能する。
【０１１３】
前記の場合には、２本の伝動ロープ５６１，５６２を掛け渡したが、それを１本のロープで、例えば、操作取っ手５６３、５６４の部分を直結した無端ロープとすることもできる。
前記の場合には、伝動ロープ５６１，５６２をＶ字アームＶ１に掛け渡したが、それを複合装置ＳＱII９に示すＹ字アームＹ１の主リンク２９１の後半部と副リンク２９２に組み込むこともできる。
前記の場合には、複合装置ＳＱII１ａに伝動ロープ５６１，５６２を組み込む場合について説明したが、それをシングル装置Ｓ１ａ〜Ｓ１ｃにおけるＶ字アームＶ１やＹ字アームＹ１と、フロントバーＦ１に同様に掛け渡すことができる。
但し、図１５〜図１７に示すシングル装置Ｓ１ｄの場合には、基端部のブラケット２６１とＩ字アームＩ１の中間付近にスライドガイド（図示せず）を付設し、横行案内レールＲ１の中間付近の適所にもスライドガイド（図示せず）を付設すれば、前記したＶ字アームＶ１やＹ字アームＹ１の場合と同様に伝動ロープ５６１，５６２を二つ折れ状態に掛け渡し、それにより、出隅キャンバスＧ１を手動でスライド操作することができる。
【巻取りリールを備えたキャンバス巻取り装置】
【０１１４】
次に、図５６（Ａ）、（Ｂ）に示す複合装置ＳＱII１ｂにおいて、６０はインナーローラ１１の先端部に正逆回転自在に嵌め込んだ巻取りリールであって、その中間外周部に形成した環状鍔部を境にして、先後位置の前部リール６０１と後部リール６０２に区画形成している。その内、リール６０１，６０２のいずれか一方に伝動ワイヤ５６１，５６２のいずれか一方を巻き上げ、他方のリール６０１，６０２に巻き取られた他方の伝動ワイヤ５６１，５６２を巻き戻すことにより、出隅キャンバスＧ１を横行スライドさせて進退移動するようにしている。
そこで、基端部のスライドガイド５５１から引き出した伝動ワイヤ５６１，５６２の内、一方の前進用ワイヤ５６２を、図５６（Ｂ）に示すように、ブラケット２６１のほぼ直上部に位置する後部リール６０２に螺旋状に巻き付け、その後部位置にワイヤ基端部を固定する。そして、他方の後退用ワイヤ５６１の基端部を、前部リール６０１の後部位置に固定する。
５８１，５８２はコイルばねであって、それぞれの伝動ワイヤ５６１，５６２の先端部に取り付けられ、フロントバーＦ２とＶ字アームＶ１と巻取りリール６０にかけて掛け渡した伝動ワイヤ５６１，５６２を緊張状態に付勢支持する。
前記以外の伝動ワイヤ５６１，５６２の掛け渡し構造は、前記した伝動ロープの場合と同様であるので、同一の図面符号を付してその説明を省略する。
【０１１５】
次に、前記した巻取りリール６０を組み付けたキャンバス巻取り装置の駆動系として、図５７（Ａ）に示す模式図では、インナーローラ１１に組み込んだ２体の電動モータＭ１，Ｍ４を個別回転する場合を示しており、一方の電動モータＭ１により出隅キャンバスＧ１、Ｇ２を巻き取ったり、巻き戻し、他方の電動モータＭ４により巻取りリール６０が正逆回転することで、展開した出隅キャンバスＧ１が横行駆動するようにしている。
また、図５７（Ｂ）に示す模式図の場合には、インナーローラ１１に１体の電動モータＭ５を組み込み、巻取りローラＪ５と巻取りリール６０の内、いずれか一方の動作を外部から拘束することで回転を停止すると、他方の巻取りローラＪ５と巻取りリール６０のいずれかが反動回転するようにしている。
それにより、出隅キャンバスＧ１，Ｇ２の巻き上げと巻き戻し、更には、出隅キャンバスＧ１，Ｇ２の横行駆動が、１体の電動モータＭ５により行えるようにしている。
そこで、図５８に示す２体の電動モータＭ１，Ｍ４を個別回転する第４例の巻取りローラＪ４と、図５９に示す１体の電動モータＭ５を組み込んだ反動回転タイプの第５例の巻取りローラＪ５を説明する。
更には、図６３（Ａ）、（Ｂ）に示す差動歯車機構を組み込んだ場合と、それらを具体化した図６４に示す１体の電動モータＭ６を備えた第６例の巻取りローラＪ６と、図６５に示す手動駆動装置を組み込んだ第７例の巻取りローラＪ７を説明する。
【（１）巻取りローラの第４例】
【０１１６】
図５８において、１５６はインナーローラ１１の先端部のエンドキャップ、１５７は当該キャップの円形孔、６０３は巻取りリール６０の円形孔、６０４は円形孔６０３の内壁部に形成した突起、５９１は電動モータＭ４の先端軸部、５９２は電動モータＭ４の本体前半部に形成した溝部、１４６は巻取りリール６０のケーシングを兼ねたエンドキャップであって、その底部には伝動ワイヤ５６１，５６２を挿通する案内長孔１４８，１４９が平行に開口している。
そこで、電動モータＭ４の本体後半部をインナーローラ１１の先端部に挿通し、電動モータＭ４の本体前半部に巻取りリール６０を嵌め込んで固定した上で、電動モータＭ４の先端軸部５９１を、エンドキャップ１４６の軸受部１４７の扁平孔に嵌め込んで固定している。
それ以外の構成は、図９に示す第２例の巻取りローラＪ２と同様であるので、同一の図面符号を付してその説明を省略する。
【０１１７】
そこで、前記のように組み込んだ電動モータＭ４を正逆いずれかの方向、例えば、モータ本体を回転すると、それと一体に巻取りリール６０が回転し、一方のワイヤ、即ち、後退用ワイヤ５６１を前部リール６０１に螺旋状に巻き付けると同時に、後部リール６０２に巻き付けられた他方のワイヤ、即ち、前進用ワイヤ５６２を巻き戻す。
それにより、図５６（Ａ）や図６０（Ａ）に示すように、コーナー空間部に張り出した出隅キャンバスＧ１を横行スライドしながら、図６０（Ｂ）に示す位置まで後退移動する。
それを感知すると、図９に示す電動モータＭ１と図２６に示す矩形キャンバスＰ１の電動モータＭ２が同期して回転し、図６０（Ｂ）〜（Ｄ）に示すように、Ｖ字アームＶ１，Ｖ２の拡開付勢力に抗して当該アームＶ１，Ｖ２を二つに折り畳みながら、出隅キャンバスＧ１を巻取りローラＪ４に下側から巻き上げ、矩形キャンガスＰ１を巻取りローラ３０に上巻きすることで、両キャンバスＧ１，Ｐ１の巻き取り収納がなされる。
それとは逆に、電動モータＭ１，Ｍ２を同期作動し、それぞれの巻取りローラＪ４，３０に巻き取った両キャンバスＧ１，Ｐ１を巻き戻すべく回転すると、Ｖ字アームＶ１，Ｖ２による拡開付勢力が働くことで、フロントバーＦ２，Ｒ２を平行移動しながら前方へ向けて直線的に押し出しながら、それぞれの巻取りローラＪ４，３０に巻き上げた両キャンバスＧ１，Ｐ１を巻き戻して展開する。
それを感知すると、電動モータＭ４が前記とは逆方向へ回転することで、巻取りリール６０を回転させ、後部リール６０２に前進用ワイヤ５６２を巻き上げると同時に、前部リール６０１に巻き付けられた後退用ワイヤ５６１を巻き戻す。
それにより、出隅キャンバスＧ１は、コーナー空間部へ向けて横行スライドして張り出される。
【（２）巻取りローラの第５例】
【０１１８】
図５９において、電動モータＭ５の先端部には支軸５９３が、その後端部にはモータ出力軸５９４を形成している。
そこで、巻取りリール６０の内壁部の形成した突起６０４に、電動モータＭ５の本体前半部に形成した溝部５９２を嵌め込み、電動モータＭ５の本体後半部をインナーローラ１１の先端部に挿通し、モータ出力軸５９４をインナーローラ１１に嵌め込んだ伝動ソケット２８１の通孔２８２に嵌挿固定する。
また、電動モータＭ５の支軸５９３を、巻取りリール６０のケーシングを兼ねたエンドキャップ１４６の軸受部１４３に自由転自在に支持する。
１３５はケーシングＫ１の背面板部の内壁面に横方向へ突設した案内突起、６１１はばね弾力を備えた帯板状の回転ストッパーであって、その基端部をアウターローラ１２の後端部にビス６１２により固定し、そのストッパー先端部を前記案内突起１３５に係合してアウターローラ１２と一体となって移動案内したり、係合解除されてアウターローラ１２の外周面に密着して巻き込まれるようにしている。
それ以外の構成は、図９に示す第２例の巻取りローラＪ２や図５８に示す第４例の巻取りローラＪ４と同様であるので、同一の図面符号を付してその説明を省略する。
【０１１９】
そこで、前記のように組み込んだ１体の電動モータＭ５による作動過程を、図６１（Ｂ）〜（Ｆ）と図６２（Ｇ）〜（Ｋ）を参照しながら説明するに、図６１（Ａ）には、展開した出隅キャンバスＧ１を、出隅部Ｎ１のコーナー空間部へ張り出した時点における出隅キャンバスＧ１の巻取りローラＪ５とケーシングＫ１の横断平面を示している。
図６１（Ｂ）〜（Ｆ）には、出隅キャンバスＧ１をコーナー空間部に張り出した状態から後退移動した上で、巻取りローラＪ５に巻き取り収納する過程を段階的に示しており、各図の左側から図６１（Ａ）のａ−ａ線、ｂ−ｂ線、ｃ−ｃ線の各断面を示し、その時点における要部斜視図を右側位置に付加している。
また、図６２（Ｇ）〜（Ｋ）には、前記とは逆に、巻取りローラＪ５に巻き取った出隅キャンバスＧ１，Ｇ２を巻き戻して前方へ展開した上で、コーナー空間部へ向けて前進移動して張り出す過程を段階的に示している。
尚、各図中、グレー矢印は実際の動作を示し、２点鎖線の白抜き矢印は、その時に生ずる反力を示している。
【出隅キャンバスの後退過程と巻き取り収納過程】
【０１２０】
図６１（Ｂ）の状態は、図５６（Ａ）に示す複合装置ＳＱII１ｂにおける出隅キャンバスＧ１がコーナー空間部に張り出し、フロントバーＦ２が最先端部まで引き出された状態にある。
そこで、この状態から出隅キャンバスＧ１を巻き取り収納するに、先ず、電動モータＭ５を駆動し、図６１（Ｃ）に示すように巻取りローラＪ５が紙上右回り方向（巻取りリール６０が紙上左回り方向）に回転するように、当該ローラＪ５とリール６０との間に相対回転を生じさせる。
このとき、フロントバーＦ２を引っ張る後退用ワイヤ５６２が、巻取りリール６０の紙上左回りの回転に対して加えている負荷は、フロントバーＦ２、Ｒ２の相互間に形成される摩擦抵抗程度であり、極めて小さい。
それに対して、Ｖ字アームＶ１，Ｖ２によって図６１（Ｃ）の紙上右方向へ拡開付勢しているフロントバーＦ１，Ｆ２と、展開した出隅キャンバスＧ１が、巻取りローラＪ５の紙上右回りの回転に加えている負荷は、極めて大きい。
その為、巻取りローラＪ５は回転することなく静止したままで、巻取りリール６０のみが図６１（Ｃ）〜（Ｄ）に示すように紙上左回りに回転することとなる。
そこで、後退用ワイヤ５６１が前部リール６０１に巻き上げられ、後部リール６０２の前進用ワイヤ５６２が巻き戻されることで、出隅キャンバスＧ１のフロントバーＦ２を後方へ引っ張る方向に駆動伝達される。
それにより、図６０（Ａ）に示すように、コーナー空間部に張り出した出隅オーニング装置Ｓ１は、図中に付加した各部矢印に示すように動作し、図６０（Ｂ）に示すような所定の後退位置まで横行移動する。
【０１２１】
この動作は、図６１（Ｄ）に示すように、前部リール６０１への後退用ワイヤ５６１の巻き上げが終了するか、フロントバーＦ２の後退移動が停止した後も作用し、即ち、電動モータＭ５による同一方向への回転を継続するものの、巻取りリール６０は、それ以上左回りに回転することができなくなる。
その結果、図６１（Ｅ）に示すように、巻取りローラＪ５が前記したＶ字アームＶ１，Ｖ２による拡開付勢力、即ち、フロントバーＦ２に加えている負荷に抗しながら紙上右回りに回転し、巻取りローラＪ５への出隅キャンバスＧ１の巻き上げ動作を開始し、また、それに同期して矩形キャンバスＰ１の巻取りローラ３０が巻き上げ動作を開始する。
その巻き上げの初期段階では、図６１（Ｅ）に示すように、巻き付ける出隅キャンバスＧ１によって回転ストッパー６１１がアウターローラ１２に密着状態に巻き込まれた上で、図６１（Ｆ）に示すように出隅キャンバスＧ１の巻き上げ作動が行われる。
当然のことながら、図６０に示す複合装置ＳＱII１ｂの場合には、巻取りローラＪ５への巻き上げ開始に同期して、矩形キャンバスＰ１の電動モータＭ２が回転し始め、図６０（Ｂ）〜（Ｄ）に示すように、Ｖ字アームＶ１，Ｖ２の拡開付勢力に抗して当該アームＶ１，Ｖ２を二つに折り畳みながら、出隅キャンバスＧ１を巻取りローラＪ５に、また、矩形キャンガスＰ１を巻取りローラ３０にそれぞれ巻き上げることで、両キャンバスＧ１，Ｐ１の巻き取り収納がなされる。
【出隅キャンバスの展開過程と前進スライド過程】
【０１２２】
前記のように巻き取り収納した出隅キャンバスＧ１と矩形キャンバスＰ１を展開するには、電動モータＭ５を前記とは逆方向へ回転させ、図６２（Ｇ）に示すように巻取りローラＪ５が紙上左回り（巻取りリール６０が紙上右回り）に回転するように、ローラＪ５とリール６０との間に相対回転を生じさせる。
その際、巻取りローラＪ５には、Ｖ字アームＶ１，Ｖ２による前方への拡開付勢力が作用し、フロントバーＦ２と出隅キャンバスＧ１の展開力、緊張力により、紙上左回りの回転トルクが作用している。
この時点では、巻取りリール６０の紙上右回りの回転に対し、前進用ワイヤ５６２と後退用ワイヤ５６１の存在は、回転を阻止するための負荷としても作用していないし、回転を促すためのトルクとしても機能しない状態にある。
この状態で、巻取りローラＪ５と巻取りリール６０との間で相対回転を生じさせれば、図６２（Ｇ）〜図６２（Ｈ）に示すように巻取りリール６０は静止したままで、巻取りローラＪ５のみが紙上左回りに回転し始め、それと同期して矩形キャンバスＰ１の巻取りローラ３０が巻き戻し動作を開始し、それが相俟って出隅キャンバスＧ１と矩形キャンバスＰ１の前方への展開作動がなされる。
【０１２３】
そして、図６２（Ｈ）に示すように、出隅キャンバスＧ１の前方への展開が終盤に差しかかり、最後の一巻きとなったあたりから、出隅キャンバスＧ１に押さえ込まれていた回転ストッパー６１１が開放されて付勢起立し、その先端部が図６２（Ｉ）の段階でケーシングＫ１の案内突起１３５に係止し、それにより巻取りローラＪ５の左回りの回転を阻止することで、出隅キャンバスＧ１と矩形キャンバスＰ１の展開作動が終了する。
電動モータＭ５はなおも回転を続行する結果、次の瞬間には図６２（Ｊ）に示すように、巻取りリール６０が紙上右回りへの回転を開始する。
すると、前進用ワイヤ５６２が後部リール６０２に巻き付けられ、また、後退用ワイヤ５６１が前部リール６０１から巻き戻され、それによりフロントバーＦ２が前進方向へ横行スライドし、出隅キャンバスＧ１をコーナー空間部へ向けて張り出す。
尚、前記の場合は、第４実施例と第５実施例の巻取りローラＪ４，Ｊ５を、図５６（Ａ）に示す複合装置ＳＱII１ｂにおける駆動装置とした場合の作動過程を説明したが、それ以外の第２〜第４グループの複合装置のみならず、シングル装置Ｓ１ａ〜Ｓ１ｃの駆動装置として採択することもできる。尚、それらの作動過程の説明は、前記の場合と重複することになるため、その説明を省略する。
【出隅キャンバスの第６例の巻取りローラ】
【０１２４】
図６３（Ａ）と図６４に示す差動歯車機構を組み込んだ第６例の巻取りローラＪ６を説明するに、７０は電動モータＭ６の本体部の先端寄り位置に形成した外歯歯車（以下、太陽歯車ともいう）であって、当該部位に嵌め込んで嵌着固定するか、モータ本体部に外歯歯車７０を一体形成する。７１は巻取りリール６０ａにおける後部リール６０２の内周面に形成した内歯歯車、７２は内歯歯車７１と太陽歯車７０に噛み合う４体程度の小歯車（以下、遊星歯車ともいう）であって、その支軸７２１をインナーローラ１１の先端部に嵌め込んだエンドキャップ１５６に打ち込んでいる。
従って、この巻取りリール６０ａの場合は、前記した巻取りリール６０に形成した突起６０４を不要とし、また、電動モータＭ６の本体部に形成した溝部５９２も不要としている。
２８３，２８４は電動モータＭ６の後端部を支持する軸受ソケットとその挿通孔である。
そこで、電動モータＭ６の本体後半部をインナーローラ１１の先端部に挿通し、モータ後端部をインナーローラ１１に嵌め込んだ軸受ソケット２８３に挿通支持する。
次いで、遊星歯車７２を突設したエンドキャップ１５６を、インナーローラ１１の先端部に嵌め込み、当該歯車７２を太陽歯車７０に噛み合わせる。
そして、電動モータＭ６の先端部に巻取りリール６０ａを嵌め込み、その内歯歯車７１を遊星歯車７２に噛み合わせることにより、差動歯車列が構成される。
また、電動モータＭ６の先端部の固定用支軸５９１を、エンドキャップ１４６の軸受部１４７の扁平孔に嵌合固定している。
それ以外の構成は、図５９に示す第５例の巻取りローラＪ５と同様であるので、同一の図面符号を付してその説明を省略する。
【０１２５】
この場合は、前記した第５例の巻取りローラＪ５と同様に、巻取りローラＪ６と巻取りリール６０ａの内、いずれか一方の動作を拘束して回転を停止すると、他方が逆回転する構造としている。
従って、電動モータＭ６を回転駆動した上で、巻取りリール６０ｂの回転を制止すると、巻取りローラＪ６は電動モータＭ６と同方向へ減速回転し、出隅キャンバスＧ１を巻き上げて巻き取り収納したり、巻き戻して前方へ展開作動する。
また、巻取りローラＪ６の回転を制止すると、巻取りリール６０ｂは同速で逆回転し、出隅キャンバスＧ１をコーナー空間部へ引き出したり、後方へ引き戻すべく作動する。
前記の差動歯車列の場合、巻取りリール６０ｂの回転速度が、巻取りローラＪ６の２倍となる為、小さい負荷のフロントバーＦ２の横行スライド動作が、高速低トルクの回転で作動し、また、負荷の大きいキャンバス巻き取り動作が、低速高トルクの回転で作動することになり、それぞれの動作が効率的に行われる。
尚、電動モータＭ６の駆動による出隅キャンバスの後退スライド過程と、巻取りローラＪ６への巻き取り収納過程は、前記した電動モータＭ５を備えた巻取り装置の同様に、図６１（Ｂ）〜（Ｆ）に示す過程を経て巻き取り収納される。
また、出隅キャンバスの巻き戻し展開過程と、コーナー空間部への前進スライド過程は、図６２（Ｇ）〜（Ｋ）に示す過程を経てコーナー空間部へ張り出される。
【出隅キャンバスの第７例の巻取りローラ】
【０１２６】
図６３（Ｂ）と図６５に示す差動歯車機構を組み込んだ第７例の巻取りローラＪ７を説明するに、７３は駆動軸であって、その中間寄り位置に太陽歯車７０を嵌め込んで固定し、軸先端部の形成した手動装置により駆動軸７３を正逆回転に構成している。
そこで、軸受ソケット２８３をインナーローラ１１の内部に嵌め込んだ上で、遊星歯車７２を突設したエンドキャップ１５６を、インナーローラ１１の先端部に嵌め込む。
次いで、太陽歯車７０を嵌め込んだ駆動軸７３の本体後半部を、エンドキャップ１５６の通孔１５８からインナーローラ１１の内部に挿通し、当該駆動軸７３の後端部を軸受ソケット２８３の通孔２８５に挿通支持すると共に、遊星歯車７２と太陽歯車７０とを噛み合わせる。そして、駆動軸７３に巻取りリール６０ｂを嵌め込み、その後部リール６０２の内周部に形成した内歯歯車７１を、前記遊星歯車７２に噛み合わせることにより、差動歯車列を構成する。
その上で、駆動軸７３の先端寄りの位置にウォーム歯車１６１を嵌め込み、当該歯車１６１に噛み合うウォーム１６２を嵌め込んだローラ１６３を、エンドキャップ１４６に鉛直に軸受支持し、また、駆動軸７３の軸先端部をエンドキャップ１４６の軸受部１４３に自由転自在に支持している。
その他の構成は、図６４に示す第６例の巻取りローラＪ６の場合と同様であるので、同一の図面符号を付してその説明を省略する。
この場合は、第６例の巻取りローラＪ６を駆動する電動モータＭ６に代えて、駆動軸７３を手動操作で正逆回転させる手動駆動装置とした場合である。その作動過程は、第６例の場合と同様であるので、その説明を省略する。
【第３.ラテラルアーム方式の複合オーニング装置】
【０１２７】
これは、矩形キャンバスＰ１のフロントバーＲ２を、垂直方向へ起倒動する伸縮自在な折畳みアームにより支持したり、或いは、パンタグラフ構造の伸縮リンクで支持するラテラルアーム方式の可動オーニング装置をベースに、本発明の出隅用オーニング装置Ｓ１を有機的に組み込むことにより複合化した場合であって、建物の角地にある店舗の出隅部Ｎ１に取り付けることを主眼としている。
【第１実施例】
【０１２８】
図６６〜図６８に示す複合装置ＳＱＬ１において、Ｚ１，Ｚ２はフロントバーＲ２の両端部を支持する伸縮自在な折畳みアーム（以下、伸縮アームという）であって、インナーパイプ６５１とアウターパイプ６５２を摺動自在に嵌挿し、両パイプを蝶ネジ６５３やリングナット（図示せず）により固定している。６４１は店舗両側位置の支柱Ｈ１，Ｈ２や門型枠、或いは、縦壁部分などに固定したブラケットであって、前記インナーパイプ６５１の下端部をピン枢支している。アウターパイプ６５２の上端部は、フロントバーＲ２の両端部に取り付けている。
６５４は伸縮アームＺ１，Ｚ２の補強ロッドであって、アウターパイプ６５２とフロントバーＲ２の入隅部分に斜めに固定している。
次に、フロントバーＦ２をスライド操作する伝動ロープ６６を掛け渡した場合の構成を説明するに、６７１，６７２はフロントバーＦ２の先端底部と中間付近の底部に取り付けた掛止部、６７３，６７４はアウターパイプ６５２の上下両端部に取り付けた掛止部であって、これらの掛止部６７１〜６７４に１本の伝動ロープ６６が掛け渡される。
例えば、伝動ロープ６６の先端部をフロントバーＦ２の先端掛止部６７１に縛り付け、その他方をフロントバーＦ２に沿ってその中間付近まで引っ張り、アウターパイプ６５２の上端掛止部６７３に挿通して下方へ折れ曲げ、当該アウターパイプ６５２に沿って引き下げ、下端掛止部６７４に挿通して折り返した上で引き上げ、再び、上端掛止部６７３に挿通して後方へ折り曲げ、そのロープ後端部をフロントバーＦ２の中間掛止部６７２に縛り付けている。
尚、フロントバーＦ２の後方部や中間部付近には、手動操作用の掛止部２４１も形成している。
【０１２９】
そこで、図６６（Ａ）や図６７（Ａ）に示すように、コーナー空間部の張り出した出隅キャンバスＧ１をスライド操作するには、先ず、掛止部２４１に下方から操作ロッド（図示せず）を引っ掛けて後方へ引っ張ることで横行スライドする。
或いは、手動操作用の伝動ロープ６６を前記のように掛け渡した場合には、図６６（Ｂ）の上段部に示すように、アウターパイプ６５２の下側に、折り返されて二重となった伝動ロープ６６の一方を引き下げ操作する。
すると、図中に付加した矢印方向へ引張力が伝達され、出隅キャンバスＧ１のフロントバーＦ２を矩形キャンバスＰ１のフロントバーＲ２に沿って、また、出隅キャンバスＧ１の頂部のアウターローラ１２が、インナーローラ１１に沿って後方へ平行に横行スライドすることで、矩形キャンバスＰ１に出隅キャンバスＧ１が上下に重ね合わされる。
次いで、両キャンバスＧ１，Ｐ１を同期して巻き上げ作動する前に、蝶ネジ６５３又はリングナットを緩めた上で、図６７（Ｂ）に示すようにフロントバーＦ２，Ｒ２を引き下げることで、図６８（Ｃ）に示すようにアウターパイプ６５２をインナーパイプ６５１にスライド収納することで、伸縮アームＺ１，Ｚ２を縮小して壁側に近づける。
次いで、出隅キャンバスＧ１の巻取りローラＪ１〜Ｊ３と矩形キャンバスＰ１の巻取りローラ３０を同期させて巻き上げれば、図６７（Ｄ）と図６８（Ｄ）に示すように、両キャンバスＧ１，Ｐ１がそれぞれの巻取りローラＪ１〜Ｊ３，３０に巻き上げられ、同時に、伸縮アームＺ１，Ｚ２を垂直方向に引き上げることにより壁際部分へのコンパクトな起立収納がなされる。
【０１３０】
それとは逆に、両キャンバスＧ１，Ｐ１を巻き戻すことで、図６８（Ｄ）〜（Ｃ）のように両キャンバスが比較的急勾配、即ち、かなりの前下がり状態に前方展開する。
次いで、図６８（Ｃ）〜（Ｂ）に示すように、フロントバーＦ２，Ｒ２を前方へ押し上げることで、縮小していた伸縮アームＺ１，Ｚ２を伸長させ、蝶ネジ６５３又はリングナットを締め付け固定する。
そして、掛止部２４１に下方から操作ロッド（図示せず）を引っ掛けてコーナー空間部へ引っ張ることで、出隅キャンバスＧ１を横行スライドし、コーナー空間部に張り出す。
或いは、図６６（Ｂ）の上段部に示すように、アウターパイプ６５２の下側に、折り返されて二重となった伝動ロープ６６の他方を引き下げ操作する。
すると、図中に付加した矢印とは反対の方向へ引張力が伝達され、出隅キャンバスＧ１のフロントバーＦ２を矩形キャンバスＰ１のフロントバーＲ２に沿って、また、出隅キャンバスＧ１の頂部のアウターローラ１２が、インナーローラ１１に沿って平行に横行スライドすることで、出隅キャンバスＧ１がコーナー空間部に張り出される。
前記の場合には、折畳みアームを垂直方向へ起倒動操作する伸縮アームＺ１，Ｚ２とした場合について説明したが、例えば、長さ一定の突っ張りアーム（図示せず）によりフロントバーＲ２を突き上げ、前方へ展開した出隅キャンバスＧ１と矩形キャンバスＰ１を緊張支持することもできる。
【第２実施例】
【０１３１】
図６９に示す複合装置ＳＱＬ２において、Ｚ３，Ｚ４は伸縮自在にリンク構成したパンタグラフ構造の折畳みアーム（以下、伸縮リンクという）であって、２体の等長リンク６９１，６９２の数体をＸ字状にリンク連接し、その基端部を支柱Ｈ１，Ｈ２などの上方位置に固定したブラケット６８１に枢設している。
６８２はブラケット６８１の上方部に縦設した案内長孔であって、最後部の一方の等長リンク６９１の後端部を枢設している。また、最前部の他方の等長リンク６９２の先端部には、適度に屈折させた立上げリンク６９３が形成され、その先端部に長尺の矩形キャンバスＰ２のフロントバーＲ２を取り付けている。
この場合には、フロントバーＦ２，Ｒ２を両手で持って前方へ引き出し、伸縮リンクＺ３，Ｚ４を伸長操作することにより、出隅キャンバスＧ１と矩形キャンバスＰ２が前方へ展開し、逆に、後方へ押し込むことにより、両キャンバスＧ１，Ｐ２を巻き取りながら壁面収納される。
前記の場合は、手操作によりフロントバーＦ２，Ｒ２を引き出したり、押し込む場合であるが、前記伸縮リンクＺ３，Ｚ４を電動装置（図示せず）により伸縮作動することもできる。
その他の構成は、前記した複合装置ＳＱＬ１と同様であるので、同一の符号を付してその説明を省略する。
【０１３２】
ところで、前記した各種の複合装置の場合、巻取りローラＪ１〜Ｊ７を収納した２体のケーシングＫ１，Ｋ２を、外壁Ｗ１，Ｗ２部分の上下に重ね合わせて取り付け、それに対して、それぞれのキャンバスＧ１，Ｇ２、Ｐ１〜Ｐ４の裾部２、６を支持するフロントバーＦ２，Ｆ３、Ｒ２，Ｒ３は、通常、適度の傾斜勾配で前下がりに前方展開される。
その為、展開時における両キャンバスの緊張力をほぼ同一に設定したとき、前記とは逆に、両キャンバスを同期させて巻き取り収納する際には、下部側キャンバスに対して上部側キャンバスには、例えば、数ｃｍ〜１０ｃｍ程度の弛みが残された状態で最終的に巻き上げられることが想定される。
それを解消するには、図２７に示す巻取りローラＪ３や図２８に示す巻取りローラ３０のように、ローラ内部にコイルばね４７１，４１１を組み込んで対処することが効果的であるが、それ以外の簡便な手段を図７０と図７１に示す実施例において補足する。
【キャンバス緊張支持具】
【０１３３】
図７０において、６２は弾力性ある揺動フラップであって、その基端部を出隅キャンバスＧ１，Ｇ２のフロントバーＦ２の上板部３４２後端に取り付けられ、図７０（Ａ）に示すように、当該揺動フラップ６２の先端部が出隅キャンバスＧ１，Ｇ２の裾部２を下方から上方へ突き上げるように付勢している。
従って、複合装置ＳＱII１〜４、ＳＱII７・９の出隅キャンバスＧ１，Ｇ２が巻き上げられるに連れて、図７０（Ｂ）に示すようにフラップ先端部が徐々に付勢起立し、最終の巻き取り収納時には、図７０（Ｃ）に示すように起立することで、巻き上げたキャンバス裾部２を突き上げて緊張支持する。
これにより、キャンバス巻き取り収納時における出隅キャンバスＧ１，Ｇ２の弛みを防止し、その緊張力を体裁よく維持することができる。
前記の場合は、上部側が出隅キャンバスＧ１，Ｇ２で、下部側が矩形キャンバスＰ１，Ｐ２（入隅キャンバスＰ３，Ｐ４でも可）とする組み合わせであるが、それらのキャンバスを上下逆のレイアウトとする複合装置ＳＱII５・６・８の場合には、上部側となった矩形キャンバスＰ１，Ｐ２の裾部６を、アウター側のフロントバーＲ３の上部後端部に取り付けた揺動フラップ６２により押し上げ付勢する。
要するに、上部側と下部側のキャンバスＧ１，Ｇ２、Ｐ１，Ｐ２を同期させて巻き取り収納するに、上部側キャンバスの裾部２，６を揺動フラップ６２により押し上げ付勢することにより、適度な緊張力が機能した状態で上部側キャンバスの巻き取り収納がなされる。
【キャンバス緊張支持装置】
【０１３４】
図７１において、６３１は出隅キャンバスＧ１，Ｇ２を緊張支持するゴム製の伸縮ネットであって、出隅キャンバスＧ１，Ｇ２の裾部２寄りの裏面に編成している。
６３３は裾部２付近の後方部に間隔を隔てて取り付けた扁平状のリング紐であって、当該リング紐６３３にロッド６３２を挿通し、当該ロッド６３２とフロントバーＦ２の上板部３４２の後端部との間に、伸縮自在なゴム紐をジグザク状に掛け渡すことにより、伸縮ネット６３１を編成している。
従って、図７１（Ｂ）に示すように、複合装置ＳＱII１〜４、ＳＱII７における出隅キャンバスＧ１，Ｇ２の前方への最大展開時に、伸縮ネット６３１による弾性付勢力が効果的に機能することで、出隅キャンバスＧ１，Ｇ２の緊張状態が維持される。
逆に、出隅キャンバスＧ１，Ｇ２の巻き取り収納時には、図７１（Ｃ）に示すように、伸縮ネット６３１が縮んで適度な緊張付勢力を保持しつつ、余剰となったキャンバス裾部２を折り曲げ風に重ね合わせることで、巻き上げ時の弛み代を体裁良く吸収している。
この場合も、前記した揺動フラップ６２による実施例の場合と同様に、上部側と下部側のキャンバスＧ１，Ｇ２、Ｐ１，Ｐ２を上下逆に組み合わせた複合装置ＳＱII５・６・８とする場合には、上部側となった矩形キャンバスＰ１，Ｐ２の裾部６寄りの裏面に、前記と同様な伸縮ネット６３１が編成されることで、展開時における上部側キャンバスが緊張され、また、巻き取り収納時には、上部側キャンバスの弛み代が体裁良く吸収される。
【０１３５】
ところで、前記した複合装置ＳＱII１〜９では、出隅キャンバスＧ１，Ｇ２を下巻きし、矩形キャンバスＰ１，Ｐ２（入隅キャンバスＰ３，Ｐ４でも可、以下、同じ）を上巻きするか、それとは逆に、矩形キャンバスＰ１，Ｐ２を下巻きし、出隅キャンバスＧ１，Ｇ２を上巻きすることにより、展開後におけるキャンバス頂部１の間隙や出隅キャンバスＧ１，Ｇ２と矩形キャンバスＰ１，Ｐ２との境界付近での段差が見立たないように配慮している。
ところが、出隅キャンバスＧ１，Ｇ２の巻取りローラＪ１〜Ｊ７と矩形キャンバスＰ１，Ｐ２の巻取りローラ３０，３０ａの軸間距離は一定であり、それぞれのキャンバスＧ１，Ｇ２、Ｐ１，Ｐ２の巻き取り収納時に比して、巻き戻し展開後におけるキャンバス頂部１の隙間が、結果的に大きくなることを避け難い。
そこで、図７２（Ａ）〜（Ｅ）では、両キャンバスＧ１，Ｐ１の展開後におけるキャンバス頂部１の隙間を狭小化する作動過程を開示する。
【キャンバス頂部の隙間狭小化装置】
【０１３６】
同図において、９７はケーシングＫ１，Ｋ２にそれぞれ内蔵した出隅キャンバスＧ１と矩形キャンバスＰ１の揺動フラップであって、その基端部に形成した軸部９７１を、上部側ケーシングＫ１のキャンバス引出口１３１の直上部の内壁位置に形成した軸受部１３６に、また、下部側ケーシングＫ２のキャンバス引出口１３２の直下部の内壁面に形成した軸受部１３６にそれぞれ嵌挿支持している。
９８は揺動フラップ９７を付勢支持する逆Ｖ字状の板ばねであって、それぞれのケーシングＫ１，Ｋ２の前板裏面と揺動フラップ９７との間に挟み込んでいる。
その内、出隅キャンバスＧ１の揺動フラップ９７の場合は、それを巻取りローラＪ１〜Ｊ７に巻き上げたキャンバス表面に、また、矩形キャンバスＰ１の揺動フラップ９７の場合は、それを巻取りローラ３０，３０ａに巻き上げたキャンバス表面にそれぞれ押し当てるようにばね付勢している。
９９は出隅キャンバスＧ１の頂部１寄り位置の内面側や、矩形キャンバスＰ１の頂部５寄り位置の内面側にそれぞれ形成した突起部であって、それぞれのキャンバスＧ１，Ｐ１の残りが、それぞれの巻取りローラＪ１〜Ｊ７、３０，３０ａの外周長さの１／４程度となる図７２（Ｃ）に示す引き出し段階で、露出するような位置関係にしてある。
従って、揺動フラップ９７の先端部が突起部９９に係止された上で、両キャンバスＧ１，Ｐ１が更に引き出されるに伴って、揺動フラップ９７が板ばね９８の付勢力に抗して図７２（Ｄ）に示すように押し下げられたり、引き上げられ、最終の引き出し展開時には、上部側の引出口１３１付近と下部側の引出口１３２付近において、図７２（Ｅ）に示す隙間λの高さ分がそれぞれ狭小化されると共に、展開した両キャンバスＧ１，Ｐ１に対する適度な緊張力が形成されるべく機能する。
【０１３７】
前記の場合には、突起部９９に揺動フラップ９７を係止したが、揺動フラップ９７の先端部を波形状に凹凸形成するか、突起部を形成し、両キャンバスＧ１，Ｐ１の頂部寄りの位置に、それぞれ間隔を隔てて形成した係止孔（図示せず）と係止させることもできる。
前記の場合には、両キャンバスＧ１、Ｐ１のケーシングＫ１，Ｋ２に、揺動フラップ９７を上下対称に組み込んだ場合について説明したが、それを、いずれか一方のケーシングＫ１，Ｋ２に組み込んで対処することもできる。
また、巻取りローラＪ１〜Ｊ７、３０，３０ａを、図４１（Ａ）、（Ｂ）に示す１体のケーシングＫ３に組み込んだ場合には、キャンバス引出口１３３の上下内壁位置に、揺動フラップ９７を上下対称に付勢支持することにより、キャンバス相互間の隙間をより一段と狭小化する。
【転動構造の巻取りローラ】
【０１３８】
前記した第１例〜第７例の巻取りローラＪ１〜Ｊ７の場合には、そのインナーローラ１１，１１ａにアウターローラ１２，１２ａを摺動案内自在に構成したが、両者の関係を転動構造とすることで、アウターローラ１２，１２ａの進退移動時におけるスライド抵抗を大幅に軽減することができる。
この転動構造の巻取りローラに関しては、前記した国際特許出願２の「複合オーニング装置」の図５７（Ａ）、（Ｂ）と図５８に開示しており、ここでは、その説明を省略する。
【転動構造のフロントバー】
【０１３９】
前記した複合装置ＳＱII１〜９の場合には、主に、インナー側のフロントバーＲ２に、アウター側のフロントバーＦ２を摺動案内自在に構成したが、両者の関係を転動構造のフロントバーに置換することで、フロントバーＦ２の進退移動時におけるスライド抵抗を大幅に軽減し、作動の円滑性を高めることができる。
その具体的な手段は、前記した国際特許出願２の「複合オーニング装置」の図５９（Ａ）、（Ｂ）〜図６１（Ａ）〜（Ｃ）に開示しており、ここでは、その説明を省略する。
【０１４０】
尚、本発明では、第１〜第４グループの複合装置により、建築物の出隅部や入隅部を含む建物外回りを体裁良く覆うようにしたが、建物外回りの直線区間が長い場合には、図１８（Ａ）〜（Ｃ）の装置後半部に示す、矩形キャンバスＰ１を単独で巻き取ったり、巻き戻す長短様々な可動オーニング装置Ｑが組み込まれる。
また、単なる入隅部や、一方と他方の入隅部の間隔が比較的短い場合には、前記した国際特許出願２の「複合オーニング装置」の図６９と図７０に開示するように、直角逆台形状の入隅キャンバスや、逆台形状の入隅キャンバスのいずれかを単独で巻き取ったり、巻き戻す可動オーニング装置が組み込まれる。
従って、本発明に係るシングル装置や複合装置を、建物の外観形態に応じて臨機応変にレイアウトすることにより、出隅部や入隅部を含む各種建築物の外回りを意匠的に体裁良く統一することができる上に、回廊風に構築自在とするシステムオーニングを当業界に提供することができる。
【産業上の利用可能性】
【０１４１】
本発明は、前記のように技術的な興趣や有用性に富む新規で、斬新なシングルタイプと複合タイプの可動オーニング装置を提供したので、各種建築物の出隅部のコーナー空間部を、或いは、当該空間部を含む出隅部や入隅部等の建物外回りの体裁性を飛躍的に高め、ひいては、当業界の進歩発展に大いに貢献する。
【図面の簡単な説明】
【０１４２】
図１〜図２０は、折畳みアーム方式のシングルオーニング装置の第１〜第４実施例と、その関連構成を示す図である。
図中、キャンバスは、通常、不透質であり、隠れて見えない裏側の構成を見せるため、必要に応じてキャンバスを透視状態で示している。同様に、ケーシング内部に組み込んだ巻取りローラについても、必要に応じてケーシングを透視して図示している。
尚、多くの図面では、オーニング装置をＬ字状、帯板状、クランク状、コ字状等の枠体に、ほぼ水平状態に取り付けているように立体的に図示しているが、それは図面を描出する上での便宜に基づくことである。通常、展開した出隅キャンバスや矩形キャンバス等が、適宜の前傾状態となるように固定的に、或いは、角度可変自在に取り付けられる。
【図１】  図（Ａ）、（Ｂ）は、出隅部の一方と他方に向かい合せたシングル装置を示す斜視図であって、その内、図（Ｂ）には、折畳みアームを二つ折れ自在とする第１実施例のシングル装置Ｓ１ａの透視状態を示している。
【図２】  図（Ａ）、（Ｂ）は、シングル装置Ｓ１ａの透視状態を示す斜視図であって、その内、図（Ｂ）には、出隅キャンバスのフロントバーをその横行案内レールから分離した状態を示している。
【図３】  図（Ａ）、（Ｂ）は、シングル装置Ｓ１ａの要部を示す縦断側面図であって、その内、図（Ｂ）には、出隅キャンバスの巻取りローラの手動駆動装置を示している。
【図４】  図（Ａ）、（Ｂ）は、シングル装置Ｓ１ａの要部を示す縦断斜視図であって、その内、図（Ｂ）には、出隅キャンバスを緊張支持する連結ワイヤの取り付け状態を示している。
【図５】  シングル装置Ｓ１ａの横断平面図である。
【図６】  図（Ａ）、（Ｂ）は、手動装置を組み込んだキャンバス巻取り装置の主要部を示す斜視図であって、その内、図（Ａ）には、ケーシング、インナーローラ、アウターローラ、手動装置等の構成部材を分解して示している。図（Ｂ）には、アウターローラの一部を拡大し、連結ワイヤの基端部を挟み込んで固定するビスを示している。
【図７】  図（Ａ）〜（Ｃ）は、出隅キャンバスとそのフロントスカート、それらのワイヤ類を示す分解斜視図であって、その内、図（Ｃ）の左右位置には、連結ワイヤの両端部を部分拡大している。
【図８】  図（Ａ）、（Ｂ）は、出隅キャンバスの平面図と、ワイヤ類を挿通したＸ−Ｘ線拡大断面図である。図（Ｃ）は、後記する図５２（Ａ）と図５３（Ａ）に示す出隅キャンバスの頂部に突出形成した掛止フラップの裁断状態を想像線で、その突出部分を折り曲げて縫着した状態を破線で示している。
【図９】  図（Ａ）、（Ｂ）は、電動モータを組み込んだキャンバス巻取り装置の主要部と、その構成部材を示す斜視図である。
【図１０】  図（Ａ）〜（Ｄ）は、コーナー空間部へ張り出した出隅キャンバスと、その後退巻き取り過程を示す斜視図であって、その逆順序が出隅キャンバスの巻き戻し展開過程と、コーナー空間部への前進過程を示している。
【図１１】  図（Ａ）〜（Ｄ）は、図１０（Ａ）〜（Ｄ）と略同じ状態の過程を示す平面図である。
【図１２】  図（Ａ）〜（Ｄ）は、同調ベルトを掛架した第２実施例のシングル装置Ｓ１ｂを示す斜視図であって、コーナー空間部へ張り出した出隅キャンバスと、その後退巻き取り過程を示している。
【図１３】  図（Ａ）〜（Ｄ）は、図１２（Ａ）〜（Ｄ）と略同じ状態の過程を示す平面図である。
【図１４】  図（Ａ）〜（Ｄ）は、折畳みアームを逆ｙ字状とする第３実施例のシングル装置Ｓ１ｃを示す平面図であって、コーナー空間部へ張り出した出隅キャンバスと、その後退巻き取り過程を示している。
【図１５】  図（Ａ）、（Ｂ）は、折畳みアームを直線状とする第４実施例のシングル装置Ｓ１ｄを示す斜視図であって、その内、図（Ｂ）には、出隅キャンバスのフロントバーをその横行案内レールから分離した状態を示している。
【図１６】  図（Ａ）〜（Ｄ）は、コーナー空間部へ張り出した出隅キャンバスと、その後退巻き取り過程を示す斜視図であって、その逆順序が出隅キャンバスの巻き戻し展開過程と、コーナー空間部への前進過程を示している。
【図１７】  図（Ａ）〜（Ｄ）は、図１６（Ａ）〜（Ｄ）と略同じ状態の過程を示す平面図である。
【図１８】  図（Ａ）〜（Ｃ）は、出隅部の一方と他方に２体のシングル装置Ｓ１ａを直交状に向かい合わせ、それぞれの後半底部位置に従来構造の可動オーニング装置の前半位置を上下に重ね合わせ、それぞれのキャンバスを展開した状態を示す斜視図であって、その内、図（Ｃ）には、それぞれのケーシングとキャンバスを透視している。
【図１９】  図（Ａ）〜（Ｃ）は、嵩上げ生地を縫着した出隅キャンバスと、それを巻取りローラに巻き付ける状態と、巻き付け途中の縦断面を示している。
【図２０】  図（Ａ）、（Ｂ）は、出隅部の一方と他方に向かい合わせたシングル装置の連動構造を示す図であって、その内、図（Ａ）には、斜歯歯車又は傘歯車による噛み合い構造を、図（Ｂ）には、手動の歯車連動装置を示している。
【０１４３】
図２１〜図４０は、折畳みアーム方式の複合オーニング装置であって、出隅用オーニング装置と矩形オーニング装置を組み合わせた第１グループの複合装置の実施態様を示している。
【図２１】  図（Ａ）、（Ｂ）は、出隅部の一方と他方に向かい合せた第１例の複合装置ＳＱII１を示す斜視図である。
【図２２】  図（Ａ）、（Ｂ）は、複合装置ＳＱII１の透視図であって、その内、図（Ｂ）には、出隅キャンバスとそのフロントバーを、矩形キャンバスのフロントバーから分離した状態を示している。
【図２３】  複合装置ＳＱII１の要部を示す縦断側面図であって、フロントバーを支持する折畳みアームと、その前後両端部のブラケットを想像線で示している。
【図２４】  図（Ａ）〜（Ｃ）は、出隅キャンバスと矩形キャンバスの重なり合い付近を示す縦断斜視図であって、その内、図（Ｂ）の上中下位置には、アウターローラと出隅キャンバスの後方部と、当該キャンバスに挿通した連結ワイヤの基端部と前端部を透視している。また、図（Ｃ）の右側位置には、出隅キャンバスのフロントバーを、左側位置には矩形キャンバスのフロントバーとそのブラケットをそれぞれ示している。
【図２５】  図（Ａ）、（Ｂ）は、複合装置ＳＱII１の横断平面図と縦断正面図であって、上下に間隔を隔てて並設した出隅キャンバスの巻取りローラと矩形キャンバスの巻取りローラを、それぞれのケーシングに両端支持した場合で示している。
【図２６】  図（Ａ）、（Ｂ）は、電動モータを組み込んだ矩形キャンバスの巻取り装置の主要部と、その構成部材を示す斜視図である。
【図２７】  図（Ａ）、（Ｂ）は、コイルばねを組み込んだ出隅キャンバスの巻取り装置の主要部と、その構成部材を示す斜視図である。
【図２８】  図（Ａ）、（Ｂ）は、コイルばねを組み込んだ矩形キャンバスの巻取り装置の主要部と、その構成部材を示す斜視図である。
【図２９】  図（Ａ）、（Ｂ）は、展開した矩形キャンバスを、巻取りローラとフロントバーの後半部に取り付けた斜視図であって、その内、図（Ａ）には、キャンバス本体部に形成したＸ字状の交差通孔に、当該キャンバスを緊張支持する連結ワイヤを挿通する場合を、図（Ｂ）には、Ｖ字状に形成した通孔に連結ワイヤを挿通する場合をそれぞれ示している。
【図３０】  図（Ａ〜（Ｄ）は、コーナー空間部へ張り出した出隅キャンバスと、後退した出隅キャンバスと矩形キャンバスの巻き取り過程を示す斜視図であって、その逆順序が両キャンバスの巻き戻し展開過程と、出隅キャンバスのコーナー空間部への前進過程を示している。
【図３１】  図（Ａ）〜（Ｄ）は、図３０（Ａ〜（Ｄ）と略同じ状態の過程を示す平面図である。
【図３２】  図（Ａ）〜（Ｄ）は、同調ベルトを掛架した第２実施例の複合装置ＳＱII２を示す斜視図であって、コーナー空間部へ張り出した出隅キャンバスの後退巻き取り過程を示している。
【図３３】  図（Ａ）〜（Ｄ）は、第３実施例の複合装置ＳＱII３の場合を示す斜視図である。
【図３４】  図（Ａ）〜（Ｄ）は、装置先端部のコーナー付近まで矩形キャンバスとその巻取りローラを延長した第４実施例の複合装置ＳＱII４を示す斜視図であって、コーナー空間部へ張り出した出隅キャンバスと、後退した出隅キャンバスと矩形キャンバスの巻き取り過程を示している。
【図３５】  図（Ａ）〜（Ｄ）は、出隅キャンバスと矩形キャンバスの上下の位置関係を変更した第５実施例の複合装置ＳＱII５を示す斜視図であって、コーナー空間部へ張り出した出隅キャンバスと、後退した出隅キャンバスと矩形キャンバスの巻き取り過程を示している。
【図３６】  図（Ａ）〜（Ｄ）は、第６実施例の複合装置ＳＱII６の場合を示す斜視図である。
【図３７】  図（Ａ）〜（Ｄ）は、出隅キャンバスをほぼ三角形状とする第７実施例の複合装置ＳＱII７を示す斜視図であって、コーナー空間部へ張り出した三角キャンバスと、後退した三角キャンバスと矩形キャンバスの巻き取り過程を示している。
【図３８】  図（Ａ）〜（Ｄ）は、三角キャンバスと矩形キャンバスの上下の位置関係を変更した第８実施例の複合装置ＳＱII８の場合を示す斜視図である。
【図３９】  三角キャンバスの頂部をアウターローラへ取り付ける前の分解斜視図であって、キャンバス斜部に挿通した当該キャンバス緊張用の連結ワイヤと、そのワイヤ基端部を固定するビスを示している。
【図４０】  図（Ａ）〜（Ｄ）は、折畳みアームを逆ｙ字状とする第９実施例の複合装置ＳＱII９を示す平面図であって、コーナー空間部へ張り出した出隅キャンバスと、後退した出隅キャンバスと矩形キャンバスの巻き取り過程を示している。
【図４１】  図（Ａ）〜（Ｃ）は、出隅キャンバスと矩形キャンバスを巻き取り収納するケーシングを一体化した実施形態を示す斜視図であって、その内、図（Ｃ）には、両キャンバスの巻取りローラの後端部を平歯車による噛み合い構造としている。
【図４２】  図（Ａ）〜（Ｃ）は、出隅用オーニング装置と入隅用オーニング装置とからなる第２グループの複合装置ＳＵII１の第１実施例を示す斜視図であって、その内、図（Ｃ）には、出隅キャンバスとそのフロントバーを手前側へ分離した状態を示している。
【図４３】  直角逆台形状の入隅キャンバスを、巻取りローラとフロントバーに張設した状態を示す斜視図であって、キャンバス本体部に形成したＸ字状の交差通孔に、キャンバス緊張用の連結ワイヤを挿通する場合を示している。
【図４４】  図（Ａ）〜（Ｄ）は、一方が出隅部で、他方が入隅部とする直線区間に適用する第２グループの複合装置ＳＵII１の第１実施例を示す平面図であって、コーナー空間部へ張り出した出隅キャンバスと、後退した出隅キャンバスと入隅キャンバスの巻き取り過程を示している。
【図４５】  図（Ａ）〜（Ｄ）は、第２実施例の複合装置ＳＵII２の場合を示す平面図である。
【図４６】  図（Ａ）、（Ｂ）は、一方の出隅部と他方の出隅部との間に取り付ける第３グループの複合装置ＳＱＳIV１の第１実施例を示す斜視図であって、その内、図（Ｂ）には、中間部の矩形オーニング装置に対して、先後位置の出隅用オーニング装置の前部位置を手前側へ分離した状態を示している。
【図４７】  図（Ａ）〜（Ｄ）は、複合装置ＳＱＳIV１の作動過程を示す平面図であって、その内、図（Ｂ）〜（Ｄ）には、後退した先後２体の出隅キャンバスと矩形キャンバスの巻き取り過程を示している。
【図４８】  図（Ａ）、（Ｂ）は、先後位置の出隅用オーニング装置の上部位置に、中間部の矩形オーニング装置を組み合わせた第２実施例の複合装置ＳＱＳIV２を示す斜視図であって、その内、図（Ｂ）には、中間部の矩形オーニング装置の前部位置を手前側へ分離した状態を示している。
【図４９】  図（Ａ）〜（Ｄ）は、複合装置ＳＱＳIV２の作動過程を示す平面図であって、その内、図（Ｂ）〜（Ｄ）には、後退した先後２体の出隅キャンバスと矩形キャンバスの巻き取り過程を示している。
【図５０】  図（Ａ）〜（Ｃ）は、一方の出隅部と他方の出隅部との間に、背中合わせに組み合わせた出隅用オーニング装置の２体を先後対称で、上下に齟齬して取り付けた第４グループの複合装置ＳＳIIを示す斜視図であって、その内、図（Ｃ）には、中間部の横行案内レールに、先後位置の出隅用オーニング装置のフロントバーを手前側へ分離させて齟齬した状態を示している。
【図５１】  図（Ａ）〜（Ｄ）は、複合装置ＳＳIIの作動過程を示す平面図であって、その内、図（Ｂ）〜（Ｄ）には、２体の出隅キャンバスの巻き取り過程を示している。
【図５２】  図（Ａ）〜（Ｃ）は、出隅キャンバスの横行操作用掛止フラップを形成した複合装置ＳＱII１を示す斜視図であって、その内、図（Ａ）には、掛止フラップを部分拡大し、図（Ｂ）、（Ｃ）には、出隅キャンバスをコーナー空間部へ張り出した状態と、後退スライドした状態を示している。
【図５３】  図（Ａ）〜（Ｃ）は、複合装置ＳＱII５の場合を示す斜視図である。
【図５４】  図（Ａ）〜（Ｃ）は、出隅キャンバスを横行スライドする手動操作用伝動ロープを、Ｖ字アームとフロントバーに掛け渡した複合装置ＳＱII１ａと、その要部を示す斜視図と平面図である。
【図５５】  図（Ａ）、（Ｂ）は、伝動ロープによる出隅キャンバスの後退スライド過程と前進スライド過程を示す斜視図である。
【図５６】  図（Ａ）、（Ｂ）は、Ｖ字アームとフロントバーに掛け渡した伝動ワイヤと、その巻取りリールを組み込んだ複合装置ＳＱII１ｂと、その要部を示す斜視図である。
【図５７】  図（Ａ）、（Ｂ）は、巻取りリールを組み込んだ巻取りローラの駆動構造を示す模式図であって、その内、図（Ａ）には、巻取りリールと巻取りローラを２体の電動モータにより個別回転する場合を、図（Ｂ）には、それを反動回転する１体の電動モータにより駆動する場合をそれぞれ示している。
【図５８】  図（Ａ）、（Ｂ）は、図５７（Ａ）に示す第４例の巻取りローラを組み込んだキャンバス巻取り装置の主要部と、その構成部材を分解した斜視図である。
【図５９】  図（Ａ）、（Ｂ）は、図５７（Ｂ）に示す第５例の巻取りローラを組み込んだキャンバス巻取り装置の主要部と、その構成部材を分解した斜視図である。
【図６０】  図（Ａ）〜（Ｄ）は、巻取りリールを組み込んだ複合装置ＳＱII１ｂの作動過程を示す斜視図であって、コーナー空間部へ張り出した出隅キャンバスの後退スライド過程と、後退した出隅キャンバスと矩形キャンバスの巻き取り過程を示している。
【図６１】  図（Ａ）〜（Ｆ）の内、図（Ａ）は、第５例の巻取りローラの模式図とその回転ストッパーを示す横断平面図、図（Ｂ）〜（Ｆ）は、コーナー空間部へ張り出した出隅キャンバスが後退移動した上で、巻取りローラに巻き上げられて収納される過程を段階的に示す図であって、各行の左側から図（Ａ）のａ−ａ線、ｂ−ｂ線、ｃ−ｃ線の各断面状態を示すと共に、その各段階における要部斜視図を右側位置に付加している。
【図６２】  図（Ｇ）〜（Ｋ）は、出隅キャンバスの巻き戻し展開過程と、更に、コーナー空間部へ向けて前進移動して張り出す過程を段階的に示す図であって、図６１（Ｂ）〜（Ｆ）の場合と同様な位置関係にレイアウトしている。
【図６３】  図（Ａ）、（Ｂ）は、差動歯車機構を組み込んだ第６例と第７例の巻取りローラの縦断面を示す模式図であって、その内、図（Ａ）には、巻取りリールと巻取りローラを１体の電動モータにより駆動する場合を、図（Ｂ）には、それを手動装置により駆動する場合をそれぞれ示している。
【図６４】  図（Ａ）、（Ｂ）は、図６３（Ａ）に示す第６例の巻取りローラを組み込んだキャンバス巻取り装置の主要部と、その構成部材を分解した斜視図である。
【図６５】  図（Ａ）、（Ｂ）は、図６３（Ｂ）に示す第７例の巻取りローラを組み込んだキャンバス巻取り装置の主要部と、その構成部材を分解した斜視図である。
【０１４４】
図６６〜図６９は、ラテラルアーム方式の複合オーニング装置の第１実施例と第２実施例の複合装置ＳＱＬ１・２を示す図である。
【図６６】  図（Ａ）、（Ｂ）は、出隅部の一方と他方に向かい合わせた複合装置ＳＱＬ１を見上げた状態を示す斜視図であって、図（Ｂ）には、出隅キャンバスとそのフロントバー、出隅キャンバスをスライド操作する伝動ロープの掛架状態をそれぞれ分離して示しており、その最下段部の左右位置には、伝動ロープの挿通部分を拡大して図示している。
【図６７】  図（Ａ）〜（Ｄ）は、コーナー空間部へ張り出した出隅キャンバスと、後退した出隅キャンバスと矩形キャンバスの巻き取り過程を示す斜視図であって、その逆順序が両キャンバスの巻き戻し展開過程と、展開した出隅キャンバスのコーナー空間部への前進横行過程を示している。
【図６８】  図（Ａ）〜（Ｄ）は、図６７（Ａ）〜（Ｄ）と略同じ状態の過程を示す側面図である。
【図６９】  図（Ａ）〜（Ｃ）は、フロントバーの折畳みアームを、パンタグラフ構造の伸縮リンクに置換した第２実施例の複合装置ＳＱＬ２を示す図であって、その内、図（Ｂ）には、伸縮リンクが伸長し、上部側と下部側のキャンバスを引き出して展開した状態の側面を、図（Ｃ）には、両キャンバスを巻き上げ、伸縮リンクが押し込まれて折り畳まれた状態の側面をそれぞれ示している。
【図７０】  図（Ａ）〜（Ｃ）は、出隅キャンバスのフロントバーに取り付けた弾力性ある揺動フラップの動作過程を示す図である。
【図７１】  図（Ａ）〜（Ｃ）は、出隅キャンバスの裾部寄りの裏面に、出隅キャンバスを緊張支持する伸縮ネットを編成した場合を示す図であって、その内、図（Ｂ）には、キャンバス展開時の縦断面を、図（Ｃ）には、巻き取り収納時の縦断面をそれぞれ示している。
【図７２】  図（Ａ）〜（Ｅ）は、ケーシング内部に起倒動自在に付勢支持した揺動フラップの動作過程を示す図であって、その内、図（Ａ）には、上部側と下部側のキャンバス巻き上げ収納時の状態を、図（Ｅ）には、キャンバス展開時の最終段階で起立した揺動フラップにより、キャンバス引出口付近の隙間を狭小化した状態を、図（Ｂ）〜（Ｄ）は、その中間段階の状態と、キャンバス頂部の直前位置の突起部に係止されることで、揺動フラップが立ち上げられたり、押し下げられる状態を示している。
【符号の説明】
【０１４５】
Ｓ１ａ〜Ｓ１ｄ  シングル装置
Ｊ１〜Ｊ７  巻取りローラ Ｇ１，Ｇ２  出隅キャンバス
Ｐ１，Ｐ２  矩形キャンバス Ｐ３，Ｐ４  入隅キャンバス
Ｆ１〜Ｆ４  フロントバー Ｒ１〜Ｒ５  横行案内レール
Ｎ１，Ｎ２  出隅部 Ｖ１〜Ｖ４  Ｖ字アーム
Ｙ１，Ｙ２  Ｙ字アーム Ｉ１，Ｉ２  Ｉ字アーム
Ｚ１，Ｚ２  伸縮アーム Ｚ３，Ｚ４  伸縮リンク
Ｓ１，Ｓ２、Ｓ１１  出隅用オーニング装置 Ｑ１，Ｑ２  矩形オーニング装置
ＳＱII１〜９  複合装置（第１グループ） ＳＵII１・２  複合装置（第２グループ）
ＳＱＳIV１・２  複合装置（第３グループ） ＳＳII  複合装置（第４グループ）
ＳＱＬ１・２  複合装置（ラテラルアーム方式）
Ｘ１  キャンバス本体部 Ｘ２  キャンバス張出部
Ｋ１〜Ｋ３  ケーシング Ｍ１〜Ｍ６  電動モータ
１  頂部 ２，２ａ、６  裾部 ３ａ，３ｂ  斜部
１１，１１ａ  インナーローラ １１１、１７４  案内溝 １１２  案内突条
１２，１２ａ  アウターローラ １３５、１７３  案内突起
１４１，１４２，１４６、１５２  エンドキャップ １６１  ウォーム歯車
１６２  ウォーム １７１，１７２  エンドキャップ １９３，１９４  ワイヤ
２０１  上板部 ２０２  前板部 ２０３  底板部 ２３４，２３５  小車輪
２４１  掛止部 ２４２  掛止フラップ ２４４  係合孔
２７１、４５１  モータ出力軸 ２７２、４５２  固定用軸部
２８１，２８３、４６１  伝動ソケット ２９１  主リンク ２９２  副リンク
３０，３０ａ  巻取りローラ ３９１，３９３  同調ベルト ３９２  ベルト車
４０２，４４２  エンドキャップ ４１１、４７１  コイルスプリング
４２１，４８１  バネ止めソケット ４３１、４９１  固定軸
５１１，５１２  平歯車 ５４１，５４２  連結ワイヤ
５６１，５６２、６６  伝動部材 ５９１  先端軸部    ５９３  先端支軸
５９４  後端出力軸 ６０，６０ａ，６０ｂ  巻取りリール
６１１  回転ストッパー ６２、９７  揺動フラップ ６３１  伸縮ネット
７０  太陽歯車 ７１  内歯歯車 ７２  遊星歯車 ７３  駆動軸
９９  突起部
【図１】
0004769954.tif 000002
【図２】
0004769954.tif 000003
【図３】
0004769954.tif 000004
【図４】
0004769954.tif 000005
【図５】
0004769954.tif 000006
【図６】
0004769954.tif 000007
【図７】
0004769954.tif 000008
【図８】
0004769954.tif 000009
【図９】
0004769954.tif 000010
【図１０】
0004769954.tif 000011
【図１１】
0004769954.tif 000012
【図１２】
0004769954.tif 000013
【図１３】
0004769954.tif 000014
【図１４】
0004769954.tif 000015
【図１５】
0004769954.tif 000016
【図１６】
0004769954.tif 000017
【図１７】
0004769954.tif 000018
【図１８】
0004769954.tif 000019
【図１９】
0004769954.tif 000020
【図２０】
0004769954.tif 000021
【図２１】
0004769954.tif 000022
【図２２】
0004769954.tif 000023
【図２３】
0004769954.tif 000024
【図２４】
0004769954.tif 000025
【図２５】
0004769954.tif 000026
【図２６】
0004769954.tif 000027
【図２７】
0004769954.tif 000028
【図２８】
0004769954.tif 000029
【図２９】
0004769954.tif 000030
【図３０】
0004769954.tif 000031
【図３１】
0004769954.tif 000032
【図３２】
0004769954.tif 000033
【図３３】
0004769954.tif 000034
【図３４】
0004769954.tif 000035
【図３５】
0004769954.tif 000036
【図３６】
0004769954.tif 000037
【図３７】
0004769954.tif 000038
【図３８】
0004769954.tif 000039
【図３９】
0004769954.tif 000040
【図４０】
0004769954.tif 000041
【図４１】
0004769954.tif 000042
【図４２】
0004769954.tif 000043
【図４３】
0004769954.tif 000044
【図４４】
0004769954.tif 000045
【図４５】
0004769954.tif 000046
【図４６】
0004769954.tif 000047
【図４７】
0004769954.tif 000048
【図４８】
0004769954.tif 000049
【図４９】
0004769954.tif 000050
【図５０】
0004769954.tif 000051
【図５１】
0004769954.tif 000052
【図５２】
0004769954.tif 000053
【図５３】
0004769954.tif 000054
【図５４】
0004769954.tif 000055
【図５５】
0004769954.tif 000056
【図５６】
0004769954.tif 000057
【図５７】
0004769954.tif 000058
【図５８】
0004769954.tif 000059
【図５９】
0004769954.tif 000060
【図６０】
0004769954.tif 000061
【図６１】
0004769954.tif 000062
【図６２】
0004769954.tif 000063
【図６３】
0004769954.tif 000064
【図６４】
0004769954.tif 000065
【図６５】
0004769954.tif 000066
【図６６】
0004769954.tif 000067
【図６７】
0004769954.tif 000068
【図６８】
0004769954.tif 000069
【図６９】
0004769954.tif 000070
【図７０】
0004769954.tif 000071
【図７１】
0004769954.tif 000072
【図７２】
0004769954.tif 000073